(57)【要約】【課題】袋の開口部を開閉しようとする場合に手間が少なく、密閉性を有し、袋体の開口部の開閉状態がわかりやすい、開口部の視認性の高い合成樹脂製袋体を提供する。【解決手段】頭部１４、１４Ａを有する雄部３、３Ａを設け、両先端１５、１５Ｃ、１５Ａ、１５Ｂに爪部４、４Ｃ、４Ａ、４Ｂを有する断面略Ｃ字状１６、１６Ａの雌部５、５Ａを設け、雄部３、３Ａと嵌合する雌部５、５Ａを設け、開口部６の内側７の対向する両面８、８Ａに第１嵌合部材９、９Ａを各々配置し、両面８、８Ａの第１嵌合部材９、９Ａに各々嵌合する第２嵌合部材１０、１０Ａを設けたスライダー１１を配置し、雌部５、５Ａである第１嵌合部材９、９Ａを配し、雄部３、３Ａである第２嵌合部材１０、１０Ａを配し、第１嵌合部材９、９Ａの長手方向Ｘにスライダー１１を摺動させることにより開口部６が開閉する。【選択図】図２
2013056672.tif 000002
【特許請求の範囲】
【請求項１】
頭部を有する雄部を設け、両先端に爪部を有する断面略Ｃ字状の雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、
該断面略Ｃ字状の内面の高さに比べて該頭部の高さが大きい該雄部と該雌部とを設け、
または、
該断面略Ｃ字状の内面の幅に比べて該頭部の幅が大きい該雄部と該雌部とを設け、
第１嵌合部材と第２嵌合部材とを嵌合した場合に、
該雌部を該雄部が押圧し、
または、
該雄部を該雌部が押圧することで密閉性を有することを特徴とするスライダー付き合成樹脂製袋体。
【請求項２】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、第１ストッパーを設け、該開口部が閉口する方向にスライダーを摺動して該開口部が閉口した場合に、第１ストッパーが当接することにより、開口部が閉口状態を保持することを特徴とするスライダー付き合成樹脂製袋体。
【請求項３】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、該第１嵌合部材に第１突出部を設け、該第２嵌合部材に第２突出部を設け、該開口部が閉口する方向にスライダーを摺動して該開口部が閉口した場合に、第１突出部と第２突出部とが当接することにより、開口部が閉口状態を保持することを特徴とするスライダー付き合成樹脂製袋体。
【請求項４】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、第２ストッパーを設け、該開口部が開口する方向にスライダーを摺動した場合に、第２ストッパーが当接することにより、第１嵌合部材から第２嵌合部材が離脱するのを防止することを特徴とするスライダー付き合成樹脂製袋体。
【請求項５】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、該第１嵌合部材に第３突出部を設け、該第２嵌合部材に第４突出部を設け、該開口部が開口する方向にスライダーを摺動した場合に、第３突出部と第４突出部とが当接することにより、第１嵌合部材から第２嵌合部材が離脱するのを防止することを特徴とするスライダー付き合成樹脂製袋体。
【請求項６】
前記第１嵌合部材に第１突出部を設け、に代えて、前記第１嵌合部材の長手方向の袋の縁部に第１突出部を設け、としたことを特徴とする請求項３に記載のスライダー付き合成樹脂製袋体、
または、
前記第１嵌合部材に第３突出部を設け、に代えて、前記第１嵌合部材の長手方向の袋の縁部に第３突出部を設け、としたことを特徴とする請求項５に記載のスライダー付き合成樹脂製袋体。
【請求項７】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、該第１嵌合部材に第１突出部を設け、該第２嵌合部材に第２突出部を設け、該第２嵌合部材に第４突出部を設け、該開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第１突出部と第４突出部とが当接することにより、第１嵌合部材から第２嵌合部材が離脱するのを防止することを特徴とするスライダー付き合成樹脂製袋体。
【請求項８】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、該第１嵌合部材に第１突出部を設け、該第１嵌合部材に第３突出部を設け、該第２嵌合部材に第２突出部を設け、該開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第３突出部と第２突出部とが当接することにより、第１嵌合部材から第２嵌合部材が離脱するのを防止することを特徴とするスライダー付き合成樹脂製袋体。
【請求項９】
前記鍔部を有する雄部、に代えて、頭部を有する雄部、として、
前記爪部を有する雌部、に代えて、両先端に爪部を有する断面略Ｃ字状の雌部、として、該断面略Ｃ字状の内面の高さに比べて該頭部の高さが大きい該雄部と該雌部とを設け、
または、
該断面略Ｃ字状の内面の幅に比べて該頭部の幅が大きい該雄部と該雌部とを設け、
第１嵌合部材と第２嵌合部材とを嵌合した場合に、
該雌部を該雄部が押圧し、
または、
該雄部を該雌部が押圧することで密閉性を有することを特徴とする請求項２〜８に記載のスライダー付き合成樹脂製袋体。
【発明の詳細な説明】
【技術分野】
【０００１】
本発明は、主に、大袋または袋の細部または付属品にて、端部や開口部の閉鎖構成または装置にて、スライドファスナー等を用いるもので、特には、スライダー付き合成樹脂製袋体に関する。
【背景技術】
【０００２】
一般に、袋の開口部に嵌合部材を帯状に設けて開閉できるようにしたチャック式の袋が市販されており、雄部と雌部とによって嵌合するようにしてある。このような袋にて、密閉性を高めたもの（特許文献１、２、３参照）が提案されている。以下、具体的に記す。互いに咬み合う雄部材と雌部材からなり、前記雄部材は、頭部と、前記頭部の先端部にある突出部と、前記突出部と先端部との接続部分にある凹みとを有し、前記雌部材は、対向する第１及び第２の爪部材、前記第１及び第２の爪部材の間の窪み、前記窪みの上部にある一対の突起を有し、前記雄部材と雌部材が咬み合うとき、前記雌部材の第１及び第２の爪部材の内面の少なくとも一部と、前記雄部材の頭部の面の少なくとも一部が、面接触し、前記雌部材の窪みが、前記雄部材の突出部を受け、前記雌部材の突起が前記雄部材の凹みに嵌合する、ジッパーテープ（特許文献１参照）。互いに咬合する雌雄爪をベース片にそれぞれ突設した合成樹脂製のチャックを開口部に備えている袋体において、前記雌雄爪両方のチャック基部両側のベース片表面に稜線が円弧凹部を持つウェッジ状の隆起部を設け、この隆起部とチャック基部との間の前記円弧凹部を薄肉とし、かつ袋体フィルムに対し非接着の中空部を形成してベース片を袋体フィルムに接着したことを特徴とするチャック付の袋体（特許文献２参照）。頭部が形成された雄部材と、前記頭部と係止する第１と第２の係止部が形成された雌部材とを備え、前記頭部が前記第１と第２の係止部で形成された凹部に嵌合することによりこれらの雄部材と雌部材が咬合する咬合具であって、前記雄部材と前記雌部材が咬合した状態において、前記頭部は、前記凹部外に延在して前記係止部の少なくとも一方に当接する延在部を有すると共に、前記凹部内の前記延在部と頭部との間には開放された空間部が形成されていることを特徴とする咬合具（特許文献３参照）。また、上記以外では次のようなものがある。一方で、袋の開口部に嵌合部材を帯状に設けて、雄部と雌部とによって嵌合するようにしたチャック式の袋にて、スライダーにて嵌合できるようにしたスライダー付きが市販されている。このような袋にて、チャックの閉じ端部の気密性を確保したもの（特許文献４参照）が提案されている。以下、具体的に記す。開口部にスライダー付きチャックを備えた合成樹脂製袋体において、前記スライダーによるチャックの閉じ端部側におけるチャックとサイドシールとに渡る袋体隅角部に気密シールを施したことを特徴とするスライダー付き合成樹脂製袋体（特許文献４参照）。
【特許文献１】特開２０１０−２４６７９３
【特許文献２】特開平４−３３９７６８
【特許文献３】特開平１１−４６８１４
【特許文献４】特開２００７−２２３６５１
【発明の開示】
【発明が解決しようとする課題】
【０００３】
第１の課題としては次のようになる。一般に、市販の汎用のチャック式の袋は、嵌合して閉じた袋の開口部を開こうとする場合、チャック背面を両手の指で掴んで引っ張って開くが、両手の指で掴んで引っ張る必要があるので、手間を要するという問題がある。また、その際、引っ張る力により、チャック周辺の袋部が裂けてしまうことがあるという問題がある。また、袋の開口部を閉じようとする場合、チャック背面を指で押圧して嵌合するが、互いのチャックの位置が合わせにくく、押圧するのにも力を必要とし、袋の開口部を閉じるのに手間を要するという問題がある。本発明は、前記問題を解消し、袋の開口部を開閉しようとする場合に手間が少なく、また、袋部が裂けてしまうことがない合成樹脂製袋体を提供することを目的とする（課題１）。次に、密閉性の高いチャック式の袋の課題について記す。第２の課題としては次のようになる。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある。本発明は、前記問題を解消し、密閉性を有していても、袋の開口部の外側からの力に対する嵌合強度が低くなることがなく、外側からの小さい力に対しても袋が開かず、勝手に開いてしまうことがない合成樹脂製袋体を提供することを目的とする（課題２）。また、第３の課題としては次のようになる。前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある。本発明は、前記問題を解消し、袋の内圧が増加した場合でも袋の開口部の外側からの力に対する嵌合強度の変化は少なく、袋の開閉を比較的容易にできる合成樹脂製袋体を提供することを目的とする（課題３）。また、第４の課題としては次のようになる。特許文献２、３については、袋の内圧の変化を生じない物質を収納した場合、袋の内圧が増加しないので嵌合している部位等が可変せず嵌合強度が高くならず、よって、密閉性の確保が難しくなるという問題がある。本発明は、前記問題を解消し、袋の内圧の変化を生じない物質を収納した場合でも、嵌合強度が低くなりにくく、密閉性の確保ができやすい合成樹脂製袋体を提供することを目的とする（課題４）。つまり、第３、４の課題等により、袋の内圧の変化の有無にかかわらず密閉性を確保して、嵌合強度がおよそ一定のまま、袋の開閉を比較的容易にできる合成樹脂製袋体を提供することを目的とする。また、第５の課題としては次のようになる。特許文献２、３については、可変する部位については、可変するので通常と比較して長期使用すると劣化しやすいという問題がある。本発明は、前記問題を解消し、長期使用しても劣化しにくい合成樹脂製袋体を提供することを目的とする（課題５）。また、第６の課題としては次のようになる。前記従来例の特許文献４については、密封性は高く、低コストを追求しているものの、形状としては従来型のスライダー付きを踏襲しているので、材料の単価も低くなく、製造工程も複雑であり、製作コストの低廉化に限度があるという問題がある。本発明は、前記問題を解消し、材料の単価を抑え、製造工程も比較的複雑でなく、製作コストの低廉化が可能なスライダー付き合成樹脂製袋体を提供することを目的とする（課題６）。また、第７の課題としては次のようになる。特許文献４については、従来型のスライダー付きを踏襲しているので、スライダーの厚み、スライダーの重量が少なくないという問題がある。本発明は、前記問題を解消し、スライダーの厚み、スライダーの重量を比較的少なくできるスライダー付き合成樹脂製袋体を提供することを目的とする（課題７）。また、第８の課題としては次のようになる。特許文献４については、従来型のスライダー付きを踏襲しているので、袋の開閉状態の視認性は決して低くはないが高いともいえない。本発明は、前記問題を解消し、袋体の開口部の開閉状態がわかりやすい、開口部の視認性の高い合成樹脂製袋体を提供することを目的とする（課題８）。
【０００４】
また、第９の課題としては次のようになる。袋体の開口部が閉口する方向にスライダーを摺動して開口部が閉口した場合に、閉口状態を保持し、密閉性の確保ができやすいスライダー付き合成樹脂製袋体を提供することを目的とする（課題９）。また、第１０の課題としては次のようになる。袋体の開口部が開口する方向にスライダーを摺動し、開口部が開口しきった状態にて、スライダーが袋体から離脱するのを防止できるスライダー付き合成樹脂製袋体を提供することを目的とする（課題１０）。
【課題を解決するための手段】
【０００５】
本発明によると上記課題は、次のようにして解決される。
（１）頭部を有する雄部を設け、両先端に爪部を有する断面略Ｃ字状の雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該断面略Ｃ字状の内面の高さに比べて該頭部の高さが大きい該雄部と該雌部とを設け、または、該断面略Ｃ字状の内面の幅に比べて該頭部の幅が大きい該雄部と該雌部とを設け、第１嵌合部材と第２嵌合部材とを嵌合した場合に、該雌部を該雄部が押圧し、または、該雄部を該雌部が押圧することで密閉性を有することを特徴とするスライダー付き合成樹脂製袋体とする。
【０００６】
（２）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、第１ストッパーを設け、該開口部が閉口する方向にスライダーを摺動して該開口部が閉口した場合に、第１ストッパーが当接することにより、開口部が閉口状態を保持することを特徴とするスライダー付き合成樹脂製袋体とする。
【０００７】
（３）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該第１嵌合部材に第１突出部を設け、該第２嵌合部材に第２突出部を設け、該開口部が閉口する方向にスライダーを摺動して該開口部が閉口した場合に、第１突出部と第２突出部とが当接することにより、開口部が閉口状態を保持することを特徴とするスライダー付き合成樹脂製袋体とする。
【０００８】
（４）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、第２ストッパーを設け、該開口部が開口する方向にスライダーを摺動した場合に、第２ストッパーが当接することにより、第１嵌合部材から第２嵌合部材が離脱するのを防止することを特徴とするスライダー付き合成樹脂製袋体とする。
【０００９】
（５）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該第１嵌合部材に第３突出部を設け、該第２嵌合部材に第４突出部を設け、該開口部が開口する方向にスライダーを摺動した場合に、第３突出部と第４突出部とが当接することにより、第１嵌合部材から第２嵌合部材が離脱するのを防止することを特徴とするスライダー付き合成樹脂製袋体とする。
【００１０】
（６）上記（３）項に記載のスライダー付き合成樹脂製袋体において、前記第１嵌合部材に第１突出部を設け、に代えて、前記第１嵌合部材の長手方向の袋の縁部に第１突出部を設け、としたことを特徴とするスライダー付き合成樹脂製袋体、または、上記（５）項に記載のスライダー付き合成樹脂製袋体において、前記第１嵌合部材に第３突出部を設け、に代えて、前記第１嵌合部材の長手方向の袋の縁部に第３突出部を設け、としたことを特徴とするスライダー付き合成樹脂製袋体とする。
【００１１】
（７）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該第１嵌合部材に第１突出部を設け、該第２嵌合部材に第２突出部を設け、該第２嵌合部材に第４突出部を設け、該開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第１突出部と第４突出部とが当接することにより、第１嵌合部材から第２嵌合部材が離脱するのを防止することを特徴とするスライダー付き合成樹脂製袋体とする。
【００１２】
（８）鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該第１嵌合部材に第１突出部を設け、該第１嵌合部材に第３突出部を設け、該第２嵌合部材に第２突出部を設け、該開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第３突出部と第２突出部とが当接することにより、第１嵌合部材から第２嵌合部材が離脱するのを防止することを特徴とするスライダー付き合成樹脂製袋体とする。
【００１３】
（９）上記（２）〜（８）項に記載のスライダー付き合成樹脂製袋体において、前記鍔部を有する雄部、に代えて、頭部を有する雄部、として、前記爪部を有する雌部、に代えて、両先端に爪部を有する断面略Ｃ字状の雌部、として、該断面略Ｃ字状の内面の高さに比べて該頭部の高さが大きい該雄部と該雌部とを設け、または、該断面略Ｃ字状の内面の幅に比べて該頭部の幅が大きい該雄部と該雌部とを設け、前記第１嵌合部材と前記第２嵌合部材とを嵌合した場合に、該雌部を該雄部が押圧し、または、該雄部を該雌部が押圧することで密閉性を有することを特徴とするスライダー付き合成樹脂製袋体とする。
【発明の効果】
【００１４】
本発明によれば、次のような効果を奏する。
（１）本発明の請求項１記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、該断面略Ｃ字状の内面の高さに比べて該頭部の高さを大きくすることにより、密閉性を有し、高めることができる（効果２ａ）。また、該断面略Ｃ字状の内面の幅に比べて該頭部の幅を大きくすることにより、密閉性を有し、高めることができる（効果２ｂ）。また、可変しない形態で設けてあり、袋の内圧が増加した場合でも袋の開口部の外側からの力に対する嵌合強度の変化は少ないので、袋の開閉を比較的容易にできる（効果３）。また、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。
（２）本発明の請求項２記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。
（３）本発明の請求項３記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。また、第１突出部を第１嵌合部材に設けてあるので、強度的には高い（効果１３）。また、第２突出部を第２嵌合部材に設けてあるので、強度的には高い（効果１３ａ）。また、第１突出部を第１嵌合部材に設けてあるので、別々に設ける場合に比較して、重複あるいは共用する部分を削減することができ、第１突出部自体の断面積が少なくて済む。また、第１突出部と第１嵌合部材とを同時に加工ができるので、製造コストを低減することができる（効果１３−２）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。
（４）本発明の請求項４記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。
（５）本発明の請求項５記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。また、第３突出部を第１嵌合部材に設けてあるので、強度的には高い（効果１３−１）。また、第４突出部を第２嵌合部材に設けてあるので、強度的には高い（効果１３−１ａ）。また、第３突出部を第１嵌合部材に設けてあるので、別々に設ける場合に比較して、重複あるいは共用する部分を削減することができ、第３突出部自体の断面積が少なくて済む。また、第３突出部と第１嵌合部材とを同時に加工ができるので、製造コストを低減することができる（効果１３−３）。また、第４突出部を第２嵌合部材に設けてあるので、別々に設ける場合に比較して、重複あるいは共用する部分を削減することができ、第４突出部自体の断面積が少なくて済む。また、第４突出部と第２嵌合部材とを同時に加工ができるので、製造コストを低減することができる（効果１３−３ａ）。
（６）本発明の請求項６記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部（６）が閉口状態を保持するため、密閉性の確保ができやすい（効果９）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。また、第４突出部を第２嵌合部材に設けてあるので、別々に設ける場合に比較して、重複あるいは共用する部分を削減することができ、第４突出部自体の断面積が少なくて済む。また、第４突出部と第２嵌合部材とを同時に加工ができるので、製造コストを低減することができる（効果１３−３ａ）。
（７）本発明の請求項７記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。また、第１突出部を第１嵌合部材に設けてあるので、強度的には高い（効果１３）。また、第２突出部を第２嵌合部材に設けてあるので、強度的には高い（効果１３ａ）。また、第４突出部を第２嵌合部材に設けてあるので、強度的には高い（効果１３−１ａ）。また、第１突出部を第１嵌合部材に設けてあるので、別々に設ける場合に比較して、重複あるいは共用する部分を削減することができ、第１突出部自体の断面積が少なくて済む。また、第１突出部と第１嵌合部材とを同時に加工ができるので、製造コストを低減することができる（効果１３−２）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。また、第４突出部を第２嵌合部材に設けてあるので、別々に設ける場合に比較して、重複あるいは共用する部分を削減することができ、第４突出部自体の断面積が少なくて済む。また、第４突出部と第２嵌合部材とを同時に加工ができるので、製造コストを低減することができる（効果１３−３ａ）。また、第１突出部と第３突出部とを合体し、第１突出部のみとすることにより、材料費、加工費等が軽減される（効果１３−５）。
（８）本発明の請求項８記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。また、第１突出部を第１嵌合部材に設けてあるので、強度的には高い（効果１３）。また、第２突出部を第２嵌合部材に設けてあるので、強度的には高い（効果１３ａ）。また、第３突出部を第１嵌合部材に設けてあるので、強度的には高い（効果１３−１）。また、第１突出部を第１嵌合部材に設けてあるので、別々に設ける場合に比較して、重複あるいは共用する部分を削減することができ、第１突出部自体の断面積が少なくて済む。また、第１突出部と第１嵌合部材とを同時に加工ができるので、製造コストを低減することができる（効果１３−２）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。また、第３突出部を第１嵌合部材に設けてあるので、別々に設ける場合に比較して、重複あるいは共用する部分を削減することができ、第３突出部自体の断面積が少なくて済む。また、第３突出部と第１嵌合部材とを同時に加工ができるので、製造コストを低減することができる（効果１３−３）。また、第２突出部と第４突出部とを合体し、第２突出部のみとすることにより、材料費、加工費等が軽減される（効果１３−６）。
（９）本発明の請求項９記載の発明によれば、片手でスライダーを掴んで、スライダーを摺動させることにより開口部が開くので、引っ張る必要がなく、よって、嵌合して閉じた袋の開口部を開こうとする場合に手間が少ない。また、引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、該断面略Ｃ字状の内面の高さに比べて該頭部の高さを大きくすることにより、密閉性を有し、高めることができる（効果２ａ）。また、該断面略Ｃ字状の内面の幅に比べて該頭部の幅を大きくすることにより、密閉性を有し、高めることができる（効果２ｂ）。また、可変しない形態で設けてあり、袋の内圧が増加した場合でも袋の開口部の外側からの力に対する嵌合強度の変化は少ないので、袋の開閉を比較的容易にできる（効果３）。また、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。また、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。また、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。また、第１突出部を第１嵌合部材に設けてあるので、強度的には高い（効果１３）。また、第２突出部を第２嵌合部材に設けてあるので、強度的には高い（効果１３ａ）。また、第３突出部を第１嵌合部材に設けてあるので、強度的には高い（効果１３−１）。また、第４突出部を第２嵌合部材に設けてあるので、強度的には高い（効果１３−１ａ）。また、第１突出部を第１嵌合部材に設けてあるので、別々に設ける場合に比較して、重複あるいは共用する部分を削減することができ、第１突出部自体の断面積が少なくて済む。また、第１突出部と第１嵌合部材とを同時に加工ができるので、製造コストを低減することができる（効果１３−２）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。また、第３突出部を第１嵌合部材に設けてあるので、別々に設ける場合に比較して、重複あるいは共用する部分を削減することができ、第３突出部自体の断面積が少なくて済む。また、第３突出部と第１嵌合部材とを同時に加工ができるので、製造コストを低減することができる（効果１３−３）。また、第４突出部を第２嵌合部材に設けてあるので、別々に設ける場合に比較して、重複あるいは共用する部分を削減することができ、第４突出部自体の断面積が少なくて済む。また、第４突出部と第２嵌合部材とを同時に加工ができるので、製造コストを低減することができる（効果１３−３ａ）。また、第１突出部と第３突出部とを合体し、第１突出部のみとすることにより、材料費、加工費等が軽減される（効果１３−５）。また、第２突出部と第４突出部とを合体し、第２突出部のみとすることにより、材料費、加工費等が軽減される（効果１３−６）。
【発明を実施するための最良の形態】
【００１５】
以下に、添付図面に基づいて本発明の実施の形態について詳細に説明するが、本発明の範囲は、以下に説明される実施の形態に限定されるものではない。本発明の一実施形態である、実施例１である、スライダー付き合成樹脂製袋体（１）について記す。なお、各図中にて、記載している波線等は省略部分を表す。図５は、図１〜２にて、横方向から見た第１嵌合部材の簡易図であり、面（Ｍ１）（Ｎ１）（Ｏ１）（Ｐ１）〜面（Ｍ６）（Ｎ６）（Ｏ６）（Ｐ６）の位置関係を表した図である。面（Ｍ１）（Ｎ１）（Ｏ１）（Ｐ１）は、面（Ｍ６）（Ｎ６）（Ｏ６）（Ｐ６）より、（矢印Ｙ）方向、つまり、合成樹脂製袋体（１）の奥側（４５）にある。言い換えると、面（Ｍ６）（Ｎ６）（Ｏ６）（Ｐ６）は、面（Ｍ１）（Ｎ１）（Ｏ１）（Ｐ１）より、（矢印Ｚ）方向、つまり、合成樹脂製袋体（１）の手前側（４６）にある。また、図１〜２、４１にて、面（Ｍ４）（Ｎ４）（Ｏ４）（Ｐ４）と面（Ｍ４Ａ）（Ｎ４Ａ）（Ｏ４Ａ）（Ｐ４Ａ）とは、ほぼ同じ位置としてあるが、面（Ｍ４）（Ｎ４）（Ｏ４）（Ｐ４）は手前側（４６）、面（Ｍ４Ａ）（Ｎ４Ａ）（Ｏ４Ａ）（Ｐ４Ａ）は奥側（４５）としてある。また、図６〜８、３０〜３５は、実施例１（１）の、第１嵌合部材（９）（９Ａ）に嵌合する第２嵌合部材（１０）（１０Ａ）等で、図１〜２にて、第１嵌合部材（９）（９Ａ）の長手方向（矢印Ｘ）にて、（矢印Ｙ）から見た断面図を描いてある。また、図６〜８は、図１の面（Ｍ３）（Ｎ３）（Ｏ３）（Ｐ３）の部分拡大図である。また、図４０は、各突出部の片側部分の部分拡大図である。
【００１６】
実施例１（１）である、スライダー付き合成樹脂製袋体（１）は、図１〜８、３０〜４１にて、次のようにしてある。鍔部（２）（２Ｃ）（２Ａ）（２Ｂ）を有する雄部（３）（３Ａ）を設けてある。頭部（１４）（１４Ａ）を有する雄部（３）（３Ａ）を設けてある。爪部（４）（４Ｃ）（４Ａ）（４Ｂ）を有する雌部（５）（５Ａ）を設けてある。両先端（１５）（１５Ｃ）（１５Ａ）（１５Ｂ）に爪部（４）（４Ｃ）（４Ａ）（４Ｂ）を有する断面略Ｃ字状（１６）（１６Ａ）の雌部（５）（５Ａ）を設けてある。該雄部（３）（３Ａ）と嵌合する該雌部（５）（５Ａ）を設けてある。開口部（６）の内側（７）の対向する両面（８）（８Ａ）に第１嵌合部材（９）（９Ａ）を各々配置してある。該両面（８）（８Ａ）の第１嵌合部材（９）（９Ａ）に各々嵌合する第２嵌合部材（１０）（１０Ａ）を設けたスライダー（１１）を配置してある。雌部（５）（５Ａ）である第１嵌合部材（９）（９Ａ）を配してある。雄部（３）（３Ａ）である第２嵌合部材（１０）（１０Ａ）を配してある。第１嵌合部材（９）（９Ａ）の長手方向（矢印Ｘ）に該スライダー（１１）を摺動させることにより該開口部（６）が開閉する合成樹脂製袋体において、第１嵌合部材（９）（９Ａ）と第２嵌合部材（１０）（１０Ａ）とを嵌合した場合に、つまり、該雄部（３）（３Ａ）と該雌部（５）（５Ａ）とを嵌合した場合に、該雌部（５）（５Ａ）を該雄部（３）（３Ａ）が押圧する。または、第１嵌合部材（９）（９Ａ）と第２嵌合部材（１０）（１０Ａ）とを嵌合した場合に、つまり、該雄部（３）（３Ａ）と該雌部（５）（５Ａ）とを嵌合した場合に、該雄部（３）（３Ａ）を該雌部（５）（５Ａ）が押圧する。押圧することで密閉性を有する。
【００１７】
該雄部（３）（３Ａ）と該雌部（５）（５Ａ）とを嵌合した場合に、該雌部（５）（５Ａ）を該雄部（３）（３Ａ）が押圧する、または、該雄部（３）（３Ａ）を該雌部（５）（５Ａ）が押圧することについて一部説明する。図８にて、雄部（３）（３Ａ）と雌部（５）（５Ａ）とを嵌合した場合に、雄部（３）（３Ａ）と雌部（５）（５Ａ）とが接触することにより、接触面（１２）（１２Ｃ）（１２Ａ）（１２Ｂ）が生じる。なお、接触面（１２）（１２Ｃ）（１２Ａ）（１２Ｂ）が生じるように、寸法、材質、形状等にて、雄部（３）（３Ａ）と雌部（５）（５Ａ）の差異等により設けてある。雄部（３）（３Ａ）と雌部（５）（５Ａ）とが接触する。面接触する。面接触した部位にて、雌部（５）（５Ａ）を雄部（３）（３Ａ）が押圧する。または、雄部（３）（３Ａ）を雌部（５）（５Ａ）が押圧する。なお、面接触した部位、つまり、接触面（１２）（１２Ｃ）（１２Ａ）（１２Ｂ）は４箇所としてある。また、雄部（３）（３Ａ）および雌部（５）（５Ａ）の表面積全体に対して、接触、押圧する面は一部としてある。それ以外の面は非接触面（１３）（１３Ａ）としてあり、隙間（２１）（２１Ａ）を設けてある。接触、押圧する面を一部として、隙間（２１）（２１Ａ）を設けることにより、第１嵌合部材（９）（９Ａ）の長手方向（矢印Ｘ）に該スライダー（１１）を摺動する場合の抵抗を軽減することができ、該開口部（６）が開閉するのに力を必要とせずに容易になる（効果１１）。
【００１８】
また、実施例１（１）は、次のようにしてある。以下に記載している「中間部」とは、図１〜２、５にて、面（Ｍ２）（Ｎ２）（Ｏ２）（Ｐ２）（ただし、面（Ｍ２）（Ｎ２）（Ｏ２）（Ｐ２）自身を含まない）から面（Ｍ４）（Ｎ４）（Ｏ４）（Ｐ４）（ただし、面（Ｍ４）（Ｎ４）（Ｏ４）（Ｐ４）自身を含まない）の間を指している。例えば、図４０にて、第１嵌合部材（９）は、中間部では、円弧Ｈまでの面で形成してある。対応する第２嵌合部材（１０）は、中間部では、円弧Ｊまでの面で形成してある。よって、各々の中間部で、第１嵌合部材（９）と第２嵌合部材（１０）とが当接することはない。
【００１９】
また、実施例１（１）は、次のようにしてある。開口部（６）の内側（７）の対向する両面（８）（８Ａ）に第１嵌合部材（９）（９Ａ）を各々配置してあるが、図７〜８にて、開口部（６）の内側（７）の対向する両面（８）（８Ａ）と各々の第１嵌合部材（９）（９Ａ）との間に第１基部（５１）（５１Ａ）を各々設けてある。一体的に設けてある。言い方をかえると次のようになる。両面（８）（８Ａ）の一方の片面（８）と第１嵌合部材（９）との間、両面（８）（８Ａ）の残りの片面（８Ａ）と第１嵌合部材（９Ａ）との間に第１基部（５１）（５１Ａ）を各々設けてある。
【００２０】
次に、本発明の実施形態である、各実施例の材質について記す。雄部、雌部、第１基部、第２基部の材質として、ホモポリプロピレン、ブロックポリプロピレン、ランダムポリプロピレン、プロピレンーエチレンーブテン１ランダム三元共重合体、エチレン―α―オレフィン共重合体、エチレン―極性ビニルモノマー共重合体、ポリオレフィン系特殊軟質樹脂（ＴＰＯ樹脂）等の熱可塑性樹脂、エチレンープロピレン系共重合体、エラストマーなどが考えられるが、この限りではない。また、ポリエチレン、ポリ塩化ビニル、ポリオレフィン系の合成樹脂のほか、ポリ乳酸としてもよく、ポリ乳酸以外の脂肪族ポリエステル樹脂とポリ乳酸を混合した樹脂組成物としてもよいし、他の材料を選択してもよい。また、雄部、雌部、の材質と、第１基部、第２基部の材質は、同じものを使用してもよい。雄部の材質と雌部の材質は相互に異種のものを使用してもよい。
【００２１】
また、実施例１（１）は次のようにしてある。第１嵌合部材（９）（９Ａ）の長手方向（矢印Ｘ）にて、雌部（５）（５Ａ）である第１嵌合部材（９）（９Ａ）に、雄部（３）（３Ａ）である第２嵌合部材（１０）（１０Ａ）を挿入して嵌合して組立ててある。ただし、第１嵌合部材（９）（９Ａ）の長手方向（矢印Ｘ）と直交する方向、つまり、第１嵌合部材（９）（９Ａ）の短手方向（矢印Ｗ）にて、雄部（３）（３Ａ）と雌部（５）（５Ａ）とを対向して押圧させて、爪部（４）（４Ｃ）（４Ａ）（４Ｂ）が弾性変形しても、爪部（４）（４Ｃ）、（４Ａ）（４Ｂ）間を鍔部（２）（２Ｃ）、（２Ａ）（２Ｂ）が通過することは、主に材料の硬度等の原因により難しい。よって、第１嵌合部材（９）（９Ａ）の短手方向（矢印Ｗ）にて、爪部（４）（４Ｃ）、（４Ａ）（４Ｂ）間に鍔部（２）（２Ｃ）、（２Ａ）（２Ｂ）は挿入できず、雄部（３）（３Ａ）と雌部（５）（５Ａ）とは嵌合しない。雄部（３）（３Ａ）と雌部（５）（５Ａ）とは嵌合しないので、第１嵌合部材（９）（９Ａ）の短手方向（矢印Ｗ）にて、雄部（３）（３Ａ）と雌部（５）（５Ａ）とを対向して押圧させても、開口部（６）を誤って閉じてしまうことはない（効果１１−１）。また、同様に、第１嵌合部材（９）（９Ａ）の短手方向（矢印Ｗ）にて、嵌合した雄部（３）（３Ａ）と雌部（５）（５Ａ）とを引っ張って、引き離そうとしても難しく、引き離されることはない。よって、第１嵌合部材（９）（９Ａ）の短手方向（矢印Ｗ）にて、雄部（３）（３Ａ）と雌部（５）（５Ａ）とが嵌合状態から不意に解除することはない（効果１１−２）。
【００２２】
また、実施例１（１）は、図１〜２、３０〜３２、３６〜３７、４０〜４１にて、次のようにしてある。なお、実施例１（１）では、図３０〜３２は、図１の面（Ｍ４）（Ｎ４）（Ｏ４）（Ｐ４）を（矢印Ｙ）から見た部分拡大断面図を描いてある。また、図３６〜３７は、第１嵌合部材と嵌合する第２嵌合部材の上からの部分拡大断面図を描いてある。なお、図３７は、図３２の線ＱＲにて上方向（矢印Ｉ）から見た図である。図３７は、図３６にて、開口部が閉口する方向（矢印Ｙ）に第２嵌合部材を摺動させた図である。以下、実施例１（１）について説明する。第１ストッパー（３３）（３３Ａ）を設けてある。第１ストッパー（３３）（３３Ａ）は、該第１突出部（３４）（３４Ａ）と該第２突出部（３５）（３５Ａ）により形成される。該第１嵌合部材（９）（９Ａ）に第１突出部（３４）（３４Ａ）を設けてある。図４０にて、例えば、該第１突出部（３４）は、第１嵌合部材（９）の円弧（Ｊ）から円弧（Ｈ）までの面で形成してある。該第２嵌合部材（１０）（１０Ａ）に第２突出部（３５）（３５Ａ）を設けてある。同様に、例えば、該第２突出部（３５）は、第２嵌合部材（１０）の円弧（Ｊ）から円弧（Ｋ）までの面で形成してある。第１ストッパー（３３）（３３Ａ）を配置する箇所は、図１の面（Ｍ４）（Ｎ４）（Ｏ４）（Ｐ４）の位置としてある。図４１にて、合成樹脂製袋体（１）の手前側（４６）の端部（３９）に第１突出部（３４）（３４Ａ）を配置してある。第１嵌合部材（９）（９Ａ）の端部（３９）に第１突出部（３４）（３４Ａ）を配置してある。図４１にて、スライダー（１１）の手前側（５９）の端部（４０）に第２突出部（３５）（３５Ａ）を配置してある。第２嵌合部材（１０）（１０Ａ）の端部（４０）に第２突出部（３５）（３５Ａ）を配置してある。次に、作用等について記す。開口している開口部（６）にて、開口部（６）が閉口する方向（矢印Ｙ）にスライダー（１１）を摺動して該開口部（６）が閉口した場合に、第１ストッパー（３３）（３３Ａ）が当接することにより、開口部（６）が閉口状態を保持する。つまり、開口部（６）が閉口する方向（矢印Ｙ）にスライダー（１１）を摺動し、第１突出部（３４）（３４Ａ）と第２突出部（３５）（３５Ａ）とが当接する箇所まで摺動し続けると、第１突出部（３４）（３４Ａ）と第２突出部（３５）（３５Ａ）とが当接する。詳細には、開口部（６）が閉口する方向（矢印Ｙ）にスライダー（１１）を摺動し、図３６にて、第１突出部（３４）（３４Ａ）と第２突出部（３５）（３５Ａ）とが当接する箇所まで摺動し続けると、第１突出部（３４）（３４Ａ）の手前側の面（５３）（５３Ａ）と第２突出部（３５）（３５Ａ）の奥側の面（５４）（５４Ａ）とが当接する。例えば、第１突出部（３４）と第２突出部（３５）とが当接する面は、図４０にて、円弧（Ｊ）から円弧（Ｋ）までとなる。さらに、そのまま、開口部（６）が閉口する方向（矢印Ｙ）にスライダー（１１）を摺動し続けると、第１突出部（３４）（３４Ａ）と第２突出部（３５）（３５Ａ）とが当接する面積は大きくないので、図３７にて、僅かな力で、第２突出部（３５）（３５Ａ）が第１突出部（３４）（３４Ａ）を跳び越えて、開口部（６）が閉口する。跳び越えたあと、第１突出部（３４）（３４Ａ）の奥側の面（５５）（５５Ａ）と第２突出部（３５）（３５Ａ）の手前側の面（５６）（５６Ａ）とが当接するので、開口部（６）が閉口状態を保持する。次に、閉口状態を保持している開口部（６）にて、開口部（６）が開口する方向（矢印Ｚ）にスライダー（１１）を摺動すると、第１突出部（３４）（３４Ａ）と第２突出部（３５）（３５Ａ）とが当接していた面積は大きくないので、僅かな力で、第２突出部（３５）（３５Ａ）が第１突出部（３４）（３４Ａ）を跳び越えて、開口部（６）が開口する。
【００２３】
また、実施例１（１）は、図１〜２、３３〜３５、３８〜３９、４０〜４１にて、次のようにしてある。なお、実施例１（１）では、図３３〜３５は、図２の面（Ｍ４Ａ）（Ｎ４Ａ）（Ｏ４Ａ）（Ｐ４Ａ）を（矢印Ｙ）から見た部分拡大断面図を描いてある。また、図３８〜３９は、第１嵌合部材に嵌合する第２嵌合部材の上からの部分拡大断面図を描いてある。また、図３９は、図３５の線ＵＶにて上方向（矢印Ｉ）から見た図である。図３９は、図３８にて、開口部が開口する方向（矢印Ｚ）に第２嵌合部材を摺動させた図である。以下、実施例１（１）について説明する。第２ストッパー（３６）（３６Ａ）を設けてある。第２ストッパー（３６）（３６Ａ）は、該第３突出部（３７）（３７Ａ）と該第４突出部（３８）（３８Ａ）により形成される。該第１嵌合部材（９）（９Ａ）に第３突出部（３７）（３７Ａ）を設けてある。図４０にて、例えば、該第３突出部（３７）は、第１嵌合部材（９）の円弧（Ｊ）から円弧（Ｈ）までの面で形成してある。該第２嵌合部材（１０）（１０Ａ）に第４突出部（３８）（３８Ａ）を設けてある。同様に、該第４突出部（３８）は、第２嵌合部材（１０）の円弧（Ｊ）から円弧（Ｈ）までの面で形成してある。第２ストッパー（３６）（３６Ａ）を配置する箇所は、図２の面（Ｍ４Ａ）（Ｎ４Ａ）（Ｏ４Ａ）（Ｐ４Ａ）の位置としてある。図４１にて、合成樹脂製袋体（１）の手前側（４６）の端部（３９）に第３突出部（３７）（３７Ａ）を配置してある。第１嵌合部材（９）（９Ａ）の端部（３９）に第３突出部（３７）（３７Ａ）を配置してある。図４１にて、スライダー（１１）の奥側（６０）の端部（４１）に第４突出部（３８）（３８Ａ）を配置してある。第２嵌合部材（１０）（１０Ａ）の端部（４１）に第４突出部（３８）（３８Ａ）を配置してある。次に、作用等について記す。該開口部（６）が開口する方向（矢印Ｚ）にスライダー（１１）を摺動した場合に、第２ストッパー（３６）（３６Ａ）が当接することにより、第１嵌合部材（９）（９Ａ）から第２嵌合部材（１０）（１０Ａ）が離脱するのを防止する。つまり、開口部（６）が開口する方向（矢印Ｚ）にスライダー（１１）を摺動し、第３突出部（３７）（３７Ａ）と第４突出部（３８）（３８Ａ）とが当接する箇所まで摺動し続けると、第３突出部（３７）（３７Ａ）と第４突出部（３８）（３８Ａ）とが当接する。詳細には、開口部（６）が開口する方向（矢印Ｚ）にスライダー（１１）を摺動し、図３８、３９にて、第３突出部（３７）（３７Ａ）と第４突出部（３８）（３８Ａ）とが当接する箇所まで摺動し続けると、第３突出部（３７）（３７Ａ）の奥側の面（５７）（５７Ａ）と第４突出部（３８）（３８Ａ）の手前側の面（５８）（５８Ａ）とが当接する。例えば、第３突出部（３７）と第４突出部（３８）とが当接する面は、図４０にて、円弧（Ｊ）から円弧（Ｈ）までとなる。なお、第３突出部（３７）（３７Ａ）と第４突出部（３８）（３８Ａ）とが当接する面積は比較的大きいので、通常の動作であれば、第４突出部（３８）（３８Ａ）が第３突出部（３７）（３７Ａ）を跳び越えることはない。第３突出部（３７）（３７Ａ）と第４突出部（３８）（３８Ａ）とが当接することにより、第１嵌合部材（９）（９Ａ）から第２嵌合部材（１０）（１０Ａ）が離脱するのを防止する。
【００２４】
また、実施例１（１）は、図１、３にて、次のようにしてある。スライダー（１１）に取っ手（４８）を設けてある。取っ手（４８）は、スライダー（１１）の第２嵌合部材（１０）（１０Ａ）の形状をそのまま延長して設けてある。効果としては、次のようになる。スライダー（１１）を摺動させる場合に、手でつかみやすくなり、開口部（６）の開閉が容易となる（効果１２）。取っ手（４８）は、スライダー（１１）の第２嵌合部材（１０）（１０Ａ）の形状をそのまま延長して設けてあるので、加工が容易で製造コストを抑制できる（効果１２−１）。
【００２５】
また、実施例１（１）について、少し補足する。次のようにしてある。開口部（６）の内側（７）の対向する両面（８）（８Ａ）に第１嵌合部材（９）（９Ａ）を各々配置してあるが、開口部（６）に沿うように第１嵌合部材（９）（９Ａ）を各々配置してある。また、次のようにしてある。開口部（６）の内側（７）の対向する両面（８）（８Ａ）に第１嵌合部材（９）（９Ａ）を各々配置してあるが、帯状体に配置してある、あるいは、テープ状に配置してある。また、次のようにしてある。図４１にて、第１嵌合部材（９）（９Ａ）の端部（３９）に第１突出部（３４）（３４Ａ）を配置してあるが、第１嵌合部材（９）（９Ａ）の長手方向（矢印Ｘ）の端部（３９）に配置してある。同様に、第２嵌合部材（１０）（１０Ａ）の端部（４０）に第２突出部（３５）（３５Ａ）を配置してあるが、第２嵌合部材（１０）（１０Ａ）の長手方向（矢印Ｘ）の端部（４０）に配置してある。同様に、第１嵌合部材（９）（９Ａ）の端部（３９）に第３突出部（３７）（３７Ａ）を配置してあるが、第１嵌合部材（９）（９Ａ）の長手方向（矢印Ｘ）の端部（３９）に配置してある。同様に、第２嵌合部材（１０）（１０Ａ）の端部（４１）に第４突出部（３８）（３８Ａ）を配置してあるが、第２嵌合部材（１０）（１０Ａ）の長手方向（矢印Ｘ）の端部（４１）に配置してある。
【００２６】
次に、実施例１（１）の効果を記す。効果を記すのについて、以下に、各効果と、各効果に対応する各課題もあわせて記載してある。課題と効果の番号は各々対応して記載してある。課題に付した番号については、（発明が解決しようとする課題）の項で記載した番号と同一としてあり、例えば、（発明が解決しようとする課題）の項の（課題１）に対応する効果は（効果１）というようにしてある。以下、記す。一般に、市販の汎用のチャック式の袋は、嵌合して閉じた袋の開口部を開こうとする場合、チャック背面を両手の指で掴んで引っ張って開くが、両手の指で掴んで引っ張る必要があるので、手間を要するという問題がある。また、その際、引っ張る力により、チャック周辺の袋部が裂けてしまうことがあるという問題がある（課題１）。第１の効果としては次のようになる。本発明は、前記問題を解消し、片手でスライダー（１１）を掴んで、スライダー（１１）を摺動させることにより開口部（６）が開くので、引っ張る必要がなく、よって、嵌合して閉じた袋の開口部を開こうとする場合に手間が少ない。また、引っ張る必要がないため、袋部が裂けてしまうことがない。また、一般に、市販の汎用のチャック式の袋は、袋の開口部を閉じようとする場合、チャック背面を指で押圧して嵌合するが、互いのチャックの位置が合わせにくく、押圧するのにも力を必要とし、袋の開口部を閉じるのに手間を要するという問題がある（課題１）。本発明は、前記問題を解消し、袋の開口部を閉じようとする場合、第１嵌合部材（９）（９Ａ）に各々嵌合する第２嵌合部材（１０）（１０Ａ）を設けたスライダー（１１）によって、すでに先端の一部にて嵌合してあるので、互いのチャックの位置を改めて合わせる必要がなく、よって、押圧して嵌合する必要もない。また、スライダー（１１）を摺動させることにより開口部（６）が閉じるので、力がなくても閉じることができ、袋の開口部を閉じる手間が少なくて済む（効果１）。また、前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部（３）（３Ａ）と雌部（５）（５Ａ）とを嵌合した場合に、雌部（５）（５Ａ）を雄部（３）（３Ａ）が押圧、または、雄部（３）（３Ａ）を雌部（５）（５Ａ）が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、前記従来例の特許文献４については、密封性は高く、低コストを追求しているものの、形状としては従来型のスライダー付きを踏襲しているので、材料の単価も低くなく、製造工程も複雑であり、製作コストの低廉化に限度があるという問題がある（課題６）。第６の効果としては次のようになる。本発明は、前記問題を解消し、材料の単価を抑え、製造工程も比較的複雑でなく、製作コストの低廉化が可能なスライダー付き合成樹脂製袋体である（効果６）。また、特許文献４については、従来型のスライダー付きを踏襲しているので、スライダーの厚み、スライダーの重量が少なくないという問題がある（課題７）。第７の効果としては次のようになる。本発明は、前記問題を解消し、スライダーの厚み、スライダーの重量を比較的少なくできる（効果７）。また、特許文献４については、従来型のスライダー付きを踏襲しているので、袋の開閉状態の視認性は決して低くはないが高いともいえない（課題８）。第８の効果としては次のようになる。本発明は、前記問題を解消し、開口部（６）が開いている場合は、スライダー（１１）が袋より外側に出ており、また、開口部（６）が閉じている場合は、スライダー（１１）が袋より内側に入っているので、袋体の開口部の開閉状態がとてもわかりやすく、開口部の開閉状態の視認性が高い（効果８）。また、第９の効果としては次のようになる。開口部（６）が閉口する方向（矢印Ｙ）にスライダー（１１）を摺動して該開口部（６）が閉口した場合に、第１突出部（３４）（３４Ａ）と第２突出部（３５）（３５Ａ）とにより構成される第１ストッパー（３３）（３３Ａ）が当接することにより、開口部（６）が閉口状態を保持するため、開口部（６）が不意に開いてしまうということがない。また、開口部（６）が閉口状態を保持するため、密閉性の確保ができやすい（効果９）。また、第１０の効果としては次のようになる。開口部（６）が開口する方向（矢印Ｚ）にスライダー（１１）を摺動した場合に、第３突出部（３７）（３７Ａ）と第４突出部（３８）（３８Ａ）とにより構成される第２ストッパー（３６）（３６Ａ）が当接することにより（開口部が開口しきった状態にて）、第１嵌合部材（９）（９Ａ）から第２嵌合部材（１０）（１０Ａ）が離脱するのを防止できる。スライダー（１１）が袋体から離脱するのを防止できる（効果１０）。また、第１１、１１−１、１１−２、１２、１２−１の効果については、前段で既に記載済みで重複するが再掲する。第１１の効果としては次のようになる。接触、押圧する面を一部として、隙間を設けることにより、第１嵌合部材（９）（９Ａ）の長手方向（矢印Ｘ）に該スライダー（１１）を摺動する場合の抵抗を軽減することができ、該開口部（６）が開閉するのに力を必要とせずに容易になる（効果１１）。第１１−１の効果としては次のようになる。雄部（３）（３Ａ）と雌部（５）（５Ａ）とは嵌合しないので、第１嵌合部材（９）（９Ａ）の短手方向（矢印Ｗ）にて、雄部（３）（３Ａ）と雌部（５）（５Ａ）とを対向して押圧させても、開口部（６）を誤って閉じてしまうことはない（効果１１−１）。また、第１１−２の効果としては次のようになる。第１嵌合部材（９）（９Ａ）の短手方向（矢印Ｗ）にて、嵌合した雄部（３）（３Ａ）と雌部（５）（５Ａ）とを引っ張って、引き離そうとしても難しく、引き離されることはないので、第１嵌合部材（９）（９Ａ）の短手方向（矢印Ｗ）にて、雄部（３）（３Ａ）と雌部（５）（５Ａ）とを嵌合状態から不意に解除することはない（効果１１−２）。また、第１２の効果としては次のようになる。スライダー（１１）に取っ手（４８）を設けてあるので、スライダー（１１）を摺動させる場合に、手でつかみやすくなり、開口部（６）の開閉が容易となる（効果１２）。また、第１２−１の効果としては次のようになる。取っ手（４８）は、スライダー（１１）の第２嵌合部材（１０）（１０Ａ）の形状をそのまま延長して設けてあるので、加工が容易で製造コストを抑制できる（効果１２−１）。また、第１３、第１３ａ、第１３ｂの効果としては次のようになる。第１突出部（３４）（３４Ａ）を第１嵌合部材（９）（９Ａ）に設けてあるので、強度的には高い（効果１３）。同様に、第２突出部（３５）（３５Ａ）を第２嵌合部材（１０）（１０Ａ）に設けてあるので、強度的には高い（効果１３ａ）。また、第１突出部（３４）（３４Ａ）、第２突出部（３５）（３５Ａ）を各々、第１嵌合部材（９）（９Ａ）、第２嵌合部材（１０）（１０Ａ）の断面中央に設けてあるので、強度的には高い（効果１３ｂ）。また、第１３−１、第１３−１ａ、第１３−１ｂの効果としては次のようになる。同様に、第３突出部（３７）（３７Ａ）を第１嵌合部材（９）（９Ａ）に設けてあるので、強度的には高い（効果１３−１）。第４突出部（３８）（３８Ａ）を第２嵌合部材（１０）（１０Ａ）に設けてあるので、強度的には高い（効果１３−１ａ）。また、第３突出部（３７）（３７Ａ）、第４突出部（３８）（３８Ａ）を各々、第１嵌合部材（９）（９Ａ）、第２嵌合部材（１０）（１０Ａ）の断面中央に設けてあるので、強度的には高い（効果１３−１ｂ）。また、第１３−２、第１３−２ａの効果としては次のようになる。第１突出部（３４）（３４Ａ）を第１嵌合部材（９）（９Ａ）に設けてあるので、別々に設ける場合に比較して、重複あるいは共用する部分を削減することができ、第１突出部（３４）（３４Ａ）自体の断面積が少なくて済む。また、第１突出部（３４）（３４Ａ）と第１嵌合部材（９）（９Ａ）とを同時に加工ができるので、製造コストを低減することができる（効果１３−２）。第２突出部（３５）（３５Ａ）を第２嵌合部材（１０）（１０Ａ）に設けてあるので、別々に設ける場合に比較して、重複あるいは共用する部分を削減することができ、第２突出部（３５）（３５Ａ）自体の断面積が少なくて済む。また、第２突出部（３５）（３５Ａ）と第２嵌合部材（１０）（１０Ａ）とを同時に加工ができるので、製造コストを低減することができる（効果１３−２ａ）。また、第１３−３、１３−３ａの効果としては次のようになる。同様に、第３突出部（３７）（３７Ａ）を第１嵌合部材（９）（９Ａ）に設けてあるので、別々に設ける場合に比較して、重複あるいは共用する部分を削減することができ、第３突出部（３７）（３７Ａ）自体の断面積が少なくて済む。また、第３突出部（３７）（３７Ａ）と第１嵌合部材（９）（９Ａ）とを同時に加工ができるので、製造コストを低減することができる（効果１３−３）。第４突出部（３８）（３８Ａ）を第２嵌合部材（１０）（１０Ａ）に設けてあるので、別々に設ける場合に比較して、重複あるいは共用する部分を削減することができ、第４突出部（３８）（３８Ａ）自体の断面積が少なくて済む。また、第４突出部（３８）（３８Ａ）と第２嵌合部材（１０）（１０Ａ）とを同時に加工ができるので、製造コストを低減することができる（効果１３−３ａ）。また、第１３−４の効果としては次のようになる。雌部（５）（５Ａ）である第１嵌合部材（９）（９Ａ）を配し、雄部（３）（３Ａ）である第２嵌合部材（１０）（１０Ａ）を配してあるので、第１嵌合部材に雄部を配し、第２嵌合部材に雌部配する場合に比べて、スライダー（１１）の容積が低減して軽量化できるので、
袋の開閉を比較的容易にできる。（効果１３−４）。以上のような顕著な効果を本発明は達成する。本発明を当業者が容易になし得るものではないと確信する。
【００２７】
次に、実施例１−１（１ｚｍ）について記す。実施例１−１（１ｚｍ）は、図３０〜３２で、実施例１（１）にて、次のようにしてある。第１突出部（３４）（３４Ａ）と第３突出部（３７）（３７Ａ）の役割を第１突出部（３４）（３４Ａ）にすべて負担させて、第３突出部（３７）（３７Ａ）を省略し、第１突出部（３４）（３４Ａ）のみとしている。効果として、第１突出部（３４）（３４Ａ）と第３突出部（３７）（３７Ａ）とを合体し、第１突出部（３４）（３４Ａ）のみとすることにより、材料費、加工費等が軽減される（効果１３−５）。また、同様に次のようにしてもよい。第１突出部（３４）（３４Ａ）と第３突出部（３７）（３７Ａ）の役割を第３突出部（３７）（３７Ａ）にすべて負担させて、第１突出部（３４）（３４Ａ）を省略し、第３突出部（３７）（３７Ａ）のみとする。以下に、第３突出部（３７）（３７Ａ）を省略し、第１突出部（３４）（３４Ａ）のみとすることの詳細について、説明する。なお、第１ストッパー（３３）（３３Ａ）は実施例１（１）と同様にしてある。第１嵌合部材（９ｚｍ）（９Ａｚｍ）に第１突出部（３４）（３４Ａ）を設けてある。該第２嵌合部材（１０）（１０Ａ）に第２突出部（３５）（３５Ａ）を設けてある。第１ストッパー（３３）（３３Ａ）は、該第１突出部（３４）（３４Ａ）と該第２突出部（３５）（３５Ａ）により形成される。第２ストッパー（３６ｚｍ）（３６Ａｚｍ）を設けてある。この場合、第２ストッパー（３６ｚｍ）（３６Ａｚｍ）は、該第１突出部（３４）（３４Ａ）と該第４突出部（３８）（３８Ａ）により形成される。該第２嵌合部材（１０）（１０Ａ）に第４突出部（３８）（３８Ａ）を設けてある。該開口部（６）が開口する方向（矢印Ｚ）にスライダー（１１）を摺動した場合に、第２ストッパー（３６ｚｍ）（３６Ａｚｍ）が当接することにより、第１嵌合部材（９ｚｍ）（９Ａｚｍ）から第２嵌合部材（１０）（１０Ａ）が離脱するのを防止する。つまり、該開口部（６）が開口する方向（矢印Ｚ）にスライダー（１１）を摺動し、第１突出部（３４）（３４Ａ）と第４突出部（３８）（３８Ａ）とが当接する箇所まで摺動し続けると、第１突出部（３４）（３４Ａ）と第４突出部（３８）（３８Ａ）とが当接する。第１突出部（３４）（３４Ａ）と第４突出部（３８）（３８Ａ）とが当接することにより、第１嵌合部材（９ｚｍ）（９Ａｚｍ）から第２嵌合部材（１０）（１０Ａ）が離脱するのを防止する。
【００２８】
次に、実施例１−２（１ｗ）について、図１〜２、４０〜４４に記す。実施例１−２（１ｗ）では、図４２〜４４は、図１の面（Ｍ２）（Ｎ２）（Ｏ２）（Ｐ２）を（矢印Ｙ）から見た部分拡大断面図を描いてある。なお、実施例１−２（１ｗ）の第１ストッパー（３３ｗ）（３３Ａｗ）である第１突出部（３４ｗ）（３４Ａｗ）と第２突出部（３５ｗ）（３５Ａｗ）は、実施例１（１）の第１ストッパー（３３）（３３ｗ）である第１突出部（３４）（３４Ａ）と第２突出部（３５）（３５Ａ）と同様にしてあるが、配置する位置および面積が相違する。以下、実施例１−２（１ｗ）について説明する。第１ストッパー（３３ｗ）（３３Ａｗ）を設けてある。第１ストッパー（３３ｗ）（３３Ａｗ）は、該第１突出部（３４ｗ）（３４Ａｗ）と該第２突出部（３５ｗ）（３５Ａｗ）により形成される。第１嵌合部材（９ｗ）（９Ａｗ）に第１突出部（３４ｗ）（３４Ａｗ）を設けてある。図４０にて、例えば、第１突出部（３４ｗ）は、第１嵌合部材（９ｗ）の円弧（Ｌ）から円弧（Ｈ）までの面で形成してある。第２嵌合部材（１０ｗ）（１０Ａｗ）に第２突出部（３５ｗ）（３５Ａｗ）を設けてある。同様に、例えば、第２突出部（３５ｗ）は、第２嵌合部材（１０ｗ）の円弧（Ｊ）から円弧（Ｈ）までの面で形成してある。第１ストッパー（３３ｗ）（３３Ａｗ）を配置する箇所は、図１の面（Ｍ２）（Ｎ２）（Ｏ２）（Ｐ２）の位置としてある。図４１にて、合成樹脂製袋体（１ｗ）の奥側（４５）の端部（４３）に第１突出部（３４ｗ）（３４Ａｗ）を配置してある。第１嵌合部材（９ｗ）（９Ａｗ）の端部（４３）に第１突出部（３４ｗ）（３４Ａｗ）を配置してある。図４１にて、スライダー（１１ｗ）の奥側（６０）の端部（４１）に第２突出部（３５ｗ）（３５Ａｗ）を配置してある。第２嵌合部材（１０ｗ）（１０Ａｗ）の端部（４１）に第２突出部（３５ｗ）（３５Ａｗ）を配置してある。なお、実施例（１）と同様に、図４０にて、第１嵌合部材（９ｗ）は、中間部では、円弧（Ｈ）までの面で形成してある。対応する第２嵌合部材（１０ｗ）は、中間部では、円弧（Ｊ）までの面で形成してある。よって、各々の中間部で、第１嵌合部材（９ｗ）と第２嵌合部材（１０ｗ）とが当接することはない。次に、作用について説明する。開口している開口部（６）にて、開口部（６）が閉口する方向（矢印Ｙ）にスライダー（１１ｗ）を摺動して該開口部（６）が閉口した場合に、第１ストッパー（３３ｗ）（３３Ａｗ）が当接することにより、開口部（６）が閉口状態を保持する。つまり、開口部（６）が閉口する方向（矢印Ｙ）にスライダー（１１ｗ）を摺動し、第１突出部（３４ｗ）（３４Ａｗ）と第２突出部（３５ｗ）（３５Ａｗ）とが当接する箇所まで摺動し続けると、第１突出部（３４ｗ）（３４Ａｗ）と第２突出部（３５ｗ）（３５Ａｗ）とが当接する。詳細には、実施例１（１）と同様に、開口部（６）が閉口する方向（矢印Ｙ）にスライダー（１１ｗ）を摺動し、第１突出部（３４ｗ）（３４Ａｗ）と第２突出部（３５ｗ）（３５Ａｗ）とが当接する箇所まで摺動し続けると、第１突出部（３４ｗ）（３４Ａｗ）の手前側の面と第２突出部（３５ｗ）（３５Ａｗ）の奥側の面とが当接する。例えば、第１突出部（３４ｗ）と第２突出部（３５ｗ）とが当接する面は、円弧（Ｌ）から円弧（Ｈ）までとなる。さらに、そのまま、開口部（６）が閉口する方向（矢印Ｙ）にスライダー（１１ｗ）を摺動し続けると、第１突出部（３４ｗ）（３４Ａｗ）と第２突出部（３５ｗ）（３５Ａｗ）とが当接する面積は大きくないので、僅かな力で、第２突出部（３５ｗ）（３５Ａｗ）が第１突出部（３４ｗ）（３４Ａｗ）を跳び越えて、開口部（６）が閉口する。跳び越えたあと、第１突出部（３４ｗ）（３４Ａｗ）の奥側の面と第２突出部（３５ｗ）（３５Ａｗ）の手前側の面とが当接しているので、開口部（６）が閉口状態を保持する。次に、閉口状態を保持している開口部（６）にて、開口部（６）が開口する方向（矢印Ｚ）にスライダー（１１ｗ）を摺動し続けると、第１突出部（３４ｗ）（３４Ａｗ）と第２突出部（３５ｗ）（３５Ａｗ）とが当接する面積は大きくないので、僅かな力で、第２突出部（３５ｗ）（３５Ａｗ）が第１突出部（３４ｗ）（３４Ａｗ）を跳び越えて、開口部（６）が開口する。
【００２９】
また、実施例１−２（１ｗ）は、図１〜２、３３〜３５、３８〜３９、４０〜４１にて、次のようにしてある。なお、実施例１−２（１ｗ）では、図３３〜３５は、図２の面（Ｍ４Ａ）（Ｎ４Ａ）（Ｏ４Ａ）（Ｐ４Ａ）を（矢印Ｙ）から見た部分拡大断面図を描いてある。なお、実施例１−２（１ｗ）の第２ストッパー（３６）（３６Ａ）である第３突出部（３７）（３７Ａ）と第４突出部（３８）（３８Ａ）は、実施例１（１）と同様にしてあり、配置する位置も面積も同様としてある。実施例１−２（１ｗ）について説明する。第２ストッパー（３６）（３６Ａ）を設けてある。第２ストッパー（３６）（３６Ａ）は、該第３突出部（３７）（３７Ａ）と該第４突出部（３８）（３８Ａ）により形成される。該第１嵌合部材（９ｗ）（９Ａｗ）に第３突出部（３７）（３７Ａ）を設けてある。図４０にて、例えば、第３突出部（３７）は、第１嵌合部材（９ｗ）の円弧（Ｊ）から円弧（Ｈ）までの面で形成してある。該第２嵌合部材（１０ｗ）（１０Ａｗ）に第４突出部（３８）（３８Ａ）を設けてある。同様に、例えば、第４突出部（３８）は、第２嵌合部材（１０Ｗ）の円弧（Ｊ）から円弧（Ｈ）までの面で形成してある。第２ストッパー（３６）（３６Ａ）を配置する箇所は、図２の面面（Ｍ４Ａ）（Ｎ４Ａ）（Ｏ４Ａ）（Ｐ４Ａ）の位置としてある。図４１にて、合成樹脂製袋体（１ｗ）の手前側（４６）の端部（３９）に第３突出部（３７）（３７Ａ）を配置してある。第１嵌合部材（９ｗ）（９Ａｗ）の端部（３９）に第３突出部（３７）（３７Ａ）を配置してある。図４１にて、スライダー（１１ｗ）の奥側（６０）の端部（４１）に第４突出部（３８）（３８Ａ）を配置してある。第２嵌合部材（１０ｗ）（１０Ａｗ）の端部（４１）に第４突出部（３８）（３８Ａ）を配置してある。次に、作用等について記す。開口部（６）が開口する方向（矢印Ｚ）にスライダー（１１ｗ）を摺動した場合に、第２ストッパー（３６）（３６Ａ）が当接することにより、第１嵌合部材（９ｗ）（９Ａｗ）から第２嵌合部材（１０ｗ）（１０Ａｗ）が離脱するのを防止する。つまり、開口部（６）が開口する方向（矢印Ｚ）にスライダー（１１ｗ）を摺動し、第３突出部（３７）（３７Ａ）と第４突出部（３８）（３８Ａ）とが当接する箇所まで摺動し続けると、第３突出部（３７）（３７Ａ）と第４突出部（３８）（３８Ａ）とが当接する。詳細には、図３８〜３９にて、開口部（６）が開口する方向（矢印Ｚ）にスライダー（１１ｗ）を摺動し、第３突出部（３７）（３７Ａ）と第４突出部（３８）（３８Ａ）とが当接する箇所まで摺動し続けると、第３突出部（３７）（３７Ａ）の奥側の面（５７）（５７Ａ）と第４突出部（３８）（３８Ａ）の手前側の面（５８）（５８Ａ）とが当接する。例えば、第３突出部（３７）と第４突出部（３８）とが当接する面は、図４０にて、円弧（Ｊ）から円弧（Ｈ）までとなる。なお、第３突出部（３７）（３７Ａ）と第４突出部（３８）（３８Ａ）とが当接する面積は比較的大きいので、通常の動作であれば、第４突出部（３８）（３８Ａ）が第３突出部（３７）（３７Ａ）を跳び越えることはない。第３突出部（３７）（３７Ａ）と第４突出部（３８）（３８Ａ）とが当接することにより、第１嵌合部材（９ｗ）（９Ａｗ）から第２嵌合部材（１０ｗ）（１０Ａｗ）が離脱するのを防止する。
【００３０】
また、実施例１−２（１ｗ）は、次のようにしてある。図４１にて、第１嵌合部材（９ｗ）（９Ａｗ）の端部（４３）に第１突出部（３４ｗ）（３４Ａｗ）を配置してあるが、第１嵌合部材（９ｗ）（９Ａｗ）の長手方向（矢印Ｘ）の端部（４３）に配置してある。同様に、第２嵌合部材（１０ｗ）（１０Ａｗ）の端部（４１）に第２突出部（３５ｗ）（３５Ａｗ）を配置してあるが、第２嵌合部材（１０ｗ）（１０Ａｗ）の長手方向（矢印Ｘ）の端部（４１）に配置してある。同様に、第１嵌合部材（９ｗ）（９Ａｗ）の端部（３９）に第３突出部（３７）（３７Ａ）を配置してあるが、第１嵌合部材（９ｗ）（９Ａｗ）の長手方向（矢印Ｘ）の端部（３９）に配置してある。同様に、第２嵌合部材（１０ｗ）（１０Ａｗ）の端部（４１）に第４突出部（３８）（３８Ａ）を配置してあるが、第２嵌合部材（１０ｗ）（１０Ａｗ）の長手方向（矢印Ｘ）の端部（４１）に配置してある。実施例１−２（１ｗ）の効果は、実施例１（１）と同程度である。
【００３１】
次に、実施例１−３（１ｚｐ）について記す。実施例１−３（１ｚｐ）は、図４２〜４４で、実施例１−２（１ｗ）にて、次のようにしてある。第２突出部（３５ｗ）（３５Ａｗ）と第４突出部（３８）（３８Ａ）の役割を第２突出部（３５ｗ）（３５Ａｗ）にすべて負担させて、第４突出部（３８）（３８Ａ）を省略し、第２突出部（３５ｗ）（３５Ａｗ）のみとしている。効果として、第２突出部（３５ｗ）（３５Ａｗ）と第４突出部（３８）（３８Ａ）とを合体し、第２突出部（３５ｗ）（３５Ａｗ）のみとすることにより、材料費、加工費等が軽減される（効果１３−６）。また、同様に次のようにしてもよい。第２突出部（３５ｗ）（３５Ａｗ）と第４突出部（３８）（３８Ａ）の役割を第４突出部（３８）（３８Ａ）にすべて負担させて、第２突出部（３５ｗ）（３５Ａｗ）を省略し、第４突出部（３８）（３８Ａ）のみとする。以下に、第４突出部（３８）（３８Ａ）を省略し、第２突出部（３５ｗ）（３５Ａｗ）のみとすることの詳細について、次に補足しておく。第１ストッパー（３３ｗ）（３３Ａｗ）は、実施例１−２（１ｗ）と同様にしてある。第１ストッパー（３３ｗ）（３３Ａｗ）を設けてある。第１ストッパー（３３ｗ）（３３Ａｗ）は、該第１突出部（３４ｗ）（３４Ａｗ）と該第２突出部（３５ｗ）（３５Ａｗ）により形成される。第１嵌合部材（９ｗ）（９Ａｗ）に第１突出部（３４ｗ）（３４Ａｗ）を設けてある。第２嵌合部材（１０ｚｐ）（１０Ａｚｐ）に第２突出部（３５ｗ）（３５Ａｗ）を設けてある。第２ストッパー（３６ｚｐ）（３６Ａｚｐ）を設けてある。第２ストッパー（３６ｚｐ）（３６Ａｚｐ）は、該第３突出部（３７）（３７Ａ）と該第２突出部（３５ｗ）（３５Ａｗ）により形成される。該第１嵌合部材（９ｗ）（９Ａｗ）に第３突出部（３７）（３７Ａ）を設けてある。該開口部（６）が開口する方向（矢印Ｚ）にスライダー（１１ｚｐ）を摺動した場合に、第２ストッパー（３６ｚｐ）（３６Ａｚｐ）が当接することにより、第１嵌合部材（９ｗ）（９Ａｗ）から第２嵌合部材（１０ｚｐ）（１０Ａｚｐ）が離脱するのを防止する。つまり、該開口部（６）が開口する方向（矢印Ｚ）にスライダー（１１ｚｐ）を摺動し、第３突出部（３７）（３７Ａ）と第２突出部（３５ｗ）（３５Ａｗ）とが当接する箇所まで摺動し続けると、第３突出部（３７）（３７Ａ）と第２突出部（３５ｗ）（３５Ａｗ）とが当接する。第３突出部（３７）（３７Ａ）と第２突出部（３５ｗ）（３５Ａｗ）とが当接することにより、第１嵌合部材（９ｗ）（９Ａｗ）から第２嵌合部材（１０ｚｐ）（１０Ａｚｐ）が離脱するのを防止する。なお、実施例１−３（１ｚｐ）の効果については、実施例１−１（１ｚｍ）と同程度である。
【００３２】
以下、実施例１における、雄部と雌部の他の形態について、実施例２〜１９にて記載する。なお、押圧の状態については、基本的には実施例１と同様としてある。各図について、一部説明する。各図中にて、記載している波線等は省略部分を表す。図９〜２９は、実施例２〜１９の、第１嵌合部材に嵌合する第２嵌合部材の片側部分等で、図１にて、第１嵌合部材（９）（９Ａ）の長手方向（矢印Ｘ）にて、（矢印Ｙ）から見た、面（Ｍ３）（Ｎ３）（Ｏ３）（Ｐ３）の部分拡大断面図である。また、図１５〜１７、２５〜２６にて、断面略Ｃ字状の内面の高さ（２７）（２７ｓ）（２７ｔ）、頭部の高さ（２８）（２８ｎ）（２８ｓ）（２８ｔ）、断面略Ｃ字状の内面の幅（２９）（２９ｓ）（２９ｔ）、頭部の幅（３０）（３０ｎ）（３０ｓ）（３０ｔ）について、表示する関係から一部、点線を使用して表記してある。同図にて、断面略Ｃ字状の内面の高さと頭部の高さとの差、断面略Ｃ字状の内面の幅と頭部の幅との差が各々僅かな場合もあることから、特に区分けせずに表記している箇所がある。図２５にて、図中の形状で、点線で表示してある部分（ただし、図の寸法を表示するための案内の線は除く）が雄部と雌部との嵌合前の雄部、実線で表示してある部分が雄部と雌部との嵌合後の雄部を示している。図２６にて、図中の形状で、点線で表示してある部分（ただし、図の寸法を表示するための案内の線は除く）が雄部と雌部との嵌合前の雌部、実線で表示してある部分が雄部と雌部との嵌合後の雌部を示している。また、雌部は、実施例２〜６、１３〜１６にて同じ形状として、また、実施例７、９、１１、１８、１９にて同じ形状として、また、実施例８、１０、１２、１７にて同じ形状としてある。また、雄部は、実施例７、８にて同じ形状として、また、実施例９、１０にて同じ形状として、また、実施例１１、１２にて同じ形状としてある。
【００３３】
次に、実施例２（１ａ）について、図９〜１０にて記す。鍔部（２ａ）（２Ｃａ）を有する雄部（３ａ）を設けてある。頭部（１４ａ）を有する雄部（３ａ）としてある。鍔部（２ａ）（２Ｃａ）は頭部（１４ａ）に含まれている。頭部（１４ａ）は、断面楕円状としてある。また、爪部（４ａ）（４Ｃａ）を有する雌部（５ａ）を設けてある。両先端（１５ａ）（１５Ｃａ）に爪部（４ａ）（４Ｃａ）を有する断面略方形状（２３）の雌部（５ａ）としてある。あるいは、両先端（１５ａ）（１５Ｃａ）に爪部（４ａ）（４Ｃａ）を有する断面略コ字状（１７）の雌部（５ａ）としてある。該雄部（３ａ）と嵌合する該雌部（５ａ）を設けてある。第１嵌合部材と第２嵌合部材とを嵌合した場合に、つまり、該雄部（３ａ）と該雌部（５ａ）とを嵌合した場合に、該雌部（５ａ）を該雄部（３ａ）が押圧する。または、該雄部（３ａ）と該雌部（５ａ）とを嵌合した場合に、該雄部（３ａ）を該雌部（５ａ）が押圧する。押圧することで密閉性を有する。雄部（３ａ）と雌部（５ａ）とを嵌合した場合に、雄部（３ａ）および雌部（５ａ）に接触面（１２ａ）（１２Ａａ）（１２Ｂａ）が生じるように、寸法、材質、形状等にて、雄部（３ａ）と雌部（５ａ）の差異等により設けてある。接触面（１２ａ）（１２Ａａ）（１２Ｂａ）は片側で３箇所としてある。また、雄部（３ａ）および雌部（５ａ）の表面に対して、接触、押圧する面は一部としてある。それ以外の面は非接触面（１３ａ）（１３Ａａ）（１３Ｂａ）（１３Ｃａ）としてあり、隙間を設けてある。また、実施例１と同様に次のようにしてある。第１嵌合部材の長手方向にて、雌部（５ａ）である第１嵌合部材に、雄部（３ａ）である第２嵌合部材を挿入して嵌合して組立てる。第１嵌合部材の短手方向にて、雄部（３ａ）と雌部（５ａ）とを対向して押圧させても、雄部（３ａ）と雌部（５ａ）とは嵌合しない。また、第１嵌合部材の短手方向にて、嵌合した雄部（３ａ）と雌部（５ａ）とを引っ張って引き離そうとしても、引き離されることはなく、嵌合状態から解除できない。
【００３４】
次に、実施例３（１ｂ）について、図１１に記す。実施例３（１ｂ）は、実施例２（１ａ）において、雄部（３ｂ）の頭部（１４ｂ）の中央部（２０）に空洞部（２２）を設けてある。雄部（３ｂ）と雌部（５ａ）とが嵌合して、雄部（３ｂ）を雌部（５ａ）が押圧して、押圧された容積と同じ程度の容積が空洞部（２２）を減少させる。実施例３（１ｂ）の効果としては、実施例１（１）と同程度であるが、効果の追記として次のようなものが挙げられる。空洞部（２２）を設けることにより、該雄部（３ｂ）を該雌部（５ａ）が押圧する際に押圧が容易となる。また、空洞部（２２）を設けることにより、第１嵌合部材の長手方向にスライダーを摺動する場合の抵抗を軽減することができ、開口部が開閉する場合の力を少なくできて開閉が容易になる（効果１４）。
【００３５】
次に、実施例４（１ｃ）について、図１２に記す。実施例４（１ｃ）は、実施例３（１ｂ）において、雄部（３ｃ）の頭部（１４ｃ）の半面にて断面略方形状（２３Ｂｃ）としてある。効果の追記として、実施例３（１ｂ）に比較して、密閉性が向上する（効果１５）。
【００３６】
次に、実施例５（１ｄ）について、図１３に記す。実施例５（１ｄ）は、実施例２（１ａ）において、一部変更してある。雄部（３ｄ）の頭部（１４ｄ）に突接部（２４）（２４Ａ）を設けた形状とし、突接部（２４）（２４Ａ）間に隙間（２１ｄ）を配置してある。効果の追記として、実施例２（１ａ）に比較して、押圧が容易となり、開口部の開閉が軽減される（効果１６）。
【００３７】
次に、実施例６（１ｅ）について、図１４に記す。実施例６（１ｅ）は、実施例５（１ｄ）において、一部変更してある。雄部（３ｅ）の頭部（１４ｅ）に突接部（２４ｅ）（２４Ａｅ）（２４Ｂｅ）（２４Ｃｅ）を設けた形状とし、突接部（２４ｅ）（２４Ａｅ）、（２４Ｂｅ）（２４Ｃｅ）間に各々隙間（２１ｅ）（２１Ａｅ）を配置してある。つまり、雄部（３ｅ）の頭部（１４ｅ）の両面に設けてある。効果の追記として、実施例５（１ｄ）に比較して、さらに、押圧が容易となり、開口部の開閉が軽減される（効果１７）。なお、実施例５（１ｄ）、実施例６（１ｅ）で設けた突接部は特に限定するものではなく、大きさ、数等および中央、端部等の配置など自由にしてもよい。
【００３８】
次に、実施例７（１ｆ）について、図１５に記す。実施例７（１ｆ）は、断面キノコ形状（２５）とした雄部（３ｆ）としてある。または、断面矢じり形状（２６）とした雄部（３ｆ）としてある。頭部（１４ｆ）を有する雄部（３ｆ）、両先端（１５ｆ）（１５Ｃｆ）に爪部（４ｆ）（４Ｃｆ）を有する断面略Ｃ字状（１６ｆ）の雌部（５ｆ）にて次のようにしてある。該断面略Ｃ字状（１６ｆ）の内面の高さ（２７）に比べて該頭部（１４ｆ）の高さ（２８）が大きい該雄部（３ｆ）と該雌部（５ｆ）とを設けてある。僅かに大きくしてある。よって、雄部（３ｆ）と雌部（５ｆ）とを嵌合した場合に、雄部（３ｆ）および雌部（５ｆ）に接触面（１２ｆ）（１２Ａｆ）（１２Ｂｆ）が生じる。雄部（３ｆ）と雌部（５ｆ）とが接触する。面接触する。面接触した部位にて、雌部（５ｆ）を雄部（３ｆ）が押圧する。または、雄部（３ｆ）を雌部（５ｆ）が押圧する。なお、面接触した部位、つまり、接触面（１２ｆ）（１２Ａｆ）（１２Ｂｆ）は３箇所としてある。また、雄部（３ｆ）および雌部（５ｆ）の表面全体に対して、接触、押圧する面は一部としてある。それ以外の面は非接触面（１３ｆ）（１３Ａｆ）としてあり、隙間（２１ｆ）（２１Ａｆ）を設けてある。効果の追記として、次のようになる。該断面略Ｃ字状（１６ｆ）の内面の高さ（２７）に比べて該頭部（１４ｆ）の高さ（２８）を大きくすることにより、密閉性を有し、高めることができる（効果２ａ）。また、接触、押圧する面を一部として、隙間（２１ｆ）（２１Ａｆ）を設けることにより、第１嵌合部材の長手方向にスライダーを摺動する場合の抵抗を軽減することができ、開口部が開閉するのに力を必要とせずに容易になる（効果１９）。また、実施例１（１）と同様であるが、密閉性の他の効果について記しておく。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、第９の効果としては次のようになる。開口部（６）が閉口する方向（矢印Ｙ）にスライダーを摺動して該開口部（６）が閉口した場合に、第１突出部と第２突出部とにより構成される第１ストッパーが当接することにより、開口部（６）が閉口状態を保持するため、開口部（６）が不意に開いてしまうということがない。また、開口部（６）が閉口状態を保持するため、密閉性の確保ができやすい（効果９）。
【００３９】
実施例８（１ｈ）についても、図１８にて、実施例７（１ｆ）と同様にしてある。なお、雌部（５ｈ）の形状は、雌部（５ｆ）と多少相違する。また、例えば、実施例８（１ｈ）にて、雄部（３ｈ）と雌部（５ｈ）とを嵌合した後、雄部（３ｈ）の微動等により、爪部（４ｈ）（４Ｃｈ）近傍の隙間（２１Ｄｈ）（２１Ｅｈ）のどちらかが大きくなったり、小さくなったりして、接触面（１２Ａｈ）（１２Ｂｈ）の面積の変動によって、密閉性の度合の変化は生じるが限定的である。実施例７（１ｆ）も同様としてある。
【００４０】
次に、実施例９（１ｊ）について、図１６に記す。実施例９（１ｊ）は、断面キノコ形状（２５ｊ）とした雄部（３ｊ）としてある。または、断面矢じり形状（２６ｊ）とした雄部（３ｊ）としてある。雌部（５ｆ）は、実施例７（１ｆ）と同じ形状としてある。頭部（１４ｊ）を有する雄部（３ｊ）、あるいは、該雌部（５ｆ）にて次のようにしてある。該断面略Ｃ字状（１６ｆ）の内面の幅（２９）に比べて該頭部（１４ｊ）の幅（３０）が大きい該雄部（３ｊ）と該雌部（５ｆ）とを設けてある。僅かに大きくしてある。よって、雄部（３ｊ）と雌部（５ｆ）とを嵌合した場合に、雄部（３ｊ）および雌部（５ｆ）に接触面（１２ｊ）（１２Ａｊ）（１２Ｂｊ）（１２Ｃｊ）が生じる。雄部（３ｊ）と雌部（５ｆ）とが接触する。面接触する。面接触した部位にて、雌部（５ｆ）を雄部（３ｊ）が押圧する。または、雄部（３ｊ）を雌部（５ｆ）が押圧する。なお、面接触した部位、つまり、接触面（１２ｊ）（１２Ａｊ）（１２Ｂｊ）（１２Ｃｊ）は４箇所としてある。また、雄部（３ｊ）および雌部（５ｆ）の表面全体に対して、接触、押圧する面は一部としてある。それ以外の面は非接触面（１３ｊ）としてあり、隙間（２１ｊ）を設けてある。効果の追記として、次のようになる。該断面略Ｃ字状（１６ｆ）の内面の幅（２９）に比べて該頭部（１４ｊ）の幅（３０）を大きくすることにより、密閉性を有し、高めることができる（効果２ｂ）。また、接触、押圧する面を一部として、隙間（２１ｊ）を設けることにより、第１嵌合部材の長手方向にスライダーを摺動する場合の抵抗を軽減することができ、開口部が開閉するのに力を必要とせずに容易になる（効果２１）。また、実施例１（１）と同様であるが、密閉性の他の効果について記しておく。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、第９の効果としては次のようになる。開口部（６）が閉口する方向（矢印Ｙ）にスライダーを摺動して該開口部（６）が閉口した場合に、第１突出部と第２突出部とにより構成される第１ストッパーが当接することにより、開口部（６）が閉口状態を保持するため、開口部（６）が不意に開いてしまうということがない。また、開口部（６）が閉口状態を保持するため、密閉性の確保ができやすい（効果９）。
【００４１】
実施例１０（１ｋ）についても、図１９にて、実施例９（１ｊ）と同様にしてある。なお、雌部の形状は、多少相違し、実施例８（１ｈ）と同じ形状としてある。
【００４２】
次に、実施例１１（１ｎ）について、図１７に記す。実施例１１（１ｎ）は、断面キノコ形状（２５ｎ）とした雄部（３ｎ）としてある。または、断面矢じり形状（２６ｎ）とした雄部（３ｎ）としてある。雌部（５ｆ）は、実施例７（１ｆ）と同じ形状としてある。頭部（１４ｎ）を有する雄部（３ｎ）、あるいは、該雌部（５ｆ）にて次のようにしてある。該断面略Ｃ字状（１６ｆ）の内面の高さ（２７）に比べて該頭部（１４ｎ）の高さ（２８ｎ）が大きい該雄部（３ｎ）と該雌部（５ｆ）とを設けてある。僅かに大きくしてある。また、該断面略Ｃ字状（１６ｆ）の内面の幅（２９）に比べて該頭部（１４ｎ）の幅（３０ｎ）が大きい該雄部（３ｎ）と該雌部（５ｆ）とを設けてある。僅かに大きくしてある。よって、雄部（３ｎ）と雌部（５ｆ）とを嵌合した場合に、雄部（３ｎ）および雌部（５ｆ）に接触面（１２ｎ）が生じる。雄部（３ｎ）と雌部（５ｆ）とが接触する。面接触する。面接触した部位にて、雌部（５ｆ）を雄部（３ｎ）が押圧する。または、雄部（３ｎ）を雌部（５ｆ）が押圧する。なお、面接触した部位、つまり、接触面（１２ｎ）は１箇所としてある。効果の追記として、次のようになる。該断面略Ｃ字状（１６ｆ）の内面の高さ（２７）に比べて該頭部（１４ｎ）の高さ（２８ｎ）を大きく（効果２ａ）、また、該断面略Ｃ字状（１６ｆ）の内面の幅（２９）に比べて該頭部（１４ｎ）の幅（３０ｎ）を大きくすることにより、密閉性を有し、高めることができる（効果２ｂ）。
【００４３】
実施例１２（１ｍ）についても、図２０にて、実施例１１（１ｎ）と同様にしてある。なお、雌部の形状は、多少相違し、実施例８（１ｈ）と同じ形状としてある。
【００４４】
次に、実施例１３（１ｐ）について、図２１に記す。実施例１３（１ｐ）は、実施例７（１ｆ）、実施例８（１ｈ）と接触面の形態は同様にしてある。ただし、形状は相違する。雄部（３ｐ）の頭部（１４ｐ）は断面略方形状（２３Ｂｐ）としてある。また、雌部（５ａ）は、実施例２（１ａ）と同じ形状としてある。
【００４５】
次に、実施例１４（１ｑ）について、図２２〜２３に記す。実施例１４（１ｑ）は、実施例１３（１ｐ）と同様にしてある。ただし、雄部（３ｑ）の形状は一部変更してある。実施例１４（１ｑ）は次のようにしてある。雄部（３ｑ）と雌部（５ａ）とを嵌合した後、例えば、図２２にて、袋体の内圧が低圧の場合は、爪部（４Ｃａ）側に雄部（３ｑ）が自重で停止した状態となり、密閉される。図２３にて、ある一定圧力以上の高圧の場合は、爪部（４ａ）側に雄部（３ｑ）が浮き上がった状態となり、袋体の圧力を外へ逃がすようになっている。
【００４６】
次に、実施例１５（１ｒ）について、図２４に記す。実施例１５（１ｒ）は、実施例１１（１ｎ）、実施例１２（１ｍ）と接触面の形態は同様にしてある。ただし、形状は相違する。なお、雄部（３ｒ）の頭部（１４ｒ）は断面略方形状（２３Ｂｒ）としてある。また、雌部（５ａ）は、実施例２（１ａ）と同じ形状としてある。
【００４７】
次に、実施例１６（１ｓ）について、図２５に記す。実施例１６（１ｓ）は、実施例３（１ｂ）と同様にしてあるが、雄部（３ｓ）の大きさは多少大きくしてある。なお、図２５にて、図中の形状で、点線で表示してある部分（ただし、図の寸法を表示するための案内の線は除く）が雄部と雌部との嵌合前の雄部、実線で表示してある部分が雄部と雌部との嵌合後の雄部を示している。雄部（３ｓ）の頭部（１４ｓ）は断面略方形状（２３Ｂｓ）としてある。また、雌部（５ａ）は、実施例３（１ｂ）と同じ形状としてある。雌部（５ａ）も断面略方形状（２３）としてある。該断面略方形状（２３）の内面の高さ（２７ｓ）に比べて該頭部（１４ｓ）の高さ（２８ｓ）が大きい該雄部（３ｓ）と該雌部（５ａ）とを設けてある。該断面略方形状（２３）の内面の幅（２９ｓ）に比べて該頭部（１４ｓ）の幅（３０ｓ）が大きい該雄部（３ｓ）と該雌部（５ａ）とを設けてある。なお、該断面略方形状（２３）の内面の高さ（２７ｓ）と該頭部（１４ｓ）の高さ（２８ｓ）との差、該断面略方形状（２３）の内面の幅（２９ｓ）と該頭部（１４ｓ）の幅（３０ｓ）との差については、実施例３（１ｂ）に比べて大きくなっている。よって、実施例３（１ｂ）に比べて、密閉性をさらに高めることができる（効果２３）。
【００４８】
次に、実施例１７（１ｔ）について、図２６に記す。実施例１７（１ｔ）は、実施例９（１ｊ）、実施例１０（１ｋ）と接触面の形態は同様にしてある。また、図中の形状は、実施例１０（１ｋ）と同様にしてあるが、雄部（３ｔ）の大きさは多少大きくしてある。図２６にて、点線で表示してある部分（ただし、図の寸法を表示するための案内の線は除く）が雄部と雌部との嵌合前の雌部、実線で表示してある部分が雄部と雌部との嵌合後の雌部を示している。実施例１６（１ｓ）と同じように、断面略Ｃ形状（１６ｔ）の内面の高さ（２７ｔ）に比べて頭部（１４ｔ）の高さ（２８ｔ）が大きい該雄部（３ｔ）と該雌部（５ｔ）とを設けてある。断面略Ｃ形状（１６ｔ）の内面の幅（２９ｔ）に比べて頭部（１４ｔ）の幅（３０ｔ）が大きい該雄部（３ｔ）と該雌部（５ｔ）とを設けてある。断面略Ｃ形状（１６ｔ）の内面の高さ（２７ｔ）と頭部（１４ｔ）の高さ（２８ｔ）との差、断面略Ｃ形状（１６ｔ）の内面の幅（２９ｔ）と頭部（１４ｔ）の幅（３０ｔ）との差については、実施例９（１ｊ）、実施例１０（１ｋ）に比べて大きくしてある。よって、実施例９（１ｊ）、実施例１０（１ｋ）に比べて、密閉性をさらに高めることができる（効果２４）。また、実施例１７（１ｔ）は、次のようにしてもよい。断面略Ｃ形状の内面の断面積に比べて頭部の断面積を大きくしてもよい。
【００４９】
次に、実施例１８（１ｕ）について、図２７〜２８に記す。実施例１８（１ｕ）は、断面キノコ形状（２５ｕ）とした雄部（３ｕ）としてある。または、断面矢じり形状（２６ｕ）とした雄部（３ｕ）としてある。雌部（５ｆ）は、実施例７、９、１１と同じ形状としてある。効果の追記として、例えば、袋体の外側あるいは内側より応力が雄部（３ｕ）に作用した場合、雌部（５ｆ）の内面（３２）を頭部（１４ｕ）がスライドすることにより、発生した応力に対応することができる（効果２５）。
【００５０】
次に、実施例１９（１ｖ）について、図２９に記す。雌部（５ｆ）は、実施例７、９、１１、１８と同じ形状としてある。雄部（３ｖ）の形状を変更してある。
【００５１】
次に、実施例２０（１ｚｑ）について、図６７〜６９に記す。実施例２０（１ｚｑ）は、実施例１（１）にて、第２ストッパー（３６）（３６Ａ）を設け、に代えて、図６７〜６９にて、第２ストッパー（３６Ｚｑ）（３６ＡＺｑ）を設け、としてある。また、実施例２０（１ｚｑ）は、実施例１（１）にて、前記第１嵌合部材（９）（９Ａ）に第３突出部（３７）（３７Ａ）を設け、に代えて、図６７〜６９にて、前記第１嵌合部材（９Ｚｑ）（９ＡＺｑ）の長手方向（矢印Ｘ）の袋（４２Ｚｑ）の縁部（６２Ｚｑ）に第３突出部（３７Ｚｑ）（３７ＡＺｑ）を設け、としてある。また、実施例２０（１ｚｑ）は、実施例１（１）にて、前記第２嵌合部材（１０）（１０Ａ）に第４突出部（３８）（３８Ａ）を設け、に代えて、図６７〜６９にて、前記第２嵌合部材（１０Ｚｑ）（１０ＡＺｑ）の端部（４１Ｚｑ）に第４突出部（３８Ｚｑ）（３８ＡＺｑ）を設け、としてある。スライダー（１１Ｚｑ）の奥側の端部（４１Ｚｑ）に配置してある。また、実施例２０（１ｚｑ）は、次のようにしてある。第４突出部（３８Ｚｑ）（３８ＡＺｑ）は、矢印状に設けてある。第４突出部（３８Ｚｑ）（３８ＡＺｑ）を前記第２嵌合部材（１０Ｚｑ）（１０ＡＺｑ）の上下に配置してある。第１嵌合部材（９Ｚｑ）（９ＡＺｑ）の長手方向（矢印Ｘ）にて、第１嵌合部材（９Ｚｑ）（９ＡＺｑ）に第２嵌合部材（１０Ｚｑ）（１０ＡＺｑ）を挿入して嵌合して組立てる。第１嵌合部材（９Ｚｑ）（９ＡＺｑ）の長手方向（矢印Ｘ）にて、第１嵌合部材（９Ｚｑ）（９ＡＺｑ）に第２嵌合部材（１０Ｚｑ）（１０ＡＺｑ）の挿入を（矢印Ｙ）方向より開始する。挿入しようとすると、第３突出部（３７Ｚｑ）（３７ＡＺｑ）間で、第４突出部（３８Ｚｑ）（３８ＡＺｑ）が弾性変形して、第３突出部（３７Ｚｑ）（３７ＡＺｑ）間を通過する。通過して、第３突出部（３７Ｚｑ）（３７ＡＺｑ）間への第４突出部（３８Ｚｑ）（３８ＡＺｑ）の挿入を許容する。許容し、第３突出部（３７Ｚｑ）（３７ＡＺｑ）間を第４突出部（３８Ｚｑ）（３８ＡＺｑ）が通過した後で第４突出部（３８Ｚｑ）（３８ＡＺｑ）が復元する。また、閉口した開口部を開口する場合は次のようになる。図６９で、閉口した開口部にて、第１嵌合部材（９Ｚｑ）（９ＡＺｑ）の長手方向（矢印Ｘ）にて、第２嵌合部材（１０Ｚｑ）（１０ＡＺｑ）を（矢印Ｚ）方向に引っ張るが、復元してる第４突出部（３８Ｚｑ）（３８ＡＺｑ）によって、第３突出部（３７Ｚｑ）（３７ＡＺｑ）が第４突出部（３８Ｚｑ）（３８ＡＺｑ）を係止する。つまり、次のようになる。開口部が開口する方向（矢印Ｚ）にスライダー（１１Ｚｑ）を摺動し、第３突出部（３７ｚｑ）（３７ＡＺｑ）と第４突出部（３８Ｚｑ）（３８ＡＺｑ）とが当接する箇所まで摺動し続けると、第３突出部（３７Ｚｑ）（３７ＡＺｑ）と第４突出部（３８Ｚｑ）（３８ＡＺｑ）とが当接する。第３突出部（３７Ｚｑ）（３７ＡＺｑ）と第４突出部（３８Ｚｑ）（３８ＡＺｑ）とが当接することにより、第１嵌合部材（９Ｚｑ）（９ＡＺｑ）から第２嵌合部材（１０Ｚｑ）（１０ＡＺｑ）が離脱するのを防止する。実施例２０（１ｚｑ）の効果については、実施例１（１）と同程度であるが、効果の追記としては、矢印状に設けてあるので、組立時にて、スライダーの挿入が容易となり、加工コストが低減する。（効果２５ａ）
【００５２】
また、特に図示しないが、次のようにしてもよい。実施例２０（１ｚｑ）のように第４突出部（３８Ｚｑ）（３８ＡＺｑ）を矢印状が上下になるように設けるのではなく、左右になるように設け、同様に、左右に設けた第４突出部に対応するように第３突出部（３７Ｚｑ）（３７ＡＺｑ）も左右に設けるようにしてもよい。
【００５３】
次に、実施例２１（１ｘ）について、図１〜２、３０〜３５、４１に記す。また、面（Ｍ６）（Ｎ６）（Ｏ６）（Ｐ６）と面（Ｍ６Ａ）（Ｎ６Ａ）（Ｏ６Ａ）（Ｐ６Ａ）とは、ほぼ同じ位置としてあるが、面（Ｍ６）（Ｎ６）（Ｏ６）（Ｐ６）は手前側（４６）、面（Ｍ６Ａ）（Ｎ６Ａ）（Ｏ６Ａ）（Ｐ６Ａ）は奥側（４５）としてある。また、実施例２１（１ｘ）では、図３０〜３２は、図１の面（Ｍ６）（Ｎ６）（Ｏ６）（Ｐ６）を（矢印Ｙ）から見た部分拡大断面図を描いてある。実施例２１（１ｘ）は、実施例１（１）にて、前記第１嵌合部材（９）（９Ａ）に第１突出部（３４）（３４Ａ）を設け、に代えて、図１、３０〜３２、４１にて、前記第１嵌合部材（９）（９Ａ）の長手方向（矢印Ｘ）の袋（４２）の縁部（６２）に第１突出部（３４）（３４Ａ）を設け、としてある。また、次のようにしてある。実施例２１（１ｘ）では、図３３〜３５は、図２の面（Ｍ６Ａ）（Ｎ６Ａ）（Ｏ６Ａ）（Ｐ６Ａ）を（矢印Ｙ）から見た部分拡大図を描いてある。実施例２１（１ｘ）は、実施例１（１）にて、前記第１嵌合部材（９）（９Ａ）に第３突出部（３７）（３７Ａ）を設け、に代えて、図２、３３〜３５、４１にて、前記第１嵌合部材（９）（９Ａ）の長手方向（矢印Ｘ）の袋（４２）の縁部（６２）に第３突出部（３７）（３７Ａ）を設け、としてある。なお、実施例２１（１ｘ）の効果については、実施例１（１）と同程度である。
【００５４】
次に、実施例２２（１ｙ）について、図１〜２、３３〜３７、４０〜４４に記す。また、実施例２２（１ｙ）では、図４２〜４４は、図１の面（Ｍ１）（Ｎ１）（Ｏ１）（Ｐ１）を（矢印Ｙ）から見た部分拡大断面図を描いてある。実施例２２（１ｙ）は、実施例１−２（１ｗ）にて、前記第１嵌合部材（９ｗ）（９Ａｗ）に第１突出部（３４）（３４Ａ）を設け、に代えて、図１、４１〜４４にて、前記第１嵌合部材（９ｗ）（９Ａｗ）の長手方向（矢印Ｘ）の袋（４２ｗ）の縁部（４４）に第１突出部（３４）（３４Ａ）を設け、としてある。袋（４２ｗ）の奥側（４５）の端部（４３）に設けてある。また、次のようにしてある。実施例２２（１ｙ）では、図３３〜３５は、図２の面（Ｍ６Ａ）（Ｎ６Ａ）（Ｏ６Ａ）（Ｐ６Ａ）を（矢印Ｙ）から見た部分拡大図を描いてある。実施例２２（１ｙ）は、実施例１−２（１ｗ）にて、前記第１嵌合部材（９ｗ）（９Ａｗ）に第３突出部（３７）（３７Ａ）を設け、に代えて、図２、３３〜３５、４１にて、前記第１嵌合部材（９ｗ）（９Ａｗ）の長手方向（矢印Ｘ）の袋（４２ｗ）の縁部（６２）に第３突出部（３７）（３７Ａ）を設け、としてある。袋（４２ｗ）の手前側（４６）の端部（３９）に設けてある。なお、実施例２２（１ｙ）の効果については、実施例１（１）と同程度である。
【００５５】
また、次のようにしてもよい。実施例１（１）にて、第１突出部（３４）（３４Ａ）を配置する箇所は、図５の面（Ｍ４）（Ｎ４）（Ｏ４）（Ｐ４）、に代えて、図５、４６の面（Ｍ５）（Ｎ５）（Ｏ５）（Ｐ５）としもよい。実施例１（１）にて、第３突出部（３７）（３７Ａ）を配置する箇所は、図５の面（Ｍ４Ａ）（Ｎ４Ａ）（Ｏ４Ａ）（Ｐ４Ａ）、に代えて、図５、４６の面（Ｍ５）（Ｎ５）（Ｏ５）（Ｐ５）としもよい。同様に、実施例１−２（１ｗ）にて、第１突出部（３４ｗ）（３４Ａｗ）を配置する箇所は、図５の面（Ｍ２）（Ｎ２）（Ｏ２）（Ｐ２）、に代えて、図１、５の面（Ｍ１）（Ｎ１）（Ｏ１）（Ｐ１）としもよい。実施例１−２（１ｗ）にて、第３突出部（３７）（３７Ａ）を配置する箇所は、図５の面（Ｍ４Ａ）（Ｎ４Ａ）（Ｏ４Ａ）（Ｐ４Ａ）、に代えて、図５、４６の面（Ｍ５）（Ｎ５）（Ｏ５）（Ｐ５）としもよい。
【００５６】
次に、実施例２３（１ｚ）について、図５、４１、４６、４８〜４９、５１〜５２に記す。なお、実施例２３（１ｚ）〜２５（１ｚｂ）では、図５１〜５２は、図１の面（Ｍ６）（Ｎ６）（Ｏ６）（Ｐ６）、図２の面（Ｍ６Ａ）（Ｎ６Ａ）（Ｏ６Ａ）（Ｐ６Ａ）を（矢印Ｙ）から見た部分拡大断面図を描いてある。実施例２３（１ｚ）は、実施例１（１）にて、前記第１嵌合部材（９）（９Ａ）の長手方向（矢印Ｘ）の袋（４２ｚ）の縁部（６２）に案内部（４７）（４７Ａ）を設けてある。第１嵌合部材（９）（９Ａ）の長手方向（矢印Ｘ）に該スライダー（１１ｚ）を摺動させる場合に、案内部（４７）（４７Ａ）によって、長手方向（矢印Ｘ）に該スライダー（１１ｚ）を案内する。案内部（４７）（４７Ａ）は、第１嵌合部材（９）（９Ａ）の隅を切断して、図５、４６の面（Ｍ５）（Ｎ５）（Ｏ５）（Ｐ５）〜面（Ｍ６）（Ｎ６）（Ｏ６）（Ｐ６）間で形成しており、袋（４２ｚ）の縁部（６２）に設けてある。
【００５７】
次に、実施例２４（１ｚａ）について、図５、４１、４５〜４６、５０〜５２に記す。実施例２４（１ｚａ）は、実施例１（１）にて、前記第１嵌合部材（９）（９Ａ）の長手方向（矢印Ｘ）の袋（４２ｚａ）の縁部（６２）に案内部（４７ｚａ）（４７Ａｚａ）を設けてある。案内部（４７ｚａ）（４７Ａｚａ）は、第１嵌合部材（９）（９Ａ）の隅を切断して、図５、４６の面（Ｍ６）（Ｎ６）（Ｏ６）（Ｐ６）のみで形成しており、袋（４２ｚａ）の縁部（６２）に設けてある。つまり、案内部（４７ｚａ）（４７Ａｚａ）は、図４５にて、面（Ｄ１）（Ｅ１）（Ｆ１）（Ｇ１）と面（Ｄ２）（Ｅ２）（Ｆ２）（Ｇ２）には接合されておらず、面（Ｅ１）（Ｅ２）（Ｆ２）（Ｆ１）のみで形成している。
【００５８】
次に、実施例２５（１ｚｂ）について、図５、４１、４７、５１〜５２に記す。実施例２５（１ｚｂ）は、実施例１（１）にて、前記第１嵌合部材（９）（９Ａ）の長手方向（矢印Ｘ）の袋（４２ｚｂ）の縁部（６２）に案内部（４７ｚｂ）（４７Ａｚｂ）を設けてある。実施例２５（１ｚｂ）の案内部（４７ｚｂ）（４７Ａｚｂ）は、第１嵌合部材（９）（９Ａ）の隅を切断して袋の縁部（６２）に設けた実施例２４（１ｚａ）の案内部（４７ｚａ）（４７Ａｚａ）を、第１嵌合部材（９）（９Ａ）と再度接合して、一体的に設けてある。なお、第１嵌合部材（９）（９Ａ）の隅を切断せずに、第１嵌合部材（９）（９Ａ）の隅である袋の縁部（６２）に案内部を設けてもよい。
【００５９】
次に、実施例２６（１ｚｃ）について、図５、４１、４５、７２に記す。なお、図７２は、第１嵌合部材（９）の隅を引っ張った状態の図を描いてある。実施例２６（１ｚｃ）は、実施例１（１）にて、前記第１嵌合部材（９）（９Ａ）の長手方向（矢印Ｘ）の袋（４２ｚｃ）の縁部（６２）に案内部（４７ｚｃ）（４７Ａｚｃ）を設けてある。第１嵌合部材（９）（９Ａ）の隅をそのまま袋の縁部（６２）に案内部（４７ｚｃ）（４７Ａｚｃ）として設けてある。案内部（４７ｚｃ）は、図４５にて、面（Ｄ１）（Ｅ１）（Ｆ１）（Ｇ１）と面（Ｅ１）（Ｅ２）（Ｆ２）（Ｆ１）に接合している。案内部（４７Ａｚｃ）は、面（Ｄ２）（Ｅ２）（Ｆ２）（Ｇ２）と面（Ｅ１）（Ｅ２）（Ｆ２）（Ｆ１）に接合している。面（Ｅ１）（Ｅ２）（Ｆ２）（Ｆ１）では、案内部（４７ｚｃ）と案内部（４７Ａｚｃ）は分離したままとしてある。
【００６０】
また、次のようにしてもよい。実施例２５（１ｚｂ）にて、第１嵌合部材（９）（９Ａ）と案内部（４７ｚｂ）（４７Ａｚｂ）のみを接合して、互いの袋の辺は接合しない状態としてもよい。つまり、図４５で、線（Ｅ１）（Ｆ１）と線（Ｅ２）（Ｆ２）は切断したままとしてもよい。あるいは、次のようにしてもよい。実施例２５（１ｚｂ）にて、線（Ｅ１）（Ｆ１）と線（Ｅ２）（Ｆ２）を折れ線として設けてもよい。
【００６１】
実施例２３（１ｚ）〜実施例２６（１ｚｃ）の効果について記す。実施例２３（１ｚ）、実施例２４（１ｚａ）は、第１嵌合部材（９）（９Ａ）の隅を切断して、袋の縁部に案内部を設けてあり、切断箇所を設けることにより、袋の開口部（６）の柔軟性が増し、開口部（６）を手などで広げようとする場合に広げやすくなる（効果２６）。実施例２５（１ｚｂ）は、案内部（４７ｚｂ）（４７Ａｚｂ）と第１嵌合部材（９）（９Ａ）を一体的に設けることにより、密封性が向上し、袋の縁部の強度も増す（効果２７）。実施例２６（１ｚｃ）は、案内部（４７ｚｃ）と案内部（４７Ａｚｃ）を分離することにより、袋の開口部（６）の柔軟性が増し、開口部（６）を手などで広げようとする場合に広げやすくなる。また、第１嵌合部材（９）（９Ａ）を延長してそのまま袋の縁部（６２）として設けてあるので、加工が比較的容易となる（効果２８）。
【００６２】
次に、実施例２７（１ｚｄ）について、図５３、５５〜５６に記す。実施例２７（１ｚｄ）は、実施例１（１）にて、スライダー（１１）に取っ手（４８）を設け、に代えて、スライダーに取っ手（４８ｚｄ）を設け、としてある。効果としては、次のようになる。スライダーを摺動させる場合に、手でつかみやすくなり、開口部（６）の開閉が容易となる（効果２９）。
【００６３】
次に、実施例２８（１ｚｅ）について、図５７〜５９に記す。なお、実施例２８（１ｚｅ）では、実施例１（１）の図３３〜３５と同様に、図５７〜５９は、図２の面（Ｍ４Ａ）（Ｎ４Ａ）（Ｏ４Ａ）（Ｐ４Ａ）の位置に相当し、（矢印Ｙ）から見た部分拡大断面図を描いてある。実施例２８（１ｚｅ）は、実施例１（１）にて、次のように変更してある。実施例１（１）の、雌部（５）（５Ａ）である第１嵌合部材（９）（９Ａ）を配し、雄部（３）（３Ａ）である第２嵌合部材（１０）（１０Ａ）を配し、に代えて、次のようにしてある。実施例２８（１ｚｅ）は、雄部（３ｚｅ）（３Ａｚｅ）である第１嵌合部材（９ｚｅ）（９Ａｚｅ）を配してある。雌部（５ｚｅ）（５Ａｚｅ）である第２嵌合部材（１０ｚｅ）（１０Ａｚｅ）を配してある。また、次のようにしてある。鍔部を有する雄部（３ｚｅ）（３Ａｚｅ）を設けてある。爪部を有する雌部（５ｚｅ）（５Ａｚｅ）を設けてある。該雄部（３ｚｅ）（３Ａｚｅ）と嵌合する該雌部（５ｚｅ）（５Ａｚｅ）を設けてある。開口部の内側の対向する両面に第１嵌合部材（９ｚｅ）（９Ａｚｅ）を各々配置してある。該両面の第１嵌合部材（９ｚｅ）（９Ａｚｅ）に各々嵌合する第２嵌合部材（１０ｚｅ）（１０Ａｚｅ）を設けたスライダー（１１ｚｅ）を配置してある。効果については、他の実施例と同程度であるが、効果の追記として次に記す。例えば、実施例１（１）の図３５と実施例２８（１ｚｅ）の図５９とで比較すると、実施例２８（１ｚｅ）は、第２嵌合部材（１０ｚｅ）（１０Ａｚｅ）である雌部（５ｚｅ）（５Ａｚｅ）にて、雌部（５ｚｅ）と雌部（５Ａｚｅ）を上下に一体的に形成してあるので、雌部（５ｚｅ）の端部と雌部（５Ａｚｅ）の端部とを重ねることができ、重なり部分（４９）により断面積を一部削減できる。強度を維持しながらも、断面積の減少によってコストを低減できる。また、雌部（５ｚｅ）と雌部（５Ａｚｅ）を上下に形成してあるので、実施例１（１）と比較すると、袋の幅ＨＢを短くでき、袋全体の厚みを薄くすることが可能になり、平滑になる（効果３０）。
【００６４】
また、実施例２８（１ｚｅ）は、次のようにしてある。実施例２８（１ｚｅ）は、実施例１（１）にて、次のように変更してある。実施例１（１）の、第２ストッパー（３６）（３６Ａ）を設け、該第１嵌合部材（９）（９Ａ）に第３突出部（３７）（３７Ａ）を設け、該第２嵌合部材（１０）（１０Ａ）に第４突出部（３８）（３８Ａ）を設け、第２ストッパー（３６）（３６Ａ）は、該第３突出部（３７）（３７Ａ）と該第４突出部（３８）（３８Ａ）により形成される、に代えて、次のようにしてある。実施例２８（１ｚｅ）は、第２ストッパー（３６ｚｅ）（３６Ａｚｅ）を設けてある。該第１嵌合部材（９ｚｅ）（９Ａｚｅ）に第３突出部（３７ｚｅ）（３７Ａｚｅ）を設けてある。該第２嵌合部材（１０ｚｅ）（１０Ａｚｅ）に第４突出部（３８ｚｅ）（３８Ａｚｅ）を設けてある。第２ストッパー（３６ｚｅ）（３６Ａｚｅ）は、該第３突出部（３７ｚｅ）（３７Ａｚｅ）と該第４突出部（３８ｚｅ）（３８Ａｚｅ）により形成される。
【００６５】
次に、実施例２９（１ｚｆ）について、図６０〜６２に記す。なお、実施例２９（１ｚｆ）では、実施例１（１）の図６〜８と同様に、図６０〜６２は、図１の面（Ｍ３）（Ｎ３）（Ｏ３）（Ｐ３）の位置に相当し、（矢印Ｙ）から見た中間部の部分拡大断面図を描いてある。実施例２９（１ｚｆ）は、実施例１（１）にて、次のように変更してある。実施例１（１）の、雌部（５）（５Ａ）である第１嵌合部材（９）（９Ａ）を配し、雄部（３）（３Ａ）である第２嵌合部材（１０）（１０Ａ）を配し、に代えて、次のようにしてある。実施例２９（１ｚｆ）は、該両面（８）（８Ａ）の一方の片面（８）に雄部（３ｚｆ）を設けて該両面（８）（８Ａ）の残りの片面（８Ａ）に雌部（５Ａｚｆ）を設けた第１嵌合部材（９ｚｆ）（９Ａｚｆ）を配してある。該両面（８）（８Ａ）の一方の片面（８）の雄部（３ｚｆ）に嵌合する雌部（５ｚｆ）を設けて該両面（８）（８Ａ）の残りの片面（８Ａ）の雌部（５Ａｚｆ）に嵌合する雄部（３Ａｚｆ）を設けた第２嵌合部材（１０ｚｆ）（１０Ａｚｆ）を配してある。
【００６６】
次に、実施例３０（１ｚｈ）について、図６３〜６４に記す。実施例３０（１ｚｈ）は、実施例１（１）にて、次のように変更してある。実施例１（１）の、スライダー（１１）、に代えて、スライダー（１１ｚｈ）としてある。スライダー（１１ｚｈ）は、スライダー（１１）にて、所定の間隔で部分的に切断面を設けてある。等間隔に一部切断してある。切断面を設けることにより、ジグザグ状にすることができ、柔軟性を確保することができる。また、このほかに、柔軟性の高い素材を使用してもよい。効果としては、開口した後で、スライダー（１１ｚｈ）を折畳んだりすることができるので邪魔にならずに済む（効果３２）。次に、実施例３１（１ｚｊ）について、図６５〜６６に記す。実施例３１（１ｚｊ）は、実施例１（１）にて、次のように変更してある。実施例１（１）の、スライダー（１１）、に代えて、スライダー（１１ｚｊ）としてある。スライダー（１１ｚｊ）は、円形状にしてある。スライダー（１１ｚｊ）の第２嵌合部材（１０ｚｊ）（１０Ａｚｊ）に対応する第１嵌合部材（９ｚｊ）（９Ａｚｊ）も円形状にしてある。効果としては、円形状にすることによって、スライドがしやすくなる（効果３３）。
【００６７】
次に、実施例３２（１ｚｋ）について、図７３に記す。なお、図７３は、図５２と同様で、図１の面（Ｍ６）（Ｎ６）（Ｏ６）（Ｐ６）、図２の面（Ｍ６Ａ）（Ｎ６Ａ）（Ｏ６Ａ）（Ｐ６Ａ）を（矢印Ｙ）から見た部分拡大断面図を描いてある。実施例３２（１ｚｋ）は、実施例２３（１ｚ）にて、第２嵌合部材（１０）（１０Ａ）の端部の形状を断面フラットに変更してある。効果としては、取っ手として持ちやすくなる（効果３４）。
【００６８】
次に、実施例３３（１ｚｎ）について、図５４に記す。実施例３３（１ｚｎ）は、実施例２５（１ｚｂ）にて、袋（４２ｚｂ）の縁部（６２）の中央で、袋（４２ｚｂ）に折り線（５０）を設けて折ってある。効果としては、縁部がフラットになり、平滑性が向上し、袋の縁部の厚みを薄くすることができる（効果３５）。
【００６９】
次に、実施例３４（１ｚｒ）について、図７０に記す。実施例３４（１ｚｒ）は、実施例２０（１ｚｑ）の第４突出部（３８ｚｑ）（３８Ａｚｑ）の先端にて、雄部（３）（３Ａ）である第２嵌合部材（１０ｚｒ）（１０Ａｚｒ）を延長して設けてある。つまり、第４突出部（３８ｚｑ）（３８Ａｚｑ）は、第２嵌合部材（１０ｚｒ）（１０Ａｚｒ）と延長した第２嵌合部材（５２）との間に挟まって配置してある。なお、実施例３４（１ｚｒ）の他の構造、形態については、実施例２０（１ｚｑ）と同様にしてある。実施例３４（１ｚｒ）の効果については、実施例１（１）、実施例２０（１ｚｑ）と同程度であるが、効果の追記としては次のようになる。第３突出部（３７ｚｑ）（３７Ａｚｑ）と第４突出部（３８ｚｑ）（３８Ａｚｑ）とが当接する箇所まで摺動し続けて、第３突出部（３７ｚｑ）（３７Ａｚｑ）と第４突出部（３８ｚｑ）（３８Ａｚｑ）とが当接する場合に、第４突出部（３８ｚｑ）（３８Ａｚｑ）の先端（５２）にて、第２嵌合部材（１０ｚｒ）（１０Ａｚｒ）を延長して設けてあるため、第１嵌合部材（９ｚｑ）（９Ａｚｑ）に第２嵌合部材（１０ｚｑ）（１０Ａｚｑ）が嵌合している長さが長くなるので、第１嵌合部材（９ｚｑ）（９Ａｚｑ）に対して第２嵌合部材（１０ｚｑ）（１０Ａｚｑ）の位置が変動したりすることが少なく、不安定要因を低減し、より安定させる。
【００７０】
次に、実施例３５（１ｚｓ）について、図７１に記す。実施例３５（１ｚｓ）は、実施例３４（１ｚｒ）にて、第４突出部（３８ｚｑ）（３８Ａｚｑ）、に代えて、第４突出部（３８ｚｓ）（３８Ａｚｓ）、としてある。第１嵌合部材（９ｚｑ）（９Ａｚｑ）の長手方向（矢印Ｘ）の袋（４２ｚｑ）の縁部（６２ｚｑ）を補強してある。また、同時に、第４突出部（３８ｚｓ）（３８Ａｚｓ）の矢印状の形を小型に変更してある。袋（４２ｚｑ）の縁部（６２ｚｑ）を補強してあるので、第４突出部（３８ｚｓ）（３８Ａｚｓ）の矢印状の形を小型にしても係止する。
【００７１】
次に、実施例３６（１ｚｔ）について、図７４にて記す。実施例３６（１ｚｔ）は、実施例２（１ａ）にて、次のようにしてある。鍔部（２ａ）を有する雄部（３ｚｔ）を設けてある。爪部（４ａ）を有する雌部（５ｚｔ）を設けてある。つまり、実施例２（１ａ）の鍔部（２ａ）（２Ｃａ）を有する雄部（３ａ）にて、鍔部（２ａ）のみを設けてある。同様に、爪部（４ａ）（４Ｃａ）を有する雌部（５ａ）にて、爪部（４ａ）のみを設けてある。
【００７２】
また、次のようにしてもよい。実施例１（１）、実施例１−１（１ｚｍ）、実施例１−３（１ｚｐ）、実施例２０（１ｚｐ）、実施例２１（１ｘ）、実施例２２（１ｙ）、にて、該断面略Ｃ字状の内面の高さに比べて該頭部の高さが大きい該雄部と該雌部とを設けてもよい。また、該断面略Ｃ字状の内面の幅に比べて該頭部の幅が大きい該雄部と該雌部とを設けてもよい。
【００７３】
また、次のようにしてもよい。各実施例において、該第１嵌合部材に第１突出部を設ける位置については、第１嵌合部材の上であれば、どこでも可能である。特に限定することはない。該第１嵌合部材に第３突出部を設ける位置、該第２嵌合部材に第２突出部を設ける位置、該第２嵌合部材に第４突出部を設ける位置についても同様である。
【００７４】
また、実施例１（１）は、次のようにしてある。第１嵌合部材（９）（９Ａ）に第１突出部（３４）（３４Ａ）を一体的に設けてある。第２嵌合部材（１０）（１０Ａ）に第２突出部（３５）（３５Ａ）を一体的に設けてある。第１嵌合部材（９）（９Ａ）に第３突出部（３７）（３７Ａ）を一体的に設けてある。第２嵌合部材（１０）（１０Ａ）に第４突出部（３８）（３８Ａ）を一体的に設けてある。
【００７５】
また、実施例１（１）は、次のようにしてもよい。第１嵌合部材（９）（９Ａ）の長手方向（矢印Ｘ）と直交する方向、つまり、第１嵌合部材（９）（９Ａ）の短手方向（矢印Ｗ）にて、咬合あるいは嵌合するように設けてもよい。雄部（３）（３Ａ）と雌部（５）（５Ａ）において、咬合する合成樹脂製の咬合部材として雄部（３）（３Ａ）と雌部（５）（５Ａ）を設け、としてもよい。あるいは、咬合する軟質の合成樹脂製の咬合部材として雄部（３）（３Ａ）と雌部（５）（５Ａ）を設け、としてもよい。次にその作用について記す。第１嵌合部材（９）（９Ａ）の長手方向（矢印Ｘ）と直交する方向、つまり、第１嵌合部材（９）（９Ａ）の短手方向（矢印Ｗ）にて、雄部（３）（３Ａ）と雌部（５）（５Ａ）とを対向して押圧することにより、爪部（４）（４Ｃ）、（４Ａ）（４Ｂ）間に挿入する鍔部（２）（２Ｃ）、（２Ａ）（２Ｂ）によって弾性変形する該爪部（４）（４Ｃ）、（４Ａ）（４Ｂ）間を該鍔部（２）（２Ｃ）、（２Ａ）（２Ｂ）が通過する。通過して、雌部（５）（５Ａ）への雄部（３）（３Ａ）の挿入を許容する。許容し、爪部（４）（４Ｃ）、（４Ａ）（４Ｂ）間を鍔部（２）（２Ｃ）、（２Ａ）（２Ｂ）が通過した後で復元した該爪部（４）（４Ｃ）、（４Ａ）（４Ｂ）により該鍔部（２）（２Ｃ）、（２Ａ）（２Ｂ）を係止して戻り方向への雄部（３）（３Ａ）の移動を規制する。規制し、雄部（３）（３Ａ）と雌部（５）（５Ａ）とが嵌合する。また、嵌合状態から解除する場合は次のようになる。第１嵌合部材（９）（９Ａ）の長手方向（矢印Ｘ）と直交する方向、つまり、第１嵌合部材（９）（９Ａ）の短手方向（矢印Ｗ）にて、袋の両面を引っ張って、嵌合した雄部（３）（３Ａ）と雌部（５）（５Ａ）とを引き離そうとする。引き離そうとすることにより、鍔部（２）（２Ｃ）、（２Ａ）（２Ｂ）によって押圧され弾性変形する該爪部（４）（４Ｃ）、（４Ａ）（４Ｂ）から該鍔部（２）（２Ｃ）、（２Ａ）（２Ｂ）が引っ張った方向へ移動する。移動して、嵌合状態から解除する。
【００７６】
また、実施例１（１）は、次のようにしてもよい。前記鍔部（２）（２Ｃ）（２Ａ）（２Ｂ）を有する雄部（３）（３Ａ）、にて、柱状部の先端に設けた前記鍔部（２）（２Ｃ）（２Ａ）（２Ｂ）と該柱状部とを有する雄部（３）（３Ａ）、としてもよい。前記爪部（４）（４Ｃ）（４Ａ）（４Ｂ）を有する雌部（５）（５Ａ）、に代えて、両先端（１５）（１５Ｃ）（１５Ａ）（１５Ｂ）に爪部（４）（４Ｃ）（４Ａ）（４Ｂ）を有する断面略円弧状の雌部（５）（５Ａ）、としてもよい。
【００７７】
また、実施例１（１）は、特に図示しないが次のようにしてもよい。開口部（６）の内側（７）の対向する両面（８）（８Ａ）に第１嵌合部材（９）（９Ａ）を各々配置する場合に、断続的に配置してもよい。効果としては、第１嵌合部材（９）（９Ａ）を断続的に各々配置することにより、袋自体に柔軟性を持たせることができる。また、実施例１（１）は、次のようにしてもよい。開口部（６）の全長に対して、第１嵌合部材（９）（９Ａ）を設ける長さを短くして設けてもよい。第１嵌合部材（９）（９Ａ）を設けていない箇所は封じてもよい。つまり、開口部を袋の一部のみとして、一部のみが開口するようにスライダーを設けてもよい。
【００７８】
また、各実施例について、少し補足する。実施例１（１）について、次のようにしてある。開口部（６）の内側（７）の対向する両面（８）（８Ａ）と各々の第１嵌合部材（９）（９Ａ）との間に第１基部（５１）（５１Ａ）を一体的に各々設けてあるが、各々融着して設けてある。ヒートシーラ等によって融着してある。溶着してある。あるいは、各々接着して設けてある。熱接着してある。また、接着剤で接着してもよい。あるいは、射出成型してもよい。製造が容易となり、また、コストを低減できる。
【図面の簡単な説明】
【００７９】
【図１】各実施例の斜視図。
【図２】各実施例の斜視図。
【図３】実施例１の部分拡大斜視図。
【図４】実施例１の部分拡大斜視図。
【図５】各実施例の配置図
【図６】実施例１等の部分拡大断面図。
【図７】実施例１等の部分拡大断面図。
【図８】実施例１等の部分拡大断面図。
【図９】実施例２の部分拡大断面図。
【図１０】実施例２の部分拡大断面図。
【図１１】実施例３の部分拡大断面図。
【図１２】実施例４の部分拡大断面図。
【図１３】実施例５の部分拡大断面図。
【図１４】実施例６の部分拡大断面図。
【図１５】実施例７の部分拡大断面図。
【図１６】実施例９の部分拡大断面図。
【図１７】実施例１１の部分拡大断面図。
【図１８】実施例８の部分拡大断面図。
【図１９】実施例１０の部分拡大断面図。
【図２０】実施例１２の部分拡大断面図。
【図２１】実施例１３の部分拡大断面図。
【図２２】実施例１４の部分拡大断面図。
【図２３】実施例１４の部分拡大断面図。
【図２４】実施例１５の部分拡大断面図。
【図２５】実施例１６の部分拡大断面図。
【図２６】実施例１７の部分拡大断面図。
【図２７】実施例１８の部分拡大断面図。
【図２８】実施例１８の部分拡大断面図。
【図２９】実施例１９の部分拡大断面図。
【図３０】実施例１、１−１、２１の部分拡大断面図。
【図３１】実施例１、１−１、２１の部分拡大断面図。
【図３２】実施例１、１−１、２１の部分拡大断面図。
【図３３】実施例１、１−１、１−２、１−３、２１〜２２の部分拡大断面図。
【図３４】実施例１、１−１、１−２、１−３、２１〜２２の部分拡大断面図。
【図３５】実施例１、１−１、１−２、１−３、２１〜２２の部分拡大断面図。
【図３６】実施例１、１−１、１−３、２２の部分拡大断面図。
【図３７】実施例１、１−１、１−３、２２の部分拡大断面図。
【図３８】実施例１、１−１、１−２、１−３の部分拡大断面図。
【図３９】実施例１、１−１、１−２、１−３の部分拡大断面図。
【図４０】各実施例の部分拡大断面図。
【図４１】各実施例の斜視図。
【図４２】実施例１−２、１−３、２２の部分拡大断面図。
【図４３】実施例１−２、１−３、２２の部分拡大断面図。
【図４４】実施例１−２、１−３、２２の部分拡大断面図。
【図４５】実施例２３〜２６の説明図。
【図４６】実施例２２〜２６の説明図。
【図４７】実施例２５の部分拡大斜視図。
【図４８】実施例２３の部分拡大斜視図。
【図４９】実施例２３の部分拡大斜視図。
【図５０】実施例２４の部分拡大斜視図。
【図５１】実施例２３〜２５の部分拡大断面図。
【図５２】実施例２３〜２５の部分拡大断面図。
【図５３】実施例２７の部分拡大斜視図。
【図５４】実施例３３の部分拡大斜視図。
【図５５】実施例２７の部分拡大断面図。
【図５６】実施例２７の部分拡大断面図。
【図５７】実施例２８の部分拡大断面図。
【図５８】実施例２８の部分拡大断面図。
【図５９】実施例２８の部分拡大断面図。
【図６０】実施例２９の部分拡大断面図。
【図６１】実施例２９の部分拡大断面図。
【図６２】実施例２９の部分拡大断面図。
【図６３】実施例３０の斜視図。
【図６４】実施例３０の斜視図。
【図６５】実施例３１の斜視図。
【図６６】実施例３１の斜視図。
【図６７】実施例２０を横から見た図。
【図６８】実施例２０を横から見た図。
【図６９】実施例２０を横から見た図。
【図７０】実施例３４を横から見た図。
【図７１】実施例３５を横から見た図。
【図７２】実施例２６の部分拡大斜視図。
【図７３】実施例３２の部分拡大断面図。
【図７４】実施例３６の部分拡大断面図。
【００８０】
（１）        実施例１
（１ａ）      実施例２
（１ｂ）      実施例３
（１ｃ）      実施例４
（１ｄ）      実施例５
（１ｅ）      実施例６
（１ｆ）      実施例７
（１ｈ）      実施例８
（１ｊ）      実施例９
（１ｋ）      実施例１０
（１ｎ）      実施例１１
（１ｍ）      実施例１２
（１ｐ）      実施例１３
（１ｑ）      実施例１４
（１ｒ）      実施例１５
（１ｓ）      実施例１６
（１ｔ）      実施例１７
（１ｕ）      実施例１８
（１ｖ）      実施例１９
（１ｗ）      実施例１−２
（１ｘ）      実施例２１
（１ｙ）      実施例２２
（１ｚ）      実施例２３
（１ｚａ）    実施例２４
（１ｚｂ）    実施例２５
（１ｚｃ）    実施例２６
（１ｚｄ）    実施例２７
（１ｚｅ）    実施例２８
（１ｚｆ）    実施例２９
（１ｚｈ）    実施例３０
（１ｚｊ）    実施例３１
（１ｚｋ）    実施例３２
（１ｚｎ）    実施例３３
（１ｚｍ）    実施例１−１
（１ｚｐ）    実施例１−３
（１ｚｑ）    実施例２０
（１ｚｒ）    実施例３４
（１ｚｓ）    実施例３５
（１ｚｔ）    実施例３６
（２）        鍔部
（３）        雄部
（４）        爪部
（５）        雌部
（６）        開口部
（７）        内側
（８）        両面
（９）        第１嵌合部材
（１０）      第２嵌合部材
（１１）      スライダー
（１２）      接触面
（１３）      非接触面
（１４）      頭部
（１５）      先端
（１６）      断面略Ｃ字状
（１７）      断面略コ字状
（２０）      中央部
（２１）      隙間
（２２）      空洞部
（２３）      断面略方形状
（２４）      突接部
（２５）      断面キノコ状
（２６）      断面矢じり状
（２７）      内面の高さ
（２８）      頭部の高さ
（２９）      内面の幅
（３０）      頭部の幅
（３２）      内面
（３３）      第１ストッパー
（３４）      第１突出部
（３５）      第２突出部
（３６）      第２ストッパー
（３７）      第３突出部
（３８）      第４突出部
（３９）      端部
（４０）      端部
（４１）      端部
（４２）      袋
（４３）      端部
（４４）      縁部
（４５）      奥側
（４６）      手前側
（４７）      案内部
（４８）      取っ手
（４９）      重なり部分
（５０）      折り線
（５１）      第１基部
（５２）      先端
延長した第２嵌合部材
（５３）      手前側の面
（５４）      奥側の面
（５５）      奥側の面
（５６）      手前側の面
（５７）      奥側の面
（５８）      手前側の面
（５９）      手前側
（６０）      奥側
（６２）      縁部
（Ｄ）        面
（Ｅ）        面
（Ｆ）        面
（Ｇ）        面
（Ｈ）        円弧
（Ｊ）        円弧
（Ｋ）        円弧
（Ｌ）        円弧
（Ｍ）        面
（Ｎ）        面
（Ｏ）        面
（Ｐ）        面
（Ｑ）        線
（Ｒ）        線
（Ｓ）        線
（Ｔ）        線
（Ｕ）        線
（Ｖ）        線
（矢印Ｉ）    上方向
（矢印Ｗ）    短手方向
（矢印Ｘ）    長手方向
（矢印Ｙ）    閉口する方向
（矢印Ｚ）    開口する方向
【図１】
2013056672.tif 000003
【図２】
2013056672.tif 000004
【図３】
2013056672.tif 000005
【図４】
2013056672.tif 000006
【図５】
2013056672.tif 000007
【図６】
2013056672.tif 000008
【図７】
2013056672.tif 000009
【図８】
2013056672.tif 000010
【図９】
2013056672.tif 000011
【図１０】
2013056672.tif 000012
【図１１】
2013056672.tif 000013
【図１２】
2013056672.tif 000014
【図１３】
2013056672.tif 000015
【図１４】
2013056672.tif 000016
【図１５】
2013056672.tif 000017
【図１６】
2013056672.tif 000018
【図１７】
2013056672.tif 000019
【図１８】
2013056672.tif 000020
【図１９】
2013056672.tif 000021
【図２０】
2013056672.tif 000022
【図２１】
2013056672.tif 000023
【図２２】
2013056672.tif 000024
【図２３】
2013056672.tif 000025
【図２４】
2013056672.tif 000026
【図２５】
2013056672.tif 000027
【図２６】
2013056672.tif 000028
【図２７】
2013056672.tif 000029
【図２８】
2013056672.tif 000030
【図２９】
2013056672.tif 000031
【図３０】
2013056672.tif 000032
【図３１】
2013056672.tif 000033
【図３２】
2013056672.tif 000034
【図３３】
2013056672.tif 000035
【図３４】
2013056672.tif 000036
【図３５】
2013056672.tif 000037
【図３６】
2013056672.tif 000038
【図３７】
2013056672.tif 000039
【図３８】
2013056672.tif 000040
【図３９】
2013056672.tif 000041
【図４０】
2013056672.tif 000042
【図４１】
2013056672.tif 000043
【図４２】
2013056672.tif 000044
【図４３】
2013056672.tif 000045
【図４４】
2013056672.tif 000046
【図４５】
2013056672.tif 000047
【図４６】
2013056672.tif 000048
【図４７】
2013056672.tif 000049
【図４８】
2013056672.tif 000050
【図４９】
2013056672.tif 000051
【図５０】
2013056672.tif 000052
【図５１】
2013056672.tif 000053
【図５２】
2013056672.tif 000054
【図５３】
2013056672.tif 000055
【図５４】
2013056672.tif 000056
【図５５】
2013056672.tif 000057
【図５６】
2013056672.tif 000058
【図５７】
2013056672.tif 000059
【図５８】
2013056672.tif 000060
【図５９】
2013056672.tif 000061
【図６０】
2013056672.tif 000062
【図６１】
2013056672.tif 000063
【図６２】
2013056672.tif 000064
【図６３】
2013056672.tif 000065
【図６４】
2013056672.tif 000066
【図６５】
2013056672.tif 000067
【図６６】
2013056672.tif 000068
【図６７】
2013056672.tif 000069
【図６８】
2013056672.tif 000070
【図６９】
2013056672.tif 000071
【図７０】
2013056672.tif 000072
【図７１】
2013056672.tif 000073
【図７２】
2013056672.tif 000074
【図７３】
2013056672.tif 000075
【図７４】
2013056672.tif 000076
【手続補正書】
【提出日】平成24年12月23日(2012.12.23)
【手続補正１】
【補正対象書類名】特許請求の範囲
【補正対象項目名】全文
【補正方法】変更
【補正の内容】
【特許請求の範囲】
【請求項１】
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、
雄部である第１嵌合部材を配し、雌部である第２嵌合部材を配し、
または、
雌部である第１嵌合部材を配し、雄部である第２嵌合部材を配し、
または、
該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、
第１嵌合部材の長手方向に該スライダーを摺動させることにより該開口部が開閉する合成樹脂製袋体において、
該開口部が閉口する方向にスライダーを摺動して該開口部が閉口した場合に、スライダーが当接することにより、開口部が閉口状態を保持することを特徴とするスライダー付き合成樹脂製袋体。
【請求項２】
前記スライダー付き合成樹脂製袋体に第１ストッパーを設け、前記開口部が閉口する方向にスライダーを摺動して該開口部が閉口した場合に、第１ストッパーが当接することにより、開口部が閉口状態を保持することを特徴とする請求項１に記載のスライダー付き合成樹脂製袋体。
【請求項３】
前記第１嵌合部材に第１突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持することを特徴とする請求項１に記載のスライダー付き合成樹脂製袋体。
【請求項４】
前記スライダー付き合成樹脂製袋体に第２ストッパーを設け、前記開口部が開口する方向にスライダーを摺動した場合に、第２ストッパーが当接することにより、第１嵌合部材から第２嵌合部材が離脱するのを防止することを特徴とする請求項１〜３のいずれかに記載のスライダー付き合成樹脂製袋体。
【請求項５】
前記第１嵌合部材に第３突出部を設け、前記第２嵌合部材に第４突出部を設け、前記開口部が開口する方向にスライダーを摺動した場合に、第３突出部と第４突出部とが当接することにより、第１嵌合部材から第２嵌合部材が離脱するのを防止することを特徴とする請求項１〜３のいずれかに記載のスライダー付き合成樹脂製袋体。
【請求項６】
前記第１嵌合部材に第１突出部を設け、に代えて、前記第１嵌合部材の長手方向の袋の縁部に第１突出部を設け、としたことを特徴とする請求項３に記載のスライダー付き合成樹脂製袋体、
または、
前記第１嵌合部材に第３突出部を設け、に代えて、前記第１嵌合部材の長手方向の袋の縁部に第３突出部を設け、としたことを特徴とする請求項５に記載のスライダー付き合成樹脂製袋体。
【請求項７】
前記第１嵌合部材に第１突出部を設け、前記第２嵌合部材に第２突出部を設け、該第２嵌合部材に第４突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第１突出部と第４突出部とが当接することにより、第１嵌合部材から第２嵌合部材が離脱するのを防止することを特徴とする請求項１に記載のスライダー付き合成樹脂製袋体。
【請求項８】
前記第１嵌合部材に第１突出部を設け、該第１嵌合部材に第３突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第３突出部と第２突出部とが当接することにより、第１嵌合部材から第２嵌合部材が離脱するのを防止することを特徴とする請求項１に記載のスライダー付き合成樹脂製袋体。
【請求項９】
前記鍔部を有する雄部、に代えて、頭部を有する雄部、として、
前記爪部を有する雌部、に代えて、両先端に爪部を有する断面略Ｃ字状の雌部、として、該断面略Ｃ字状の内面の高さに比べて該頭部の高さが大きい該雄部と該雌部とを設け、
または、
該断面略Ｃ字状の内面の幅に比べて該頭部の幅が大きい該雄部と該雌部とを設け、
第１嵌合部材と第２嵌合部材とを嵌合した場合に、
該雌部を該雄部が押圧し、
または、
該雄部を該雌部が押圧することで密閉性を有することを特徴とする請求項２〜８のいずれかに記載のスライダー付き合成樹脂製袋体。
【手続補正２】
【補正対象書類名】明細書
【補正対象項目名】全文
【補正方法】変更
【補正の内容】
【発明の詳細な説明】
【技術分野】
【０００１】
本発明は、主に、大袋または袋の細部または付属品にて、端部や開口部の閉鎖構成または装置にて、スライドファスナー等を用いるもので、特には、スライダー付き合成樹脂製袋体に関する。
【背景技術】
【０００２】
一般に、袋の開口部に嵌合部材を帯状に設けて開閉できるようにしたチャック式の袋が市販されており、雄部と雌部とによって嵌合するようにしてある。このような袋にて、密閉性を高めたもの（特許文献１、２、３参照）が提案されている。以下、具体的に記す。互いに咬み合う雄部材と雌部材からなり、前記雄部材は、頭部と、前記頭部の先端部にある突出部と、前記突出部と先端部との接続部分にある凹みとを有し、前記雌部材は、対向する第１及び第２の爪部材、前記第１及び第２の爪部材の間の窪み、前記窪みの上部にある一対の突起を有し、前記雄部材と雌部材が咬み合うとき、前記雌部材の第１及び第２の爪部材の内面の少なくとも一部と、前記雄部材の頭部の面の少なくとも一部が、面接触し、前記雌部材の窪みが、前記雄部材の突出部を受け、前記雌部材の突起が前記雄部材の凹みに嵌合する、ジッパーテープ（特許文献１参照）。互いに咬合する雌雄爪をベース片にそれぞれ突設した合成樹脂製のチャックを開口部に備えている袋体において、前記雌雄爪両方のチャック基部両側のベース片表面に稜線が円弧凹部を持つウェッジ状の隆起部を設け、この隆起部とチャック基部との間の前記円弧凹部を薄肉とし、かつ袋体フィルムに対し非接着の中空部を形成してベース片を袋体フィルムに接着したことを特徴とするチャック付の袋体（特許文献２参照）。頭部が形成された雄部材と、前記頭部と係止する第１と第２の係止部が形成された雌部材とを備え、前記頭部が前記第１と第２の係止部で形成された凹部に嵌合することによりこれらの雄部材と雌部材が咬合する咬合具であって、前記雄部材と前記雌部材が咬合した状態において、前記頭部は、前記凹部外に延在して前記係止部の少なくとも一方に当接する延在部を有すると共に、前記凹部内の前記延在部と頭部との間には開放された空間部が形成されていることを特徴とする咬合具（特許文献３参照）。また、上記以外では次のようなものがある。一方で、袋の開口部に嵌合部材を帯状に設けて、雄部と雌部とによって嵌合するようにしたチャック式の袋にて、スライダーにて嵌合できるようにしたスライダー付きが市販されている。このような袋にて、チャックの閉じ端部の気密性を確保したもの（特許文献４参照）が提案されている。以下、具体的に記す。開口部にスライダー付きチャックを備えた合成樹脂製袋体において、前記スライダーによるチャックの閉じ端部側におけるチャックとサイドシールとに渡る袋体隅角部に気密シールを施したことを特徴とするスライダー付き合成樹脂製袋体（特許文献４参照）。
【特許文献１】特開２０１０−２４６７９３
【特許文献２】特開平４−３３９７６８
【特許文献３】特開平１１−４６８１４
【特許文献４】特開２００７−２２３６５１
【発明の開示】
【発明が解決しようとする課題】
【０００３】
第１の課題としては次のようになる。一般に、市販の汎用のチャック式の袋は、嵌合して閉じた袋の開口部を開こうとする場合、チャック背面を両手の指で掴んで引っ張って開くが、両手の指で掴んで引っ張る必要があるので、手間を要するという問題がある。また、その際、引っ張る力により、チャック周辺の袋部が裂けてしまうことがあるという問題がある。また、袋の開口部を閉じようとする場合、チャック背面を指で押圧して嵌合するが、互いのチャックの位置が合わせにくく、押圧するのにも力を必要とし、袋の開口部を閉じるのに手間を要するという問題がある。本発明は、前記問題を解消し、袋の開口部を開閉しようとする場合に手間が少なく、また、袋部が裂けてしまうことがない合成樹脂製袋体を提供することを目的とする（課題１）。次に、密閉性の高いチャック式の袋の課題について記す。第２の課題としては次のようになる。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある。本発明は、前記問題を解消し、密閉性を有していても、袋の開口部の外側からの力に対する嵌合強度が低くなることがなく、外側からの小さい力に対しても袋が開かず、勝手に開いてしまうことがない合成樹脂製袋体を提供することを目的とする（課題２）。また、第３の課題としては次のようになる。前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある。本発明は、前記問題を解消し、袋の内圧が増加した場合でも袋の開口部の外側からの力に対する嵌合強度の変化は少なく、袋の開閉を比較的容易にできる合成樹脂製袋体を提供することを目的とする（課題３）。また、第４の課題としては次のようになる。特許文献２、３については、袋の内圧の変化を生じない物質を収納した場合、袋の内圧が増加しないので嵌合している部位等が可変せず嵌合強度が高くならず、よって、密閉性の確保が難しくなるという問題がある。本発明は、前記問題を解消し、袋の内圧の変化を生じない物質を収納した場合でも、嵌合強度が低くなりにくく、密閉性の確保ができやすい合成樹脂製袋体を提供することを目的とする（課題４）。つまり、第３、４の課題等により、袋の内圧の変化の有無にかかわらず密閉性を確保して、嵌合強度がおよそ一定のまま、袋の開閉を比較的容易にできる合成樹脂製袋体を提供することを目的とする。また、第５の課題としては次のようになる。特許文献２、３については、可変する部位については、可変するので通常と比較して長期使用すると劣化しやすいという問題がある。本発明は、前記問題を解消し、長期使用しても劣化しにくい合成樹脂製袋体を提供することを目的とする（課題５）。また、第６の課題としては次のようになる。前記従来例の特許文献４については、密封性は高く、低コストを追求しているものの、形状としては従来型のスライダー付きを踏襲しているので、材料の単価も低くなく、製造工程も複雑であり、製作コストの低廉化に限度があるという問題がある。本発明は、前記問題を解消し、材料の単価を抑え、製造工程も比較的複雑でなく、製作コストの低廉化が可能なスライダー付き合成樹脂製袋体を提供することを目的とする（課題６）。また、第７の課題としては次のようになる。特許文献４については、従来型のスライダー付きを踏襲しているので、スライダーの厚み、スライダーの重量が少なくないという問題がある。本発明は、前記問題を解消し、スライダーの厚み、スライダーの重量を比較的少なくできるスライダー付き合成樹脂製袋体を提供することを目的とする（課題７）。また、第８の課題としては次のようになる。特許文献４については、従来型のスライダー付きを踏襲しているので、袋の開閉状態の視認性は決して低くはないが高いともいえない。本発明は、前記問題を解消し、袋体の開口部の開閉状態がわかりやすい、開口部の視認性の高い合成樹脂製袋体を提供することを目的とする（課題８）。
【０００４】
また、第９の課題としては次のようになる。袋体の開口部が閉口する方向にスライダーを摺動して開口部が閉口した場合に、閉口状態を保持し、密閉性の確保ができやすいスライダー付き合成樹脂製袋体を提供することを目的とする（課題９）。また、第１０の課題としては次のようになる。袋体の開口部が開口する方向にスライダーを摺動し、開口部が開口しきった状態にて、スライダーが袋体から離脱するのを防止できるスライダー付き合成樹脂製袋体を提供することを目的とする（課題１０）。
【課題を解決するための手段】
【０００５】
本発明によると上記課題は、次のようにして解決される。
鍔部を有する雄部を設け、爪部を有する雌部を設け、該雄部と嵌合する該雌部を設け、開口部の内側の対向する両面に第１嵌合部材を各々配置し、該両面の第１嵌合部材に各々嵌合する第２嵌合部材を設けたスライダーを配置し、雄部である第１嵌合部材を配し、雌部である第２嵌合部材を配し、または、雌部である第１嵌合部材を配し、雄部である第２嵌合部材を配し、または、該両面の一方の片面に雄部を設けて該両面の残りの片面に雌部を設けた第１嵌合部材を配し、該両面の一方の片面の雄部に嵌合する雌部を設けて該両面の残りの片面の雌部に嵌合する雄部を設けた第２嵌合部材を配し、第１嵌合部材の長手方向に該スライダーを摺動させることにより該開口部が開閉する合成樹脂製袋体において、該開口部が閉口する方向にスライダーを摺動して該開口部が閉口した場合に、スライダーが当接することにより、開口部が閉口状態を保持することを特徴とするスライダー付き合成樹脂製袋体とする。
【０００６】
前記スライダー付き合成樹脂製袋体に第１ストッパーを設け、前記開口部が閉口する方向にスライダーを摺動して該開口部が閉口した場合に、第１ストッパーが当接することにより、開口部が閉口状態を保持することを特徴とするスライダー付き合成樹脂製袋体とする。
【０００７】
前記第１嵌合部材に第１突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持することを特徴とするスライダー付き合成樹脂製袋体とする。
【０００８】
前記スライダー付き合成樹脂製袋体に第２ストッパーを設け、前記開口部が開口する方向にスライダーを摺動した場合に、第２ストッパーが当接することにより、第１嵌合部材から第２嵌合部材が離脱するのを防止することを特徴とするスライダー付き合成樹脂製袋体とする。
【０００９】
前記第１嵌合部材に第３突出部を設け、前記第２嵌合部材に第４突出部を設け、前記開口部が開口する方向にスライダーを摺動した場合に、第３突出部と第４突出部とが当接することにより、第１嵌合部材から第２嵌合部材が離脱するのを防止することを特徴とするスライダー付き合成樹脂製袋体とする。
【００１０】
前記第１嵌合部材に第１突出部を設け、に代えて、前記第１嵌合部材の長手方向の袋の縁部に第１突出部を設け、としたことを特徴とするスライダー付き合成樹脂製袋体とする。または、前記第１嵌合部材に第３突出部を設け、に代えて、前記第１嵌合部材の長手方向の袋の縁部に第３突出部を設け、としたことを特徴とするスライダー付き合成樹脂製袋体とする。
【００１１】
前記第１嵌合部材に第１突出部を設け、前記第２嵌合部材に第２突出部を設け、該第２嵌合部材に第４突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第１突出部と第４突出部とが当接することにより、第１嵌合部材から第２嵌合部材が離脱するのを防止することを特徴とするスライダー付き合成樹脂製袋体とする。
【００１２】
前記第１嵌合部材に第１突出部を設け、該第１嵌合部材に第３突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第３突出部と第２突出部とが当接することにより、第１嵌合部材から第２嵌合部材が離脱するのを防止することを特徴とするスライダー付き合成樹脂製袋体とする。
【００１３】
前記鍔部を有する雄部、に代えて、頭部を有する雄部、として、前記爪部を有する雌部、に代えて、両先端に爪部を有する断面略Ｃ字状の雌部、として、該断面略Ｃ字状の内面の高さに比べて該頭部の高さが大きい該雄部と該雌部とを設け、または、該断面略Ｃ字状の内面の幅に比べて該頭部の幅が大きい該雄部と該雌部とを設け、第１嵌合部材と第２嵌合部材とを嵌合した場合に、該雌部を該雄部が押圧し、または、該雄部を該雌部が押圧することで密閉性を有することを特徴とするスライダー付き合成樹脂製袋体とする。
【発明の効果】
【００１４】
本発明によれば、次のような効果を奏する。
（１）片手でスライダーを掴んで、スライダーを摺動させることにより開口部が開くので、袋を引っ張る必要がなく、よって、嵌合して閉じた袋の開口部を開こうとする場合に手間が少ない。また、袋を引っ張る必要がないため、袋部が裂けてしまうことがない。また、袋の開口部を閉じようとする場合、第１嵌合部材に各々嵌合する第２嵌合部材を設けたスライダーによって、すでに先端の一部にて嵌合してあるので、互いのチャックの位置を改めて合わせる必要がなく、よって、押圧して嵌合する必要もない。また、スライダーを摺動させることにより開口部が閉じるので、力がなくても閉じることができ、袋の開口部を閉じる手間が少なくて済む（効果１）。また、可変しない形態で設けてあり、袋の内圧が増加した場合でも袋の開口部の外側からの力に対する嵌合強度の変化は少ないので、袋の開閉を比較的容易にできる。また、例えば、嵌合強度を比較的大きく設けても、袋の開閉を比較的容易にできる（効果３）。また、可変しない形態で設けてあり、長期使用しても劣化が比較的少ない（効果５）。また、材料の単価を抑え、製造工程も比較的複雑でなく、製作コストの低廉化が可能なスライダー付き合成樹脂製袋体である（効果６）。また、スライダーの厚み、スライダーの重量を比較的少なくできる（効果７）。また、開口部が開いている場合は、スライダーが袋より外側に出ており、また、開口部が閉じている場合は、スライダーが袋より内側に入っているので、袋体の開口部の開閉状態がとてもわかりやすく、開口部の開閉状態の視認性が高い（効果８）。
（２）前記スライダー付き合成樹脂製袋体に第１ストッパーを設け、前記開口部が閉口する方向にスライダーを摺動して該開口部が閉口した場合に、第１ストッパーが当接することにより、開口部が閉口状態を保持することを特徴とするスライダー付き合成樹脂製袋体とすることにより、開口部が閉口する方向にスライダーを摺動して該開口部が閉口した場合に、第１突出部と第２突出部とにより構成される第１ストッパーが当接することにより、開口部が閉口状態を保持するため、開口部が不意に開いてしまうということがない。また、開口部が閉口状態を保持するため、密閉性の確保ができやすい（効果９）。
（３）前記第１嵌合部材に第１突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持することを特徴とするスライダー付き合成樹脂製袋体とすることにより、第１突出部を第１嵌合部材に設けてあるので、強度的には高い（効果１３）。また、第２突出部を第２嵌合部材に設けてあるので、強度的には高い（効果１３ａ）。また、第１突出部を第１嵌合部材に設けてあるので、別々に設ける場合に比較して、重複あるいは共用する部分を削減することができ、第１突出部自体の断面積が少なくて済む。また、第１突出部と第１嵌合部材とを同時に加工ができるので、製造コストを低減することができる（効果１３−２）。また、第２突出部を第２嵌合部材に設けてあるので、別々に設ける場合に比較して、重複あるいは共用する部分を削減することができ、第２突出部自体の断面積が少なくて済む。また、第２突出部と第２嵌合部材とを同時に加工ができるので、製造コストを低減することができる（効果１３−２ａ）。
（４）前記スライダー付き合成樹脂製袋体に第２ストッパーを設け、前記開口部が開口する方向にスライダーを摺動した場合に、第２ストッパーが当接することにより、第１嵌合部材から第２嵌合部材が離脱するのを防止することを特徴とするスライダー付き合成樹脂製袋体にすることにより、開口部が開口する方向にスライダーを摺動した場合に、第３突出部と第４突出部とにより構成される第２ストッパーが当接することにより（開口部が開口しきった状態にて）、第１嵌合部材から第２嵌合部材が離脱するのを防止できる。スライダーが袋体から離脱するのを防止できる（効果１０）。
（５）前記第１嵌合部材に第３突出部を設け、前記第２嵌合部材に第４突出部を設け、前記開口部が開口する方向にスライダーを摺動した場合に、第３突出部と第４突出部とが当接することにより、第１嵌合部材から第２嵌合部材が離脱するのを防止することを特徴とするスライダー付き合成樹脂製袋体とすることにより、第３突出部を第１嵌合部材に設けてあるので、強度的には高い（効果１３−１）。また、第４突出部を第２嵌合部材に設けてあるので、強度的には高い（効果１３−１ａ）。また、第３突出部を第１嵌合部材に設けてあるので、別々に設ける場合に比較して、重複あるいは共用する部分を削減することができ、第３突出部自体の断面積が少なくて済む。また、第３突出部と第１嵌合部材とを同時に加工ができるので、製造コストを低減することができる（効果１３−３）。また、第４突出部を第２嵌合部材に設けてあるので、別々に設ける場合に比較して、重複あるいは共用する部分を削減することができ、第４突出部自体の断面積が少なくて済む。また、第４突出部と第２嵌合部材とを同時に加工ができるので、製造コストを低減することができる（効果１３−３ａ）。
（６）削除。
（７）前記第１嵌合部材に第１突出部を設け、前記第２嵌合部材に第２突出部を設け、該第２嵌合部材に第４突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第１突出部と第４突出部とが当接することにより、第１嵌合部材から第２嵌合部材が離脱するのを防止することを特徴とするスライダー付き合成樹脂製袋体とすることにより、第１突出部と第３突出部とを合体し、第１突出部のみとすることにより、材料費、加工費等が軽減される（効果１３−５）。
（８）前記第１嵌合部材に第１突出部を設け、該第１嵌合部材に第３突出部を設け、前記第２嵌合部材に第２突出部を設け、前記開口部が閉口する方向にスライダーを摺動して該開口部が閉口した場合に、第１突出部と第２突出部とが当接することにより、開口部が閉口状態を保持し、該開口部が開口する方向にスライダーを摺動した場合に、第３突出部と第２突出部とが当接することにより、第１嵌合部材から第２嵌合部材が離脱するのを防止することを特徴とするスライダー付き合成樹脂製袋体とすることにより、第２突出部と第４突出部とを合体し、第２突出部のみとすることにより、材料費、加工費等が軽減される（効果１３−６）。
（９）前記鍔部を有する雄部、に代えて、頭部を有する雄部、として、前記爪部を有する雌部、に代えて、両先端に爪部を有する断面略Ｃ字状の雌部、として、該断面略Ｃ字状の内面の高さに比べて該頭部の高さが大きい該雄部と該雌部とを設け、または、該断面略Ｃ字状の内面の幅に比べて該頭部の幅が大きい該雄部と該雌部とを設け、第１嵌合部材と第２嵌合部材とを嵌合した場合に、該雌部を該雄部が押圧し、または、該雄部を該雌部が押圧することで密閉性を有することを特徴とするスライダー付き合成樹脂製袋体とすることにより、次のような効果がある。特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、該断面略Ｃ字状の内面の高さに比べて該頭部の高さを大きくすることにより、密閉性を有し、高めることができる（効果２ａ）。また、該断面略Ｃ字状の内面の幅に比べて該頭部の幅を大きくすることにより、密閉性を有し、高めることができる（効果２ｂ）。また、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。
【発明を実施するための最良の形態】
【００１５】
以下に、添付図面に基づいて本発明の実施の形態について詳細に説明するが、本発明の範囲は、以下に説明される実施の形態に限定されるものではない。本発明の一実施形態である、実施例１である、スライダー付き合成樹脂製袋体（１）について記す。なお、各図中にて、記載している波線等は省略部分を表す。図５は、図１〜２にて、横方向から見た第１嵌合部材の簡易図であり、面（Ｍ１）（Ｎ１）（Ｏ１）（Ｐ１）〜面（Ｍ６）（Ｎ６）（Ｏ６）（Ｐ６）の位置関係を表した図である。面（Ｍ１）（Ｎ１）（Ｏ１）（Ｐ１）は、面（Ｍ６）（Ｎ６）（Ｏ６）（Ｐ６）より、（矢印Ｙ）方向、つまり、合成樹脂製袋体（１）の奥側（４５）にある。言い換えると、面（Ｍ６）（Ｎ６）（Ｏ６）（Ｐ６）は、面（Ｍ１）（Ｎ１）（Ｏ１）（Ｐ１）より、（矢印Ｚ）方向、つまり、合成樹脂製袋体（１）の手前側（４６）にある。また、図１〜２、４１にて、面（Ｍ４）（Ｎ４）（Ｏ４）（Ｐ４）と面（Ｍ４Ａ）（Ｎ４Ａ）（Ｏ４Ａ）（Ｐ４Ａ）とは、ほぼ同じ位置としてあるが、面（Ｍ４）（Ｎ４）（Ｏ４）（Ｐ４）は手前側（４６）、面（Ｍ４Ａ）（Ｎ４Ａ）（Ｏ４Ａ）（Ｐ４Ａ）は奥側（４５）としてある。また、図６〜８、３０〜３５は、実施例１（１）の、第１嵌合部材（９）（９Ａ）に嵌合する第２嵌合部材（１０）（１０Ａ）等で、図１〜２にて、第１嵌合部材（９）（９Ａ）の長手方向（矢印Ｘ）にて、（矢印Ｙ）から見た断面図を描いてある。また、図６〜８は、図１の面（Ｍ３）（Ｎ３）（Ｏ３）（Ｐ３）の部分拡大図である。また、図４０は、各突出部の片側部分の部分拡大図である。
【００１６】
実施例１（１）である、スライダー付き合成樹脂製袋体（１）は、図１〜８、３０〜４１にて、次のようにしてある。鍔部（２）（２Ｃ）（２Ａ）（２Ｂ）を有する雄部（３）（３Ａ）を設けてある。頭部（１４）（１４Ａ）を有する雄部（３）（３Ａ）を設けてある。爪部（４）（４Ｃ）（４Ａ）（４Ｂ）を有する雌部（５）（５Ａ）を設けてある。両先端（１５）（１５Ｃ）（１５Ａ）（１５Ｂ）に爪部（４）（４Ｃ）（４Ａ）（４Ｂ）を有する断面略Ｃ字状（１６）（１６Ａ）の雌部（５）（５Ａ）を設けてある。該雄部（３）（３Ａ）と嵌合する該雌部（５）（５Ａ）を設けてある。開口部（６）の内側（７）の対向する両面（８）（８Ａ）に第１嵌合部材（９）（９Ａ）を各々配置してある。該両面（８）（８Ａ）の第１嵌合部材（９）（９Ａ）に各々嵌合する第２嵌合部材（１０）（１０Ａ）を設けたスライダー（１１）を配置してある。雌部（５）（５Ａ）である第１嵌合部材（９）（９Ａ）を配してある。雄部（３）（３Ａ）である第２嵌合部材（１０）（１０Ａ）を配してある。第１嵌合部材（９）（９Ａ）の長手方向（矢印Ｘ）に該スライダー（１１）を摺動させることにより該開口部（６）が開閉する合成樹脂製袋体において、第１嵌合部材（９）（９Ａ）と第２嵌合部材（１０）（１０Ａ）とを嵌合した場合に、つまり、該雄部（３）（３Ａ）と該雌部（５）（５Ａ）とを嵌合した場合に、該雌部（５）（５Ａ）を該雄部（３）（３Ａ）が押圧する。または、第１嵌合部材（９）（９Ａ）と第２嵌合部材（１０）（１０Ａ）とを嵌合した場合に、つまり、該雄部（３）（３Ａ）と該雌部（５）（５Ａ）とを嵌合した場合に、該雄部（３）（３Ａ）を該雌部（５）（５Ａ）が押圧する。押圧することで密閉性を有する。
【００１７】
該雄部（３）（３Ａ）と該雌部（５）（５Ａ）とを嵌合した場合に、該雌部（５）（５Ａ）を該雄部（３）（３Ａ）が押圧する、または、該雄部（３）（３Ａ）を該雌部（５）（５Ａ）が押圧することについて一部説明する。図８にて、雄部（３）（３Ａ）と雌部（５）（５Ａ）とを嵌合した場合に、雄部（３）（３Ａ）と雌部（５）（５Ａ）とが接触することにより、接触面（１２）（１２Ｃ）（１２Ａ）（１２Ｂ）が生じる。なお、接触面（１２）（１２Ｃ）（１２Ａ）（１２Ｂ）が生じるように、寸法、材質、形状等にて、雄部（３）（３Ａ）と雌部（５）（５Ａ）の差異等により設けてある。雄部（３）（３Ａ）と雌部（５）（５Ａ）とが接触する。面接触する。面接触した部位にて、雌部（５）（５Ａ）を雄部（３）（３Ａ）が押圧する。または、雄部（３）（３Ａ）を雌部（５）（５Ａ）が押圧する。なお、面接触した部位、つまり、接触面（１２）（１２Ｃ）（１２Ａ）（１２Ｂ）は４箇所としてある。また、雄部（３）（３Ａ）および雌部（５）（５Ａ）の表面積全体に対して、接触、押圧する面は一部としてある。それ以外の面は非接触面（１３）（１３Ａ）としてあり、隙間（２１）（２１Ａ）を設けてある。接触、押圧する面を一部として、隙間（２１）（２１Ａ）を設けることにより、第１嵌合部材（９）（９Ａ）の長手方向（矢印Ｘ）に該スライダー（１１）を摺動する場合の抵抗を軽減することができ、該開口部（６）が開閉するのに力を必要とせずに容易になる（効果１１）。
【００１８】
また、実施例１（１）は、次のようにしてある。以下に記載している「中間部」とは、図１〜２、５にて、面（Ｍ２）（Ｎ２）（Ｏ２）（Ｐ２）（ただし、面（Ｍ２）（Ｎ２）（Ｏ２）（Ｐ２）自身を含まない）から面（Ｍ４）（Ｎ４）（Ｏ４）（Ｐ４）（ただし、面（Ｍ４）（Ｎ４）（Ｏ４）（Ｐ４）自身を含まない）の間を指している。例えば、図４０にて、第１嵌合部材（９）は、中間部では、円弧Ｈまでの面で形成してある。対応する第２嵌合部材（１０）は、中間部では、円弧Ｊまでの面で形成してある。よって、各々の中間部で、第１嵌合部材（９）と第２嵌合部材（１０）とが当接することはない。
【００１９】
また、実施例１（１）は、次のようにしてある。開口部（６）の内側（７）の対向する両面（８）（８Ａ）に第１嵌合部材（９）（９Ａ）を各々配置してあるが、図７〜８にて、開口部（６）の内側（７）の対向する両面（８）（８Ａ）と各々の第１嵌合部材（９）（９Ａ）との間に第１基部（５１）（５１Ａ）を各々設けてある。一体的に設けてある。言い方をかえると次のようになる。両面（８）（８Ａ）の一方の片面（８）と第１嵌合部材（９）との間、両面（８）（８Ａ）の残りの片面（８Ａ）と第１嵌合部材（９Ａ）との間に第１基部（５１）（５１Ａ）を各々設けてある。
【００２０】
次に、本発明の実施形態である、各実施例の材質について記す。雄部、雌部、第１基部、第２基部の材質として、ホモポリプロピレン、ブロックポリプロピレン、ランダムポリプロピレン、プロピレンーエチレンーブテン１ランダム三元共重合体、エチレン―α―オレフィン共重合体、エチレン―極性ビニルモノマー共重合体、ポリオレフィン系特殊軟質樹脂（ＴＰＯ樹脂）等の熱可塑性樹脂、エチレンープロピレン系共重合体、エラストマーなどが考えられるが、この限りではない。また、ポリエチレン、ポリ塩化ビニル、ポリオレフィン系の合成樹脂のほか、ポリ乳酸としてもよく、ポリ乳酸以外の脂肪族ポリエステル樹脂とポリ乳酸を混合した樹脂組成物としてもよいし、他の材料を選択してもよい。また、雄部、雌部、の材質と、第１基部、第２基部の材質は、同じものを使用してもよい。雄部の材質と雌部の材質は相互に異種のものを使用してもよい。
【００２１】
また、実施例１（１）は次のようにしてある。第１嵌合部材（９）（９Ａ）の長手方向（矢印Ｘ）にて、雌部（５）（５Ａ）である第１嵌合部材（９）（９Ａ）に、雄部（３）（３Ａ）である第２嵌合部材（１０）（１０Ａ）を挿入して嵌合して組立ててある。ただし、第１嵌合部材（９）（９Ａ）の長手方向（矢印Ｘ）と直交する方向、つまり、第１嵌合部材（９）（９Ａ）の短手方向（矢印Ｗ）にて、雄部（３）（３Ａ）と雌部（５）（５Ａ）とを対向して押圧させて、爪部（４）（４Ｃ）（４Ａ）（４Ｂ）が弾性変形しても、爪部（４）（４Ｃ）、（４Ａ）（４Ｂ）間を鍔部（２）（２Ｃ）、（２Ａ）（２Ｂ）が通過することは、主に材料の硬度等の原因により難しい。よって、第１嵌合部材（９）（９Ａ）の短手方向（矢印Ｗ）にて、爪部（４）（４Ｃ）、（４Ａ）（４Ｂ）間に鍔部（２）（２Ｃ）、（２Ａ）（２Ｂ）は挿入できず、雄部（３）（３Ａ）と雌部（５）（５Ａ）とは嵌合しない。雄部（３）（３Ａ）と雌部（５）（５Ａ）とは嵌合しないので、第１嵌合部材（９）（９Ａ）の短手方向（矢印Ｗ）にて、雄部（３）（３Ａ）と雌部（５）（５Ａ）とを対向して押圧させても、開口部（６）を誤って閉じてしまうことはない（効果１１−１）。また、同様に、第１嵌合部材（９）（９Ａ）の短手方向（矢印Ｗ）にて、嵌合した雄部（３）（３Ａ）と雌部（５）（５Ａ）とを引っ張って、引き離そうとしても難しく、引き離されることはない。よって、第１嵌合部材（９）（９Ａ）の短手方向（矢印Ｗ）にて、雄部（３）（３Ａ）と雌部（５）（５Ａ）とが嵌合状態から不意に解除することはない（効果１１−２）。
【００２２】
また、実施例１（１）は、図１〜２、３０〜３２、３６〜３７、４０〜４１にて、次のようにしてある。なお、実施例１（１）では、図３０〜３２は、図１の面（Ｍ４）（Ｎ４）（Ｏ４）（Ｐ４）を（矢印Ｙ）から見た部分拡大断面図を描いてある。また、図３６〜３７は、第１嵌合部材と嵌合する第２嵌合部材の上からの部分拡大断面図を描いてある。なお、図３７は、図３２の線ＱＲにて上方向（矢印Ｉ）から見た図である。図３７は、図３６にて、開口部が閉口する方向（矢印Ｙ）に第２嵌合部材を摺動させた図である。以下、実施例１（１）について説明する。第１ストッパー（３３）（３３Ａ）を設けてある。第１ストッパー（３３）（３３Ａ）は、該第１突出部（３４）（３４Ａ）と該第２突出部（３５）（３５Ａ）により形成される。該第１嵌合部材（９）（９Ａ）に第１突出部（３４）（３４Ａ）を設けてある。図４０にて、例えば、該第１突出部（３４）は、第１嵌合部材（９）の円弧（Ｊ）から円弧（Ｈ）までの面で形成してある。該第２嵌合部材（１０）（１０Ａ）に第２突出部（３５）（３５Ａ）を設けてある。同様に、例えば、該第２突出部（３５）は、第２嵌合部材（１０）の円弧（Ｊ）から円弧（Ｋ）までの面で形成してある。第１ストッパー（３３）（３３Ａ）を配置する箇所は、図１の面（Ｍ４）（Ｎ４）（Ｏ４）（Ｐ４）の位置としてある。図４１にて、合成樹脂製袋体（１）の手前側（４６）の端部（３９）に第１突出部（３４）（３４Ａ）を配置してある。第１嵌合部材（９）（９Ａ）の端部（３９）に第１突出部（３４）（３４Ａ）を配置してある。図４１にて、スライダー（１１）の手前側（５９）の端部（４０）に第２突出部（３５）（３５Ａ）を配置してある。第２嵌合部材（１０）（１０Ａ）の端部（４０）に第２突出部（３５）（３５Ａ）を配置してある。次に、作用等について記す。開口している開口部（６）にて、開口部（６）が閉口する方向（矢印Ｙ）にスライダー（１１）を摺動して該開口部（６）が閉口した場合に、第１ストッパー（３３）（３３Ａ）が当接することにより、開口部（６）が閉口状態を保持する。つまり、開口部（６）が閉口する方向（矢印Ｙ）にスライダー（１１）を摺動し、第１突出部（３４）（３４Ａ）と第２突出部（３５）（３５Ａ）とが当接する箇所まで摺動し続けると、第１突出部（３４）（３４Ａ）と第２突出部（３５）（３５Ａ）とが当接する。詳細には、開口部（６）が閉口する方向（矢印Ｙ）にスライダー（１１）を摺動し、図３６にて、第１突出部（３４）（３４Ａ）と第２突出部（３５）（３５Ａ）とが当接する箇所まで摺動し続けると、第１突出部（３４）（３４Ａ）の手前側の面（５３）（５３Ａ）と第２突出部（３５）（３５Ａ）の奥側の面（５４）（５４Ａ）とが当接する。例えば、第１突出部（３４）と第２突出部（３５）とが当接する面は、図４０にて、円弧（Ｊ）から円弧（Ｋ）までとなる。さらに、そのまま、開口部（６）が閉口する方向（矢印Ｙ）にスライダー（１１）を摺動し続けると、第１突出部（３４）（３４Ａ）と第２突出部（３５）（３５Ａ）とが当接する面積は大きくないので、図３７にて、僅かな力で、第２突出部（３５）（３５Ａ）が第１突出部（３４）（３４Ａ）を跳び越えて、開口部（６）が閉口する。跳び越えたあと、第１突出部（３４）（３４Ａ）の奥側の面（５５）（５５Ａ）と第２突出部（３５）（３５Ａ）の手前側の面（５６）（５６Ａ）とが当接するので、開口部（６）が閉口状態を保持する。次に、閉口状態を保持している開口部（６）にて、開口部（６）が開口する方向（矢印Ｚ）にスライダー（１１）を摺動すると、第１突出部（３４）（３４Ａ）と第２突出部（３５）（３５Ａ）とが当接していた面積は大きくないので、僅かな力で、第２突出部（３５）（３５Ａ）が第１突出部（３４）（３４Ａ）を跳び越えて、開口部（６）が開口する。
【００２３】
また、実施例１（１）は、図１〜２、３３〜３５、３８〜３９、４０〜４１にて、次のようにしてある。なお、実施例１（１）では、図３３〜３５は、図２の面（Ｍ４Ａ）（Ｎ４Ａ）（Ｏ４Ａ）（Ｐ４Ａ）を（矢印Ｙ）から見た部分拡大断面図を描いてある。また、図３８〜３９は、第１嵌合部材に嵌合する第２嵌合部材の上からの部分拡大断面図を描いてある。また、図３９は、図３５の線ＵＶにて上方向（矢印Ｉ）から見た図である。図３９は、図３８にて、開口部が開口する方向（矢印Ｚ）に第２嵌合部材を摺動させた図である。以下、実施例１（１）について説明する。第２ストッパー（３６）（３６Ａ）を設けてある。第２ストッパー（３６）（３６Ａ）は、該第３突出部（３７）（３７Ａ）と該第４突出部（３８）（３８Ａ）により形成される。該第１嵌合部材（９）（９Ａ）に第３突出部（３７）（３７Ａ）を設けてある。図４０にて、例えば、該第３突出部（３７）は、第１嵌合部材（９）の円弧（Ｊ）から円弧（Ｈ）までの面で形成してある。該第２嵌合部材（１０）（１０Ａ）に第４突出部（３８）（３８Ａ）を設けてある。同様に、該第４突出部（３８）は、第２嵌合部材（１０）の円弧（Ｊ）から円弧（Ｈ）までの面で形成してある。第２ストッパー（３６）（３６Ａ）を配置する箇所は、図２の面（Ｍ４Ａ）（Ｎ４Ａ）（Ｏ４Ａ）（Ｐ４Ａ）の位置としてある。図４１にて、合成樹脂製袋体（１）の手前側（４６）の端部（３９）に第３突出部（３７）（３７Ａ）を配置してある。第１嵌合部材（９）（９Ａ）の端部（３９）に第３突出部（３７）（３７Ａ）を配置してある。図４１にて、スライダー（１１）の奥側（６０）の端部（４１）に第４突出部（３８）（３８Ａ）を配置してある。第２嵌合部材（１０）（１０Ａ）の端部（４１）に第４突出部（３８）（３８Ａ）を配置してある。次に、作用等について記す。該開口部（６）が開口する方向（矢印Ｚ）にスライダー（１１）を摺動した場合に、第２ストッパー（３６）（３６Ａ）が当接することにより、第１嵌合部材（９）（９Ａ）から第２嵌合部材（１０）（１０Ａ）が離脱するのを防止する。つまり、開口部（６）が開口する方向（矢印Ｚ）にスライダー（１１）を摺動し、第３突出部（３７）（３７Ａ）と第４突出部（３８）（３８Ａ）とが当接する箇所まで摺動し続けると、第３突出部（３７）（３７Ａ）と第４突出部（３８）（３８Ａ）とが当接する。詳細には、開口部（６）が開口する方向（矢印Ｚ）にスライダー（１１）を摺動し、図３８、３９にて、第３突出部（３７）（３７Ａ）と第４突出部（３８）（３８Ａ）とが当接する箇所まで摺動し続けると、第３突出部（３７）（３７Ａ）の奥側の面（５７）（５７Ａ）と第４突出部（３８）（３８Ａ）の手前側の面（５８）（５８Ａ）とが当接する。例えば、第３突出部（３７）と第４突出部（３８）とが当接する面は、図４０にて、円弧（Ｊ）から円弧（Ｈ）までとなる。なお、第３突出部（３７）（３７Ａ）と第４突出部（３８）（３８Ａ）とが当接する面積は比較的大きいので、通常の動作であれば、第４突出部（３８）（３８Ａ）が第３突出部（３７）（３７Ａ）を跳び越えることはない。第３突出部（３７）（３７Ａ）と第４突出部（３８）（３８Ａ）とが当接することにより、第１嵌合部材（９）（９Ａ）から第２嵌合部材（１０）（１０Ａ）が離脱するのを防止する。
【００２４】
また、実施例１（１）は、図１、３にて、次のようにしてある。スライダー（１１）に取っ手（４８）を設けてある。取っ手（４８）は、スライダー（１１）の第２嵌合部材（１０）（１０Ａ）の形状をそのまま延長して設けてある。効果としては、次のようになる。スライダー（１１）を摺動させる場合に、手でつかみやすくなり、開口部（６）の開閉が容易となる（効果１２）。取っ手（４８）は、スライダー（１１）の第２嵌合部材（１０）（１０Ａ）の形状をそのまま延長して設けてあるので、加工が容易で製造コストを抑制できる（効果１２−１）。
【００２５】
また、実施例１（１）について、少し補足する。次のようにしてある。開口部（６）の内側（７）の対向する両面（８）（８Ａ）に第１嵌合部材（９）（９Ａ）を各々配置してあるが、開口部（６）に沿うように第１嵌合部材（９）（９Ａ）を各々配置してある。また、次のようにしてある。開口部（６）の内側（７）の対向する両面（８）（８Ａ）に第１嵌合部材（９）（９Ａ）を各々配置してあるが、帯状体に配置してある、あるいは、テープ状に配置してある。また、次のようにしてある。図４１にて、第１嵌合部材（９）（９Ａ）の端部（３９）に第１突出部（３４）（３４Ａ）を配置してあるが、第１嵌合部材（９）（９Ａ）の長手方向（矢印Ｘ）の端部（３９）に配置してある。同様に、第２嵌合部材（１０）（１０Ａ）の端部（４０）に第２突出部（３５）（３５Ａ）を配置してあるが、第２嵌合部材（１０）（１０Ａ）の長手方向（矢印Ｘ）の端部（４０）に配置してある。同様に、第１嵌合部材（９）（９Ａ）の端部（３９）に第３突出部（３７）（３７Ａ）を配置してあるが、第１嵌合部材（９）（９Ａ）の長手方向（矢印Ｘ）の端部（３９）に配置してある。同様に、第２嵌合部材（１０）（１０Ａ）の端部（４１）に第４突出部（３８）（３８Ａ）を配置してあるが、第２嵌合部材（１０）（１０Ａ）の長手方向（矢印Ｘ）の端部（４１）に配置してある。
【００２６】
次に、実施例１（１）の効果を記す。効果を記すのについて、以下に、各効果と、各効果に対応する各課題もあわせて記載してある。課題と効果の番号は各々対応して記載してある。課題に付した番号については、（発明が解決しようとする課題）の項で記載した番号と同一としてあり、例えば、（発明が解決しようとする課題）の項の（課題１）に対応する効果は（効果１）というようにしてある。以下、記す。一般に、市販の汎用のチャック式の袋は、嵌合して閉じた袋の開口部を開こうとする場合、チャック背面を両手の指で掴んで引っ張って開くが、両手の指で掴んで引っ張る必要があるので、手間を要するという問題がある。また、その際、引っ張る力により、チャック周辺の袋部が裂けてしまうことがあるという問題がある（課題１）。第１の効果としては次のようになる。本発明は、前記問題を解消し、片手でスライダー（１１）を掴んで、スライダー（１１）を摺動させることにより開口部（６）が開くので、引っ張る必要がなく、よって、嵌合して閉じた袋の開口部を開こうとする場合に手間が少ない。また、引っ張る必要がないため、袋部が裂けてしまうことがない。また、一般に、市販の汎用のチャック式の袋は、袋の開口部を閉じようとする場合、チャック背面を指で押圧して嵌合するが、互いのチャックの位置が合わせにくく、押圧するのにも力を必要とし、袋の開口部を閉じるのに手間を要するという問題がある（課題１）。本発明は、前記問題を解消し、袋の開口部を閉じようとする場合、第１嵌合部材（９）（９Ａ）に各々嵌合する第２嵌合部材（１０）（１０Ａ）を設けたスライダー（１１）によって、すでに先端の一部にて嵌合してあるので、互いのチャックの位置を改めて合わせる必要がなく、よって、押圧して嵌合する必要もない。また、スライダー（１１）を摺動させることにより開口部（６）が閉じるので、力がなくても閉じることができ、袋の開口部を閉じる手間が少なくて済む（効果１）。また、前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部（３）（３Ａ）と雌部（５）（５Ａ）とを嵌合した場合に、雌部（５）（５Ａ）を雄部（３）（３Ａ）が押圧、または、雄部（３）（３Ａ）を雌部（５）（５Ａ）が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、前記従来例の特許文献４については、密封性は高く、低コストを追求しているものの、形状としては従来型のスライダー付きを踏襲しているので、材料の単価も低くなく、製造工程も複雑であり、製作コストの低廉化に限度があるという問題がある（課題６）。第６の効果としては次のようになる。本発明は、前記問題を解消し、材料の単価を抑え、製造工程も比較的複雑でなく、製作コストの低廉化が可能なスライダー付き合成樹脂製袋体である（効果６）。また、特許文献４については、従来型のスライダー付きを踏襲しているので、スライダーの厚み、スライダーの重量が少なくないという問題がある（課題７）。第７の効果としては次のようになる。本発明は、前記問題を解消し、スライダーの厚み、スライダーの重量を比較的少なくできる（効果７）。また、特許文献４については、従来型のスライダー付きを踏襲しているので、袋の開閉状態の視認性は決して低くはないが高いともいえない（課題８）。第８の効果としては次のようになる。本発明は、前記問題を解消し、開口部（６）が開いている場合は、スライダー（１１）が袋より外側に出ており、また、開口部（６）が閉じている場合は、スライダー（１１）が袋より内側に入っているので、袋体の開口部の開閉状態がとてもわかりやすく、開口部の開閉状態の視認性が高い（効果８）。また、第９の効果としては次のようになる。開口部（６）が閉口する方向（矢印Ｙ）にスライダー（１１）を摺動して該開口部（６）が閉口した場合に、第１突出部（３４）（３４Ａ）と第２突出部（３５）（３５Ａ）とにより構成される第１ストッパー（３３）（３３Ａ）が当接することにより、開口部（６）が閉口状態を保持するため、開口部（６）が不意に開いてしまうということがない。また、開口部（６）が閉口状態を保持するため、密閉性の確保ができやすい（効果９）。また、第１０の効果としては次のようになる。開口部（６）が開口する方向（矢印Ｚ）にスライダー（１１）を摺動した場合に、第３突出部（３７）（３７Ａ）と第４突出部（３８）（３８Ａ）とにより構成される第２ストッパー（３６）（３６Ａ）が当接することにより（開口部が開口しきった状態にて）、第１嵌合部材（９）（９Ａ）から第２嵌合部材（１０）（１０Ａ）が離脱するのを防止できる。スライダー（１１）が袋体から離脱するのを防止できる（効果１０）。また、第１１、１１−１、１１−２、１２、１２−１の効果については、前段で既に記載済みで重複するが再掲する。第１１の効果としては次のようになる。接触、押圧する面を一部として、隙間を設けることにより、第１嵌合部材（９）（９Ａ）の長手方向（矢印Ｘ）に該スライダー（１１）を摺動する場合の抵抗を軽減することができ、該開口部（６）が開閉するのに力を必要とせずに容易になる（効果１１）。第１１−１の効果としては次のようになる。雄部（３）（３Ａ）と雌部（５）（５Ａ）とは嵌合しないので、第１嵌合部材（９）（９Ａ）の短手方向（矢印Ｗ）にて、雄部（３）（３Ａ）と雌部（５）（５Ａ）とを対向して押圧させても、開口部（６）を誤って閉じてしまうことはない（効果１１−１）。また、第１１−２の効果としては次のようになる。第１嵌合部材（９）（９Ａ）の短手方向（矢印Ｗ）にて、嵌合した雄部（３）（３Ａ）と雌部（５）（５Ａ）とを引っ張って、引き離そうとしても難しく、引き離されることはないので、第１嵌合部材（９）（９Ａ）の短手方向（矢印Ｗ）にて、雄部（３）（３Ａ）と雌部（５）（５Ａ）とを嵌合状態から不意に解除することはない（効果１１−２）。また、第１２の効果としては次のようになる。スライダー（１１）に取っ手（４８）を設けてあるので、スライダー（１１）を摺動させる場合に、手でつかみやすくなり、開口部（６）の開閉が容易となる（効果１２）。また、第１２−１の効果としては次のようになる。取っ手（４８）は、スライダー（１１）の第２嵌合部材（１０）（１０Ａ）の形状をそのまま延長して設けてあるので、加工が容易で製造コストを抑制できる（効果１２−１）。また、第１３、第１３ａ、第１３ｂの効果としては次のようになる。第１突出部（３４）（３４Ａ）を第１嵌合部材（９）（９Ａ）に設けてあるので、強度的には高い（効果１３）。同様に、第２突出部（３５）（３５Ａ）を第２嵌合部材（１０）（１０Ａ）に設けてあるので、強度的には高い（効果１３ａ）。また、第１突出部（３４）（３４Ａ）、第２突出部（３５）（３５Ａ）を各々、第１嵌合部材（９）（９Ａ）、第２嵌合部材（１０）（１０Ａ）の断面中央に設けてあるので、強度的には高い（効果１３ｂ）。また、第１３−１、第１３−１ａ、第１３−１ｂの効果としては次のようになる。同様に、第３突出部（３７）（３７Ａ）を第１嵌合部材（９）（９Ａ）に設けてあるので、強度的には高い（効果１３−１）。第４突出部（３８）（３８Ａ）を第２嵌合部材（１０）（１０Ａ）に設けてあるので、強度的には高い（効果１３−１ａ）。また、第３突出部（３７）（３７Ａ）、第４突出部（３８）（３８Ａ）を各々、第１嵌合部材（９）（９Ａ）、第２嵌合部材（１０）（１０Ａ）の断面中央に設けてあるので、強度的には高い（効果１３−１ｂ）。また、第１３−２、第１３−２ａの効果としては次のようになる。第１突出部（３４）（３４Ａ）を第１嵌合部材（９）（９Ａ）に設けてあるので、別々に設ける場合に比較して、重複あるいは共用する部分を削減することができ、第１突出部（３４）（３４Ａ）自体の断面積が少なくて済む。また、第１突出部（３４）（３４Ａ）と第１嵌合部材（９）（９Ａ）とを同時に加工ができるので、製造コストを低減することができる（効果１３−２）。第２突出部（３５）（３５Ａ）を第２嵌合部材（１０）（１０Ａ）に設けてあるので、別々に設ける場合に比較して、重複あるいは共用する部分を削減することができ、第２突出部（３５）（３５Ａ）自体の断面積が少なくて済む。また、第２突出部（３５）（３５Ａ）と第２嵌合部材（１０）（１０Ａ）とを同時に加工ができるので、製造コストを低減することができる（効果１３−２ａ）。また、第１３−３、１３−３ａの効果としては次のようになる。同様に、第３突出部（３７）（３７Ａ）を第１嵌合部材（９）（９Ａ）に設けてあるので、別々に設ける場合に比較して、重複あるいは共用する部分を削減することができ、第３突出部（３７）（３７Ａ）自体の断面積が少なくて済む。また、第３突出部（３７）（３７Ａ）と第１嵌合部材（９）（９Ａ）とを同時に加工ができるので、製造コストを低減することができる（効果１３−３）。第４突出部（３８）（３８Ａ）を第２嵌合部材（１０）（１０Ａ）に設けてあるので、別々に設ける場合に比較して、重複あるいは共用する部分を削減することができ、第４突出部（３８）（３８Ａ）自体の断面積が少なくて済む。また、第４突出部（３８）（３８Ａ）と第２嵌合部材（１０）（１０Ａ）とを同時に加工ができるので、製造コストを低減することができる（効果１３−３ａ）。また、第１３−４の効果としては次のようになる。雌部（５）（５Ａ）である第１嵌合部材（９）（９Ａ）を配し、雄部（３）（３Ａ）である第２嵌合部材（１０）（１０Ａ）を配してあるので、第１嵌合部材に雄部を配し、第２嵌合部材に雌部配する場合に比べて、スライダー（１１）の容積が低減して軽量化できるので、
袋の開閉を比較的容易にできる。（効果１３−４）。以上のような顕著な効果を本発明は達成する。本発明を当業者が容易になし得るものではないと確信する。
【００２７】
次に、実施例１−１（１ｚｍ）について記す。実施例１−１（１ｚｍ）は、図３０〜３２で、実施例１（１）にて、次のようにしてある。第１突出部（３４）（３４Ａ）と第３突出部（３７）（３７Ａ）の役割を第１突出部（３４）（３４Ａ）にすべて負担させて、第３突出部（３７）（３７Ａ）を省略し、第１突出部（３４）（３４Ａ）のみとしている。効果として、第１突出部（３４）（３４Ａ）と第３突出部（３７）（３７Ａ）とを合体し、第１突出部（３４）（３４Ａ）のみとすることにより、材料費、加工費等が軽減される（効果１３−５）。また、同様に次のようにしてもよい。第１突出部（３４）（３４Ａ）と第３突出部（３７）（３７Ａ）の役割を第３突出部（３７）（３７Ａ）にすべて負担させて、第１突出部（３４）（３４Ａ）を省略し、第３突出部（３７）（３７Ａ）のみとする。以下に、第３突出部（３７）（３７Ａ）を省略し、第１突出部（３４）（３４Ａ）のみとすることの詳細について、説明する。なお、第１ストッパー（３３）（３３Ａ）は実施例１（１）と同様にしてある。第１嵌合部材（９ｚｍ）（９Ａｚｍ）に第１突出部（３４）（３４Ａ）を設けてある。該第２嵌合部材（１０）（１０Ａ）に第２突出部（３５）（３５Ａ）を設けてある。第１ストッパー（３３）（３３Ａ）は、該第１突出部（３４）（３４Ａ）と該第２突出部（３５）（３５Ａ）により形成される。第２ストッパー（３６ｚｍ）（３６Ａｚｍ）を設けてある。この場合、第２ストッパー（３６ｚｍ）（３６Ａｚｍ）は、該第１突出部（３４）（３４Ａ）と該第４突出部（３８）（３８Ａ）により形成される。該第２嵌合部材（１０）（１０Ａ）に第４突出部（３８）（３８Ａ）を設けてある。該開口部（６）が開口する方向（矢印Ｚ）にスライダー（１１）を摺動した場合に、第２ストッパー（３６ｚｍ）（３６Ａｚｍ）が当接することにより、第１嵌合部材（９ｚｍ）（９Ａｚｍ）から第２嵌合部材（１０）（１０Ａ）が離脱するのを防止する。つまり、該開口部（６）が開口する方向（矢印Ｚ）にスライダー（１１）を摺動し、第１突出部（３４）（３４Ａ）と第４突出部（３８）（３８Ａ）とが当接する箇所まで摺動し続けると、第１突出部（３４）（３４Ａ）と第４突出部（３８）（３８Ａ）とが当接する。第１突出部（３４）（３４Ａ）と第４突出部（３８）（３８Ａ）とが当接することにより、第１嵌合部材（９ｚｍ）（９Ａｚｍ）から第２嵌合部材（１０）（１０Ａ）が離脱するのを防止する。
【００２８】
次に、実施例１−２（１ｗ）について、図１〜２、４０〜４４に記す。実施例１−２（１ｗ）では、図４２〜４４は、図１の面（Ｍ２）（Ｎ２）（Ｏ２）（Ｐ２）を（矢印Ｙ）から見た部分拡大断面図を描いてある。なお、実施例１−２（１ｗ）の第１ストッパー（３３ｗ）（３３Ａｗ）である第１突出部（３４ｗ）（３４Ａｗ）と第２突出部（３５ｗ）（３５Ａｗ）は、実施例１（１）の第１ストッパー（３３）（３３ｗ）である第１突出部（３４）（３４Ａ）と第２突出部（３５）（３５Ａ）と同様にしてあるが、配置する位置および面積が相違する。以下、実施例１−２（１ｗ）について説明する。第１ストッパー（３３ｗ）（３３Ａｗ）を設けてある。第１ストッパー（３３ｗ）（３３Ａｗ）は、該第１突出部（３４ｗ）（３４Ａｗ）と該第２突出部（３５ｗ）（３５Ａｗ）により形成される。第１嵌合部材（９ｗ）（９Ａｗ）に第１突出部（３４ｗ）（３４Ａｗ）を設けてある。図４０にて、例えば、第１突出部（３４ｗ）は、第１嵌合部材（９ｗ）の円弧（Ｌ）から円弧（Ｈ）までの面で形成してある。第２嵌合部材（１０ｗ）（１０Ａｗ）に第２突出部（３５ｗ）（３５Ａｗ）を設けてある。同様に、例えば、第２突出部（３５ｗ）は、第２嵌合部材（１０ｗ）の円弧（Ｊ）から円弧（Ｈ）までの面で形成してある。第１ストッパー（３３ｗ）（３３Ａｗ）を配置する箇所は、図１の面（Ｍ２）（Ｎ２）（Ｏ２）（Ｐ２）の位置としてある。図４１にて、合成樹脂製袋体（１ｗ）の奥側（４５）の端部（４３）に第１突出部（３４ｗ）（３４Ａｗ）を配置してある。第１嵌合部材（９ｗ）（９Ａｗ）の端部（４３）に第１突出部（３４ｗ）（３４Ａｗ）を配置してある。図４１にて、スライダー（１１ｗ）の奥側（６０）の端部（４１）に第２突出部（３５ｗ）（３５Ａｗ）を配置してある。第２嵌合部材（１０ｗ）（１０Ａｗ）の端部（４１）に第２突出部（３５ｗ）（３５Ａｗ）を配置してある。なお、実施例（１）と同様に、図４０にて、第１嵌合部材（９ｗ）は、中間部では、円弧（Ｈ）までの面で形成してある。対応する第２嵌合部材（１０ｗ）は、中間部では、円弧（Ｊ）までの面で形成してある。よって、各々の中間部で、第１嵌合部材（９ｗ）と第２嵌合部材（１０ｗ）とが当接することはない。次に、作用について説明する。開口している開口部（６）にて、開口部（６）が閉口する方向（矢印Ｙ）にスライダー（１１ｗ）を摺動して該開口部（６）が閉口した場合に、第１ストッパー（３３ｗ）（３３Ａｗ）が当接することにより、開口部（６）が閉口状態を保持する。つまり、開口部（６）が閉口する方向（矢印Ｙ）にスライダー（１１ｗ）を摺動し、第１突出部（３４ｗ）（３４Ａｗ）と第２突出部（３５ｗ）（３５Ａｗ）とが当接する箇所まで摺動し続けると、第１突出部（３４ｗ）（３４Ａｗ）と第２突出部（３５ｗ）（３５Ａｗ）とが当接する。詳細には、実施例１（１）と同様に、開口部（６）が閉口する方向（矢印Ｙ）にスライダー（１１ｗ）を摺動し、第１突出部（３４ｗ）（３４Ａｗ）と第２突出部（３５ｗ）（３５Ａｗ）とが当接する箇所まで摺動し続けると、第１突出部（３４ｗ）（３４Ａｗ）の手前側の面と第２突出部（３５ｗ）（３５Ａｗ）の奥側の面とが当接する。例えば、第１突出部（３４ｗ）と第２突出部（３５ｗ）とが当接する面は、円弧（Ｌ）から円弧（Ｈ）までとなる。さらに、そのまま、開口部（６）が閉口する方向（矢印Ｙ）にスライダー（１１ｗ）を摺動し続けると、第１突出部（３４ｗ）（３４Ａｗ）と第２突出部（３５ｗ）（３５Ａｗ）とが当接する面積は大きくないので、僅かな力で、第２突出部（３５ｗ）（３５Ａｗ）が第１突出部（３４ｗ）（３４Ａｗ）を跳び越えて、開口部（６）が閉口する。跳び越えたあと、第１突出部（３４ｗ）（３４Ａｗ）の奥側の面と第２突出部（３５ｗ）（３５Ａｗ）の手前側の面とが当接しているので、開口部（６）が閉口状態を保持する。次に、閉口状態を保持している開口部（６）にて、開口部（６）が開口する方向（矢印Ｚ）にスライダー（１１ｗ）を摺動し続けると、第１突出部（３４ｗ）（３４Ａｗ）と第２突出部（３５ｗ）（３５Ａｗ）とが当接する面積は大きくないので、僅かな力で、第２突出部（３５ｗ）（３５Ａｗ）が第１突出部（３４ｗ）（３４Ａｗ）を跳び越えて、開口部（６）が開口する。
【００２９】
また、実施例１−２（１ｗ）は、図１〜２、３３〜３５、３８〜３９、４０〜４１にて、次のようにしてある。なお、実施例１−２（１ｗ）では、図３３〜３５は、図２の面（Ｍ４Ａ）（Ｎ４Ａ）（Ｏ４Ａ）（Ｐ４Ａ）を（矢印Ｙ）から見た部分拡大断面図を描いてある。なお、実施例１−２（１ｗ）の第２ストッパー（３６）（３６Ａ）である第３突出部（３７）（３７Ａ）と第４突出部（３８）（３８Ａ）は、実施例１（１）と同様にしてあり、配置する位置も面積も同様としてある。実施例１−２（１ｗ）について説明する。第２ストッパー（３６）（３６Ａ）を設けてある。第２ストッパー（３６）（３６Ａ）は、該第３突出部（３７）（３７Ａ）と該第４突出部（３８）（３８Ａ）により形成される。該第１嵌合部材（９ｗ）（９Ａｗ）に第３突出部（３７）（３７Ａ）を設けてある。図４０にて、例えば、第３突出部（３７）は、第１嵌合部材（９ｗ）の円弧（Ｊ）から円弧（Ｈ）までの面で形成してある。該第２嵌合部材（１０ｗ）（１０Ａｗ）に第４突出部（３８）（３８Ａ）を設けてある。同様に、例えば、第４突出部（３８）は、第２嵌合部材（１０Ｗ）の円弧（Ｊ）から円弧（Ｈ）までの面で形成してある。第２ストッパー（３６）（３６Ａ）を配置する箇所は、図２の面面（Ｍ４Ａ）（Ｎ４Ａ）（Ｏ４Ａ）（Ｐ４Ａ）の位置としてある。図４１にて、合成樹脂製袋体（１ｗ）の手前側（４６）の端部（３９）に第３突出部（３７）（３７Ａ）を配置してある。第１嵌合部材（９ｗ）（９Ａｗ）の端部（３９）に第３突出部（３７）（３７Ａ）を配置してある。図４１にて、スライダー（１１ｗ）の奥側（６０）の端部（４１）に第４突出部（３８）（３８Ａ）を配置してある。第２嵌合部材（１０ｗ）（１０Ａｗ）の端部（４１）に第４突出部（３８）（３８Ａ）を配置してある。次に、作用等について記す。開口部（６）が開口する方向（矢印Ｚ）にスライダー（１１ｗ）を摺動した場合に、第２ストッパー（３６）（３６Ａ）が当接することにより、第１嵌合部材（９ｗ）（９Ａｗ）から第２嵌合部材（１０ｗ）（１０Ａｗ）が離脱するのを防止する。つまり、開口部（６）が開口する方向（矢印Ｚ）にスライダー（１１ｗ）を摺動し、第３突出部（３７）（３７Ａ）と第４突出部（３８）（３８Ａ）とが当接する箇所まで摺動し続けると、第３突出部（３７）（３７Ａ）と第４突出部（３８）（３８Ａ）とが当接する。詳細には、図３８〜３９にて、開口部（６）が開口する方向（矢印Ｚ）にスライダー（１１ｗ）を摺動し、第３突出部（３７）（３７Ａ）と第４突出部（３８）（３８Ａ）とが当接する箇所まで摺動し続けると、第３突出部（３７）（３７Ａ）の奥側の面（５７）（５７Ａ）と第４突出部（３８）（３８Ａ）の手前側の面（５８）（５８Ａ）とが当接する。例えば、第３突出部（３７）と第４突出部（３８）とが当接する面は、図４０にて、円弧（Ｊ）から円弧（Ｈ）までとなる。なお、第３突出部（３７）（３７Ａ）と第４突出部（３８）（３８Ａ）とが当接する面積は比較的大きいので、通常の動作であれば、第４突出部（３８）（３８Ａ）が第３突出部（３７）（３７Ａ）を跳び越えることはない。第３突出部（３７）（３７Ａ）と第４突出部（３８）（３８Ａ）とが当接することにより、第１嵌合部材（９ｗ）（９Ａｗ）から第２嵌合部材（１０ｗ）（１０Ａｗ）が離脱するのを防止する。
【００３０】
また、実施例１−２（１ｗ）は、次のようにしてある。図４１にて、第１嵌合部材（９ｗ）（９Ａｗ）の端部（４３）に第１突出部（３４ｗ）（３４Ａｗ）を配置してあるが、第１嵌合部材（９ｗ）（９Ａｗ）の長手方向（矢印Ｘ）の端部（４３）に配置してある。同様に、第２嵌合部材（１０ｗ）（１０Ａｗ）の端部（４１）に第２突出部（３５ｗ）（３５Ａｗ）を配置してあるが、第２嵌合部材（１０ｗ）（１０Ａｗ）の長手方向（矢印Ｘ）の端部（４１）に配置してある。同様に、第１嵌合部材（９ｗ）（９Ａｗ）の端部（３９）に第３突出部（３７）（３７Ａ）を配置してあるが、第１嵌合部材（９ｗ）（９Ａｗ）の長手方向（矢印Ｘ）の端部（３９）に配置してある。同様に、第２嵌合部材（１０ｗ）（１０Ａｗ）の端部（４１）に第４突出部（３８）（３８Ａ）を配置してあるが、第２嵌合部材（１０ｗ）（１０Ａｗ）の長手方向（矢印Ｘ）の端部（４１）に配置してある。実施例１−２（１ｗ）の効果は、実施例１（１）と同程度である。
【００３１】
次に、実施例１−３（１ｚｐ）について記す。実施例１−３（１ｚｐ）は、図４２〜４４で、実施例１−２（１ｗ）にて、次のようにしてある。第２突出部（３５ｗ）（３５Ａｗ）と第４突出部（３８）（３８Ａ）の役割を第２突出部（３５ｗ）（３５Ａｗ）にすべて負担させて、第４突出部（３８）（３８Ａ）を省略し、第２突出部（３５ｗ）（３５Ａｗ）のみとしている。効果として、第２突出部（３５ｗ）（３５Ａｗ）と第４突出部（３８）（３８Ａ）とを合体し、第２突出部（３５ｗ）（３５Ａｗ）のみとすることにより、材料費、加工費等が軽減される（効果１３−６）。また、同様に次のようにしてもよい。第２突出部（３５ｗ）（３５Ａｗ）と第４突出部（３８）（３８Ａ）の役割を第４突出部（３８）（３８Ａ）にすべて負担させて、第２突出部（３５ｗ）（３５Ａｗ）を省略し、第４突出部（３８）（３８Ａ）のみとする。以下に、第４突出部（３８）（３８Ａ）を省略し、第２突出部（３５ｗ）（３５Ａｗ）のみとすることの詳細について、次に補足しておく。第１ストッパー（３３ｗ）（３３Ａｗ）は、実施例１−２（１ｗ）と同様にしてある。第１ストッパー（３３ｗ）（３３Ａｗ）を設けてある。第１ストッパー（３３ｗ）（３３Ａｗ）は、該第１突出部（３４ｗ）（３４Ａｗ）と該第２突出部（３５ｗ）（３５Ａｗ）により形成される。第１嵌合部材（９ｗ）（９Ａｗ）に第１突出部（３４ｗ）（３４Ａｗ）を設けてある。第２嵌合部材（１０ｚｐ）（１０Ａｚｐ）に第２突出部（３５ｗ）（３５Ａｗ）を設けてある。第２ストッパー（３６ｚｐ）（３６Ａｚｐ）を設けてある。第２ストッパー（３６ｚｐ）（３６Ａｚｐ）は、該第３突出部（３７）（３７Ａ）と該第２突出部（３５ｗ）（３５Ａｗ）により形成される。該第１嵌合部材（９ｗ）（９Ａｗ）に第３突出部（３７）（３７Ａ）を設けてある。該開口部（６）が開口する方向（矢印Ｚ）にスライダー（１１ｚｐ）を摺動した場合に、第２ストッパー（３６ｚｐ）（３６Ａｚｐ）が当接することにより、第１嵌合部材（９ｗ）（９Ａｗ）から第２嵌合部材（１０ｚｐ）（１０Ａｚｐ）が離脱するのを防止する。つまり、該開口部（６）が開口する方向（矢印Ｚ）にスライダー（１１ｚｐ）を摺動し、第３突出部（３７）（３７Ａ）と第２突出部（３５ｗ）（３５Ａｗ）とが当接する箇所まで摺動し続けると、第３突出部（３７）（３７Ａ）と第２突出部（３５ｗ）（３５Ａｗ）とが当接する。第３突出部（３７）（３７Ａ）と第２突出部（３５ｗ）（３５Ａｗ）とが当接することにより、第１嵌合部材（９ｗ）（９Ａｗ）から第２嵌合部材（１０ｚｐ）（１０Ａｚｐ）が離脱するのを防止する。なお、実施例１−３（１ｚｐ）の効果については、実施例１−１（１ｚｍ）と同程度である。
【００３２】
以下、実施例１における、雄部と雌部の他の形態について、実施例２〜１９にて記載する。なお、押圧の状態については、基本的には実施例１と同様としてある。各図について、一部説明する。各図中にて、記載している波線等は省略部分を表す。図９〜２９は、実施例２〜１９の、第１嵌合部材に嵌合する第２嵌合部材の片側部分等で、図１にて、第１嵌合部材（９）（９Ａ）の長手方向（矢印Ｘ）にて、（矢印Ｙ）から見た、面（Ｍ３）（Ｎ３）（Ｏ３）（Ｐ３）の部分拡大断面図である。また、図１５〜１７、２５〜２６にて、断面略Ｃ字状の内面の高さ（２７）（２７ｓ）（２７ｔ）、頭部の高さ（２８）（２８ｎ）（２８ｓ）（２８ｔ）、断面略Ｃ字状の内面の幅（２９）（２９ｓ）（２９ｔ）、頭部の幅（３０）（３０ｎ）（３０ｓ）（３０ｔ）について、表示する関係から一部、点線を使用して表記してある。同図にて、断面略Ｃ字状の内面の高さと頭部の高さとの差、断面略Ｃ字状の内面の幅と頭部の幅との差が各々僅かな場合もあることから、特に区分けせずに表記している箇所がある。図２５にて、図中の形状で、点線で表示してある部分（ただし、図の寸法を表示するための案内の線は除く）が雄部と雌部との嵌合前の雄部、実線で表示してある部分が雄部と雌部との嵌合後の雄部を示している。図２６にて、図中の形状で、点線で表示してある部分（ただし、図の寸法を表示するための案内の線は除く）が雄部と雌部との嵌合前の雌部、実線で表示してある部分が雄部と雌部との嵌合後の雌部を示している。また、雌部は、実施例２〜６、１３〜１６にて同じ形状として、また、実施例７、９、１１、１８、１９にて同じ形状として、また、実施例８、１０、１２、１７にて同じ形状としてある。また、雄部は、実施例７、８にて同じ形状として、また、実施例９、１０にて同じ形状として、また、実施例１１、１２にて同じ形状としてある。
【００３３】
次に、実施例２（１ａ）について、図９〜１０にて記す。鍔部（２ａ）（２Ｃａ）を有する雄部（３ａ）を設けてある。頭部（１４ａ）を有する雄部（３ａ）としてある。鍔部（２ａ）（２Ｃａ）は頭部（１４ａ）に含まれている。頭部（１４ａ）は、断面楕円状としてある。また、爪部（４ａ）（４Ｃａ）を有する雌部（５ａ）を設けてある。両先端（１５ａ）（１５Ｃａ）に爪部（４ａ）（４Ｃａ）を有する断面略方形状（２３）の雌部（５ａ）としてある。あるいは、両先端（１５ａ）（１５Ｃａ）に爪部（４ａ）（４Ｃａ）を有する断面略コ字状（１７）の雌部（５ａ）としてある。該雄部（３ａ）と嵌合する該雌部（５ａ）を設けてある。第１嵌合部材と第２嵌合部材とを嵌合した場合に、つまり、該雄部（３ａ）と該雌部（５ａ）とを嵌合した場合に、該雌部（５ａ）を該雄部（３ａ）が押圧する。または、該雄部（３ａ）と該雌部（５ａ）とを嵌合した場合に、該雄部（３ａ）を該雌部（５ａ）が押圧する。押圧することで密閉性を有する。雄部（３ａ）と雌部（５ａ）とを嵌合した場合に、雄部（３ａ）および雌部（５ａ）に接触面（１２ａ）（１２Ａａ）（１２Ｂａ）が生じるように、寸法、材質、形状等にて、雄部（３ａ）と雌部（５ａ）の差異等により設けてある。接触面（１２ａ）（１２Ａａ）（１２Ｂａ）は片側で３箇所としてある。また、雄部（３ａ）および雌部（５ａ）の表面に対して、接触、押圧する面は一部としてある。それ以外の面は非接触面（１３ａ）（１３Ａａ）（１３Ｂａ）（１３Ｃａ）としてあり、隙間を設けてある。また、実施例１と同様に次のようにしてある。第１嵌合部材の長手方向にて、雌部（５ａ）である第１嵌合部材に、雄部（３ａ）である第２嵌合部材を挿入して嵌合して組立てる。第１嵌合部材の短手方向にて、雄部（３ａ）と雌部（５ａ）とを対向して押圧させても、雄部（３ａ）と雌部（５ａ）とは嵌合しない。また、第１嵌合部材の短手方向にて、嵌合した雄部（３ａ）と雌部（５ａ）とを引っ張って引き離そうとしても、引き離されることはなく、嵌合状態から解除できない。
【００３４】
次に、実施例３（１ｂ）について、図１１に記す。実施例３（１ｂ）は、実施例２（１ａ）において、雄部（３ｂ）の頭部（１４ｂ）の中央部（２０）に空洞部（２２）を設けてある。雄部（３ｂ）と雌部（５ａ）とが嵌合して、雄部（３ｂ）を雌部（５ａ）が押圧して、押圧された容積と同じ程度の容積が空洞部（２２）を減少させる。実施例３（１ｂ）の効果としては、実施例１（１）と同程度であるが、効果の追記として次のようなものが挙げられる。空洞部（２２）を設けることにより、該雄部（３ｂ）を該雌部（５ａ）が押圧する際に押圧が容易となる。また、空洞部（２２）を設けることにより、第１嵌合部材の長手方向にスライダーを摺動する場合の抵抗を軽減することができ、開口部が開閉する場合の力を少なくできて開閉が容易になる（効果１４）。
【００３５】
次に、実施例４（１ｃ）について、図１２に記す。実施例４（１ｃ）は、実施例３（１ｂ）において、雄部（３ｃ）の頭部（１４ｃ）の半面にて断面略方形状（２３Ｂｃ）としてある。効果の追記として、実施例３（１ｂ）に比較して、密閉性が向上する（効果１５）。
【００３６】
次に、実施例５（１ｄ）について、図１３に記す。実施例５（１ｄ）は、実施例２（１ａ）において、一部変更してある。雄部（３ｄ）の頭部（１４ｄ）に突接部（２４）（２４Ａ）を設けた形状とし、突接部（２４）（２４Ａ）間に隙間（２１ｄ）を配置してある。効果の追記として、実施例２（１ａ）に比較して、押圧が容易となり、開口部の開閉が軽減される（効果１６）。
【００３７】
次に、実施例６（１ｅ）について、図１４に記す。実施例６（１ｅ）は、実施例５（１ｄ）において、一部変更してある。雄部（３ｅ）の頭部（１４ｅ）に突接部（２４ｅ）（２４Ａｅ）（２４Ｂｅ）（２４Ｃｅ）を設けた形状とし、突接部（２４ｅ）（２４Ａｅ）、（２４Ｂｅ）（２４Ｃｅ）間に各々隙間（２１ｅ）（２１Ａｅ）を配置してある。つまり、雄部（３ｅ）の頭部（１４ｅ）の両面に設けてある。効果の追記として、実施例５（１ｄ）に比較して、さらに、押圧が容易となり、開口部の開閉が軽減される（効果１７）。なお、実施例５（１ｄ）、実施例６（１ｅ）で設けた突接部は特に限定するものではなく、大きさ、数等および中央、端部等の配置など自由にしてもよい。
【００３８】
次に、実施例７（１ｆ）について、図１５に記す。実施例７（１ｆ）は、断面キノコ形状（２５）とした雄部（３ｆ）としてある。または、断面矢じり形状（２６）とした雄部（３ｆ）としてある。頭部（１４ｆ）を有する雄部（３ｆ）、両先端（１５ｆ）（１５Ｃｆ）に爪部（４ｆ）（４Ｃｆ）を有する断面略Ｃ字状（１６ｆ）の雌部（５ｆ）にて次のようにしてある。該断面略Ｃ字状（１６ｆ）の内面の高さ（２７）に比べて該頭部（１４ｆ）の高さ（２８）が大きい該雄部（３ｆ）と該雌部（５ｆ）とを設けてある。僅かに大きくしてある。よって、雄部（３ｆ）と雌部（５ｆ）とを嵌合した場合に、雄部（３ｆ）および雌部（５ｆ）に接触面（１２ｆ）（１２Ａｆ）（１２Ｂｆ）が生じる。雄部（３ｆ）と雌部（５ｆ）とが接触する。面接触する。面接触した部位にて、雌部（５ｆ）を雄部（３ｆ）が押圧する。または、雄部（３ｆ）を雌部（５ｆ）が押圧する。なお、面接触した部位、つまり、接触面（１２ｆ）（１２Ａｆ）（１２Ｂｆ）は３箇所としてある。また、雄部（３ｆ）および雌部（５ｆ）の表面全体に対して、接触、押圧する面は一部としてある。それ以外の面は非接触面（１３ｆ）（１３Ａｆ）としてあり、隙間（２１ｆ）（２１Ａｆ）を設けてある。効果の追記として、次のようになる。該断面略Ｃ字状（１６ｆ）の内面の高さ（２７）に比べて該頭部（１４ｆ）の高さ（２８）を大きくすることにより、密閉性を有し、高めることができる（効果２ａ）。また、接触、押圧する面を一部として、隙間（２１ｆ）（２１Ａｆ）を設けることにより、第１嵌合部材の長手方向にスライダーを摺動する場合の抵抗を軽減することができ、開口部が開閉するのに力を必要とせずに容易になる（効果１９）。また、実施例１（１）と同様であるが、密閉性の他の効果について記しておく。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、第９の効果としては次のようになる。開口部（６）が閉口する方向（矢印Ｙ）にスライダーを摺動して該開口部（６）が閉口した場合に、第１突出部と第２突出部とにより構成される第１ストッパーが当接することにより、開口部（６）が閉口状態を保持するため、開口部（６）が不意に開いてしまうということがない。また、開口部（６）が閉口状態を保持するため、密閉性の確保ができやすい（効果９）。
【００３９】
実施例８（１ｈ）についても、図１８にて、実施例７（１ｆ）と同様にしてある。なお、雌部（５ｈ）の形状は、雌部（５ｆ）と多少相違する。また、例えば、実施例８（１ｈ）にて、雄部（３ｈ）と雌部（５ｈ）とを嵌合した後、雄部（３ｈ）の微動等により、爪部（４ｈ）（４Ｃｈ）近傍の隙間（２１Ｄｈ）（２１Ｅｈ）のどちらかが大きくなったり、小さくなったりして、接触面（１２Ａｈ）（１２Ｂｈ）の面積の変動によって、密閉性の度合の変化は生じるが限定的である。実施例７（１ｆ）も同様としてある。
【００４０】
次に、実施例９（１ｊ）について、図１６に記す。実施例９（１ｊ）は、断面キノコ形状（２５ｊ）とした雄部（３ｊ）としてある。または、断面矢じり形状（２６ｊ）とした雄部（３ｊ）としてある。雌部（５ｆ）は、実施例７（１ｆ）と同じ形状としてある。頭部（１４ｊ）を有する雄部（３ｊ）、あるいは、該雌部（５ｆ）にて次のようにしてある。該断面略Ｃ字状（１６ｆ）の内面の幅（２９）に比べて該頭部（１４ｊ）の幅（３０）が大きい該雄部（３ｊ）と該雌部（５ｆ）とを設けてある。僅かに大きくしてある。よって、雄部（３ｊ）と雌部（５ｆ）とを嵌合した場合に、雄部（３ｊ）および雌部（５ｆ）に接触面（１２ｊ）（１２Ａｊ）（１２Ｂｊ）（１２Ｃｊ）が生じる。雄部（３ｊ）と雌部（５ｆ）とが接触する。面接触する。面接触した部位にて、雌部（５ｆ）を雄部（３ｊ）が押圧する。または、雄部（３ｊ）を雌部（５ｆ）が押圧する。なお、面接触した部位、つまり、接触面（１２ｊ）（１２Ａｊ）（１２Ｂｊ）（１２Ｃｊ）は４箇所としてある。また、雄部（３ｊ）および雌部（５ｆ）の表面全体に対して、接触、押圧する面は一部としてある。それ以外の面は非接触面（１３ｊ）としてあり、隙間（２１ｊ）を設けてある。効果の追記として、次のようになる。該断面略Ｃ字状（１６ｆ）の内面の幅（２９）に比べて該頭部（１４ｊ）の幅（３０）を大きくすることにより、密閉性を有し、高めることができる（効果２ｂ）。また、接触、押圧する面を一部として、隙間（２１ｊ）を設けることにより、第１嵌合部材の長手方向にスライダーを摺動する場合の抵抗を軽減することができ、開口部が開閉するのに力を必要とせずに容易になる（効果２１）。また、実施例１（１）と同様であるが、密閉性の他の効果について記しておく。前記従来例の特許文献１については、請求項３に記載されているように、前記雌部材の第１及び第２の爪部材の先端から対向して突出する鉤部の長さは、前記雄部材の前記頭部の後面により形成される鉤受部の長さの半分以下である。よって、密閉性を高めてあるものの、嵌合する場合の強度が高いとは決していえない恐れがあり、例えば、袋の開口部の外側からの力に対する嵌合強度が高くないので、外側からの比較的小さい力に対しても袋が開きやすく、勝手に開いてしまう可能性を否定することができないという問題がある（課題２）。第２の効果としては次のようになる。本発明は、前記問題を解消し、特許文献１のような限定的な寸法形成を構成してはおらず、雄部と雌部とを嵌合した場合に、雌部を雄部が押圧、または、雄部を雌部が押圧することで密閉性を有するようにしてあり、密閉性を有していても、袋の開口部の外側からの力に対する嵌合強度が低くなることがなく、外側からの小さい力に対しても袋が開かず、勝手に開いてしまうことがない（効果２）。また、前記従来例の特許文献２、３については、袋の内圧が増加した場合に嵌合している部位等が可変することにより嵌合強度を高めているが、袋の開口部の外側からの力に対する嵌合強度もその場合に同時に高くなるので、袋の内圧が増加した場合に袋を開閉するのは容易であるとは言い難いという問題がある（課題３）。第３の効果としては次のようになる。本発明は、前記問題を解消し、可変しない形態で設けてあり、袋の内圧が増加した場合でも袋の開口部の外側からの力に対する嵌合強度の変化は少ないので、袋の開閉を比較的容易にできる（効果３）。また、特許文献２、３については、袋の内圧の変化を生じない物質を収納した場合、袋の内圧が増加しないので嵌合している部位等が可変せず嵌合強度が高くならず、よって、密閉性の確保が難しくなるという問題がある（課題４）。第４の効果としては次のようになる。本発明は、前記問題を解消し、可変しない形態で設けてあり、袋の内圧の変化を生じない物質を収納した場合でも、嵌合強度がおよそ一定のままで、密閉性の確保ができやすい（効果４）。つまり、第３、４の効果としては、袋の内圧の変化の有無にかかわらず密閉性を有し、嵌合強度がおよそ一定のままなので、袋の開閉を比較的容易にできる。また、例えば、嵌合強度を比較的大きく設けても、袋の開閉を比較的容易にできる（効果３、４）。また、特許文献２、３については、可変する部位については、可変するので通常と比較して長期使用すると劣化しやすいという問題がある（課題５）。第５の効果としては次のようになる。本発明は、前記問題を解消し、可変しない形態で設けてあり、長期使用しても劣化が比較的少ない（効果５）。また、第９の効果としては次のようになる。開口部（６）が閉口する方向（矢印Ｙ）にスライダーを摺動して該開口部（６）が閉口した場合に、第１突出部と第２突出部とにより構成される第１ストッパーが当接することにより、開口部（６）が閉口状態を保持するため、開口部（６）が不意に開いてしまうということがない。また、開口部（６）が閉口状態を保持するため、密閉性の確保ができやすい（効果９）。
【００４１】
実施例１０（１ｋ）についても、図１９にて、実施例９（１ｊ）と同様にしてある。なお、雌部の形状は、多少相違し、実施例８（１ｈ）と同じ形状としてある。
【００４２】
次に、実施例１１（１ｎ）について、図１７に記す。実施例１１（１ｎ）は、断面キノコ形状（２５ｎ）とした雄部（３ｎ）としてある。または、断面矢じり形状（２６ｎ）とした雄部（３ｎ）としてある。雌部（５ｆ）は、実施例７（１ｆ）と同じ形状としてある。頭部（１４ｎ）を有する雄部（３ｎ）、あるいは、該雌部（５ｆ）にて次のようにしてある。該断面略Ｃ字状（１６ｆ）の内面の高さ（２７）に比べて該頭部（１４ｎ）の高さ（２８ｎ）が大きい該雄部（３ｎ）と該雌部（５ｆ）とを設けてある。僅かに大きくしてある。また、該断面略Ｃ字状（１６ｆ）の内面の幅（２９）に比べて該頭部（１４ｎ）の幅（３０ｎ）が大きい該雄部（３ｎ）と該雌部（５ｆ）とを設けてある。僅かに大きくしてある。よって、雄部（３ｎ）と雌部（５ｆ）とを嵌合した場合に、雄部（３ｎ）および雌部（５ｆ）に接触面（１２ｎ）が生じる。雄部（３ｎ）と雌部（５ｆ）とが接触する。面接触する。面接触した部位にて、雌部（５ｆ）を雄部（３ｎ）が押圧する。または、雄部（３ｎ）を雌部（５ｆ）が押圧する。なお、面接触した部位、つまり、接触面（１２ｎ）は１箇所としてある。効果の追記として、次のようになる。該断面略Ｃ字状（１６ｆ）の内面の高さ（２７）に比べて該頭部（１４ｎ）の高さ（２８ｎ）を大きく（効果２ａ）、また、該断面略Ｃ字状（１６ｆ）の内面の幅（２９）に比べて該頭部（１４ｎ）の幅（３０ｎ）を大きくすることにより、密閉性を有し、高めることができる（効果２ｂ）。
【００４３】
実施例１２（１ｍ）についても、図２０にて、実施例１１（１ｎ）と同様にしてある。なお、雌部の形状は、多少相違し、実施例８（１ｈ）と同じ形状としてある。
【００４４】
次に、実施例１３（１ｐ）について、図２１に記す。実施例１３（１ｐ）は、実施例７（１ｆ）、実施例８（１ｈ）と接触面の形態は同様にしてある。ただし、形状は相違する。雄部（３ｐ）の頭部（１４ｐ）は断面略方形状（２３Ｂｐ）としてある。また、雌部（５ａ）は、実施例２（１ａ）と同じ形状としてある。
【００４５】
次に、実施例１４（１ｑ）について、図２２〜２３に記す。実施例１４（１ｑ）は、実施例１３（１ｐ）と同様にしてある。ただし、雄部（３ｑ）の形状は一部変更してある。実施例１４（１ｑ）は次のようにしてある。雄部（３ｑ）と雌部（５ａ）とを嵌合した後、例えば、図２２にて、袋体の内圧が低圧の場合は、爪部（４Ｃａ）側に雄部（３ｑ）が自重で停止した状態となり、密閉される。図２３にて、ある一定圧力以上の高圧の場合は、爪部（４ａ）側に雄部（３ｑ）が浮き上がった状態となり、袋体の圧力を外へ逃がすようになっている。
【００４６】
次に、実施例１５（１ｒ）について、図２４に記す。実施例１５（１ｒ）は、実施例１１（１ｎ）、実施例１２（１ｍ）と接触面の形態は同様にしてある。ただし、形状は相違する。なお、雄部（３ｒ）の頭部（１４ｒ）は断面略方形状（２３Ｂｒ）としてある。また、雌部（５ａ）は、実施例２（１ａ）と同じ形状としてある。
【００４７】
次に、実施例１６（１ｓ）について、図２５に記す。実施例１６（１ｓ）は、実施例３（１ｂ）と同様にしてあるが、雄部（３ｓ）の大きさは多少大きくしてある。なお、図２５にて、図中の形状で、点線で表示してある部分（ただし、図の寸法を表示するための案内の線は除く）が雄部と雌部との嵌合前の雄部、実線で表示してある部分が雄部と雌部との嵌合後の雄部を示している。雄部（３ｓ）の頭部（１４ｓ）は断面略方形状（２３Ｂｓ）としてある。また、雌部（５ａ）は、実施例３（１ｂ）と同じ形状としてある。雌部（５ａ）も断面略方形状（２３）としてある。該断面略方形状（２３）の内面の高さ（２７ｓ）に比べて該頭部（１４ｓ）の高さ（２８ｓ）が大きい該雄部（３ｓ）と該雌部（５ａ）とを設けてある。該断面略方形状（２３）の内面の幅（２９ｓ）に比べて該頭部（１４ｓ）の幅（３０ｓ）が大きい該雄部（３ｓ）と該雌部（５ａ）とを設けてある。なお、該断面略方形状（２３）の内面の高さ（２７ｓ）と該頭部（１４ｓ）の高さ（２８ｓ）との差、該断面略方形状（２３）の内面の幅（２９ｓ）と該頭部（１４ｓ）の幅（３０ｓ）との差については、実施例３（１ｂ）に比べて大きくなっている。よって、実施例３（１ｂ）に比べて、密閉性をさらに高めることができる（効果２３）。
【００４８】
次に、実施例１７（１ｔ）について、図２６に記す。実施例１７（１ｔ）は、実施例９（１ｊ）、実施例１０（１ｋ）と接触面の形態は同様にしてある。また、図中の形状は、実施例１０（１ｋ）と同様にしてあるが、雄部（３ｔ）の大きさは多少大きくしてある。図２６にて、点線で表示してある部分（ただし、図の寸法を表示するための案内の線は除く）が雄部と雌部との嵌合前の雌部、実線で表示してある部分が雄部と雌部との嵌合後の雌部を示している。実施例１６（１ｓ）と同じように、断面略Ｃ形状（１６ｔ）の内面の高さ（２７ｔ）に比べて頭部（１４ｔ）の高さ（２８ｔ）が大きい該雄部（３ｔ）と該雌部（５ｔ）とを設けてある。断面略Ｃ形状（１６ｔ）の内面の幅（２９ｔ）に比べて頭部（１４ｔ）の幅（３０ｔ）が大きい該雄部（３ｔ）と該雌部（５ｔ）とを設けてある。断面略Ｃ形状（１６ｔ）の内面の高さ（２７ｔ）と頭部（１４ｔ）の高さ（２８ｔ）との差、断面略Ｃ形状（１６ｔ）の内面の幅（２９ｔ）と頭部（１４ｔ）の幅（３０ｔ）との差については、実施例９（１ｊ）、実施例１０（１ｋ）に比べて大きくしてある。よって、実施例９（１ｊ）、実施例１０（１ｋ）に比べて、密閉性をさらに高めることができる（効果２４）。また、実施例１７（１ｔ）は、次のようにしてもよい。断面略Ｃ形状の内面の断面積に比べて頭部の断面積を大きくしてもよい。
【００４９】
次に、実施例１８（１ｕ）について、図２７〜２８に記す。実施例１８（１ｕ）は、断面キノコ形状（２５ｕ）とした雄部（３ｕ）としてある。または、断面矢じり形状（２６ｕ）とした雄部（３ｕ）としてある。雌部（５ｆ）は、実施例７、９、１１と同じ形状としてある。効果の追記として、例えば、袋体の外側あるいは内側より応力が雄部（３ｕ）に作用した場合、雌部（５ｆ）の内面（３２）を頭部（１４ｕ）がスライドすることにより、発生した応力に対応することができる（効果２５）。
【００５０】
次に、実施例１９（１ｖ）について、図２９に記す。雌部（５ｆ）は、実施例７、９、１１、１８と同じ形状としてある。雄部（３ｖ）の形状を変更してある。
【００５１】
次に、実施例２０（１ｚｑ）について、図６７〜６９に記す。実施例２０（１ｚｑ）は、実施例１（１）にて、第２ストッパー（３６）（３６Ａ）を設け、に代えて、図６７〜６９にて、第２ストッパー（３６Ｚｑ）（３６ＡＺｑ）を設け、としてある。また、実施例２０（１ｚｑ）は、実施例１（１）にて、前記第１嵌合部材（９）（９Ａ）に第３突出部（３７）（３７Ａ）を設け、に代えて、図６７〜６９にて、前記第１嵌合部材（９Ｚｑ）（９ＡＺｑ）の長手方向（矢印Ｘ）の袋（４２Ｚｑ）の縁部（６２Ｚｑ）に第３突出部（３７Ｚｑ）（３７ＡＺｑ）を設け、としてある。また、実施例２０（１ｚｑ）は、実施例１（１）にて、前記第２嵌合部材（１０）（１０Ａ）に第４突出部（３８）（３８Ａ）を設け、に代えて、図６７〜６９にて、前記第２嵌合部材（１０Ｚｑ）（１０ＡＺｑ）の端部（４１Ｚｑ）に第４突出部（３８Ｚｑ）（３８ＡＺｑ）を設け、としてある。スライダー（１１Ｚｑ）の奥側の端部（４１Ｚｑ）に配置してある。また、実施例２０（１ｚｑ）は、次のようにしてある。第４突出部（３８Ｚｑ）（３８ＡＺｑ）は、矢印状に設けてある。第４突出部（３８Ｚｑ）（３８ＡＺｑ）を前記第２嵌合部材（１０Ｚｑ）（１０ＡＺｑ）の上下に配置してある。第１嵌合部材（９Ｚｑ）（９ＡＺｑ）の長手方向（矢印Ｘ）にて、第１嵌合部材（９Ｚｑ）（９ＡＺｑ）に第２嵌合部材（１０Ｚｑ）（１０ＡＺｑ）を挿入して嵌合して組立てる。第１嵌合部材（９Ｚｑ）（９ＡＺｑ）の長手方向（矢印Ｘ）にて、第１嵌合部材（９Ｚｑ）（９ＡＺｑ）に第２嵌合部材（１０Ｚｑ）（１０ＡＺｑ）の挿入を（矢印Ｙ）方向より開始する。挿入しようとすると、第３突出部（３７Ｚｑ）（３７ＡＺｑ）間で、第４突出部（３８Ｚｑ）（３８ＡＺｑ）が弾性変形して、第３突出部（３７Ｚｑ）（３７ＡＺｑ）間を通過する。通過して、第３突出部（３７Ｚｑ）（３７ＡＺｑ）間への第４突出部（３８Ｚｑ）（３８ＡＺｑ）の挿入を許容する。許容し、第３突出部（３７Ｚｑ）（３７ＡＺｑ）間を第４突出部（３８Ｚｑ）（３８ＡＺｑ）が通過した後で第４突出部（３８Ｚｑ）（３８ＡＺｑ）が復元する。また、閉口した開口部を開口する場合は次のようになる。図６９で、閉口した開口部にて、第１嵌合部材（９Ｚｑ）（９ＡＺｑ）の長手方向（矢印Ｘ）にて、第２嵌合部材（１０Ｚｑ）（１０ＡＺｑ）を（矢印Ｚ）方向に引っ張るが、復元してる第４突出部（３８Ｚｑ）（３８ＡＺｑ）によって、第３突出部（３７Ｚｑ）（３７ＡＺｑ）が第４突出部（３８Ｚｑ）（３８ＡＺｑ）を係止する。つまり、次のようになる。開口部が開口する方向（矢印Ｚ）にスライダー（１１Ｚｑ）を摺動し、第３突出部（３７ｚｑ）（３７ＡＺｑ）と第４突出部（３８Ｚｑ）（３８ＡＺｑ）とが当接する箇所まで摺動し続けると、第３突出部（３７Ｚｑ）（３７ＡＺｑ）と第４突出部（３８Ｚｑ）（３８ＡＺｑ）とが当接する。第３突出部（３７Ｚｑ）（３７ＡＺｑ）と第４突出部（３８Ｚｑ）（３８ＡＺｑ）とが当接することにより、第１嵌合部材（９Ｚｑ）（９ＡＺｑ）から第２嵌合部材（１０Ｚｑ）（１０ＡＺｑ）が離脱するのを防止する。実施例２０（１ｚｑ）の効果については、実施例１（１）と同程度であるが、効果の追記としては、矢印状に設けてあるので、組立時にて、スライダーの挿入が容易となり、加工コストが低減する。（効果２５ａ）
【００５２】
また、特に図示しないが、次のようにしてもよい。実施例２０（１ｚｑ）のように第４突出部（３８Ｚｑ）（３８ＡＺｑ）を矢印状が上下になるように設けるのではなく、左右になるように設け、同様に、左右に設けた第４突出部に対応するように第３突出部（３７Ｚｑ）（３７ＡＺｑ）も左右に設けるようにしてもよい。
【００５３】
次に、実施例２１（１ｘ）について、図１〜２、３０〜３５、４１に記す。また、面（Ｍ６）（Ｎ６）（Ｏ６）（Ｐ６）と面（Ｍ６Ａ）（Ｎ６Ａ）（Ｏ６Ａ）（Ｐ６Ａ）とは、ほぼ同じ位置としてあるが、面（Ｍ６）（Ｎ６）（Ｏ６）（Ｐ６）は手前側（４６）、面（Ｍ６Ａ）（Ｎ６Ａ）（Ｏ６Ａ）（Ｐ６Ａ）は奥側（４５）としてある。また、実施例２１（１ｘ）では、図３０〜３２は、図１の面（Ｍ６）（Ｎ６）（Ｏ６）（Ｐ６）を（矢印Ｙ）から見た部分拡大断面図を描いてある。実施例２１（１ｘ）は、実施例１（１）にて、前記第１嵌合部材（９）（９Ａ）に第１突出部（３４）（３４Ａ）を設け、に代えて、図１、３０〜３２、４１にて、前記第１嵌合部材（９）（９Ａ）の長手方向（矢印Ｘ）の袋（４２）の縁部（６２）に第１突出部（３４）（３４Ａ）を設け、としてある。また、次のようにしてある。実施例２１（１ｘ）では、図３３〜３５は、図２の面（Ｍ６Ａ）（Ｎ６Ａ）（Ｏ６Ａ）（Ｐ６Ａ）を（矢印Ｙ）から見た部分拡大図を描いてある。実施例２１（１ｘ）は、実施例１（１）にて、前記第１嵌合部材（９）（９Ａ）に第３突出部（３７）（３７Ａ）を設け、に代えて、図２、３３〜３５、４１にて、前記第１嵌合部材（９）（９Ａ）の長手方向（矢印Ｘ）の袋（４２）の縁部（６２）に第３突出部（３７）（３７Ａ）を設け、としてある。なお、実施例２１（１ｘ）の効果については、実施例１（１）と同程度である。
【００５４】
次に、実施例２２（１ｙ）について、図１〜２、３３〜３７、４０〜４４に記す。また、実施例２２（１ｙ）では、図４２〜４４は、図１の面（Ｍ１）（Ｎ１）（Ｏ１）（Ｐ１）を（矢印Ｙ）から見た部分拡大断面図を描いてある。実施例２２（１ｙ）は、実施例１−２（１ｗ）にて、前記第１嵌合部材（９ｗ）（９Ａｗ）に第１突出部（３４）（３４Ａ）を設け、に代えて、図１、４１〜４４にて、前記第１嵌合部材（９ｗ）（９Ａｗ）の長手方向（矢印Ｘ）の袋（４２ｗ）の縁部（４４）に第１突出部（３４）（３４Ａ）を設け、としてある。袋（４２ｗ）の奥側（４５）の端部（４３）に設けてある。また、次のようにしてある。実施例２２（１ｙ）では、図３３〜３５は、図２の面（Ｍ６Ａ）（Ｎ６Ａ）（Ｏ６Ａ）（Ｐ６Ａ）を（矢印Ｙ）から見た部分拡大図を描いてある。実施例２２（１ｙ）は、実施例１−２（１ｗ）にて、前記第１嵌合部材（９ｗ）（９Ａｗ）に第３突出部（３７）（３７Ａ）を設け、に代えて、図２、３３〜３５、４１にて、前記第１嵌合部材（９ｗ）（９Ａｗ）の長手方向（矢印Ｘ）の袋（４２ｗ）の縁部（６２）に第３突出部（３７）（３７Ａ）を設け、としてある。袋（４２ｗ）の手前側（４６）の端部（３９）に設けてある。なお、実施例２２（１ｙ）の効果については、実施例１（１）と同程度である。
【００５５】
また、次のようにしてもよい。実施例１（１）にて、第１突出部（３４）（３４Ａ）を配置する箇所は、図５の面（Ｍ４）（Ｎ４）（Ｏ４）（Ｐ４）、に代えて、図５、４６の面（Ｍ５）（Ｎ５）（Ｏ５）（Ｐ５）としもよい。実施例１（１）にて、第３突出部（３７）（３７Ａ）を配置する箇所は、図５の面（Ｍ４Ａ）（Ｎ４Ａ）（Ｏ４Ａ）（Ｐ４Ａ）、に代えて、図５、４６の面（Ｍ５）（Ｎ５）（Ｏ５）（Ｐ５）としもよい。同様に、実施例１−２（１ｗ）にて、第１突出部（３４ｗ）（３４Ａｗ）を配置する箇所は、図５の面（Ｍ２）（Ｎ２）（Ｏ２）（Ｐ２）、に代えて、図１、５の面（Ｍ１）（Ｎ１）（Ｏ１）（Ｐ１）としもよい。実施例１−２（１ｗ）にて、第３突出部（３７）（３７Ａ）を配置する箇所は、図５の面（Ｍ４Ａ）（Ｎ４Ａ）（Ｏ４Ａ）（Ｐ４Ａ）、に代えて、図５、４６の面（Ｍ５）（Ｎ５）（Ｏ５）（Ｐ５）としもよい。
【００５６】
次に、実施例２３（１ｚ）について、図５、４１、４６、４８〜４９、５１〜５２に記す。なお、実施例２３（１ｚ）〜２５（１ｚｂ）では、図５１〜５２は、図１の面（Ｍ６）（Ｎ６）（Ｏ６）（Ｐ６）、図２の面（Ｍ６Ａ）（Ｎ６Ａ）（Ｏ６Ａ）（Ｐ６Ａ）を（矢印Ｙ）から見た部分拡大断面図を描いてある。実施例２３（１ｚ）は、実施例１（１）にて、前記第１嵌合部材（９）（９Ａ）の長手方向（矢印Ｘ）の袋（４２ｚ）の縁部（６２）に案内部（４７）（４７Ａ）を設けてある。第１嵌合部材（９）（９Ａ）の長手方向（矢印Ｘ）に該スライダー（１１ｚ）を摺動させる場合に、案内部（４７）（４７Ａ）によって、長手方向（矢印Ｘ）に該スライダー（１１ｚ）を案内する。案内部（４７）（４７Ａ）は、第１嵌合部材（９）（９Ａ）の隅を切断して、図５、４６の面（Ｍ５）（Ｎ５）（Ｏ５）（Ｐ５）〜面（Ｍ６）（Ｎ６）（Ｏ６）（Ｐ６）間で形成しており、袋（４２ｚ）の縁部（６２）に設けてある。
【００５７】
次に、実施例２４（１ｚａ）について、図５、４１、４５〜４６、５０〜５２に記す。実施例２４（１ｚａ）は、実施例１（１）にて、前記第１嵌合部材（９）（９Ａ）の長手方向（矢印Ｘ）の袋（４２ｚａ）の縁部（６２）に案内部（４７ｚａ）（４７Ａｚａ）を設けてある。案内部（４７ｚａ）（４７Ａｚａ）は、第１嵌合部材（９）（９Ａ）の隅を切断して、図５、４６の面（Ｍ６）（Ｎ６）（Ｏ６）（Ｐ６）のみで形成しており、袋（４２ｚａ）の縁部（６２）に設けてある。つまり、案内部（４７ｚａ）（４７Ａｚａ）は、図４５にて、面（Ｄ１）（Ｅ１）（Ｆ１）（Ｇ１）と面（Ｄ２）（Ｅ２）（Ｆ２）（Ｇ２）には接合されておらず、面（Ｅ１）（Ｅ２）（Ｆ２）（Ｆ１）のみで形成している。
【００５８】
次に、実施例２５（１ｚｂ）について、図５、４１、４７、５１〜５２に記す。実施例２５（１ｚｂ）は、実施例１（１）にて、前記第１嵌合部材（９）（９Ａ）の長手方向（矢印Ｘ）の袋（４２ｚｂ）の縁部（６２）に案内部（４７ｚｂ）（４７Ａｚｂ）を設けてある。実施例２５（１ｚｂ）の案内部（４７ｚｂ）（４７Ａｚｂ）は、第１嵌合部材（９）（９Ａ）の隅を切断して袋の縁部（６２）に設けた実施例２４（１ｚａ）の案内部（４７ｚａ）（４７Ａｚａ）を、第１嵌合部材（９）（９Ａ）と再度接合して、一体的に設けてある。なお、第１嵌合部材（９）（９Ａ）の隅を切断せずに、第１嵌合部材（９）（９Ａ）の隅である袋の縁部（６２）に案内部を設けてもよい。
【００５９】
次に、実施例２６（１ｚｃ）について、図５、４１、４５、７２に記す。なお、図７２は、第１嵌合部材（９）の隅を引っ張った状態の図を描いてある。実施例２６（１ｚｃ）は、実施例１（１）にて、前記第１嵌合部材（９）（９Ａ）の長手方向（矢印Ｘ）の袋（４２ｚｃ）の縁部（６２）に案内部（４７ｚｃ）（４７Ａｚｃ）を設けてある。第１嵌合部材（９）（９Ａ）の隅をそのまま袋の縁部（６２）に案内部（４７ｚｃ）（４７Ａｚｃ）として設けてある。案内部（４７ｚｃ）は、図４５にて、面（Ｄ１）（Ｅ１）（Ｆ１）（Ｇ１）と面（Ｅ１）（Ｅ２）（Ｆ２）（Ｆ１）に接合している。案内部（４７Ａｚｃ）は、面（Ｄ２）（Ｅ２）（Ｆ２）（Ｇ２）と面（Ｅ１）（Ｅ２）（Ｆ２）（Ｆ１）に接合している。面（Ｅ１）（Ｅ２）（Ｆ２）（Ｆ１）では、案内部（４７ｚｃ）と案内部（４７Ａｚｃ）は分離したままとしてある。
【００６０】
また、次のようにしてもよい。実施例２５（１ｚｂ）にて、第１嵌合部材（９）（９Ａ）と案内部（４７ｚｂ）（４７Ａｚｂ）のみを接合して、互いの袋の辺は接合しない状態としてもよい。つまり、図４５で、線（Ｅ１）（Ｆ１）と線（Ｅ２）（Ｆ２）は切断したままとしてもよい。あるいは、次のようにしてもよい。実施例２５（１ｚｂ）にて、線（Ｅ１）（Ｆ１）と線（Ｅ２）（Ｆ２）を折れ線として設けてもよい。
【００６１】
実施例２３（１ｚ）〜実施例２６（１ｚｃ）の効果について記す。実施例２３（１ｚ）、実施例２４（１ｚａ）は、第１嵌合部材（９）（９Ａ）の隅を切断して、袋の縁部に案内部を設けてあり、切断箇所を設けることにより、袋の開口部（６）の柔軟性が増し、開口部（６）を手などで広げようとする場合に広げやすくなる（効果２６）。実施例２５（１ｚｂ）は、案内部（４７ｚｂ）（４７Ａｚｂ）と第１嵌合部材（９）（９Ａ）を一体的に設けることにより、密封性が向上し、袋の縁部の強度も増す（効果２７）。実施例２６（１ｚｃ）は、案内部（４７ｚｃ）と案内部（４７Ａｚｃ）を分離することにより、袋の開口部（６）の柔軟性が増し、開口部（６）を手などで広げようとする場合に広げやすくなる。また、第１嵌合部材（９）（９Ａ）を延長してそのまま袋の縁部（６２）として設けてあるので、加工が比較的容易となる（効果２８）。
【００６２】
次に、実施例２７（１ｚｄ）について、図５３、５５〜５６に記す。実施例２７（１ｚｄ）は、実施例１（１）にて、スライダー（１１）に取っ手（４８）を設け、に代えて、スライダーに取っ手（４８ｚｄ）を設け、としてある。効果としては、次のようになる。スライダーを摺動させる場合に、手でつかみやすくなり、開口部（６）の開閉が容易となる（効果２９）。
【００６３】
次に、実施例２８（１ｚｅ）について、図５７〜５９に記す。なお、実施例２８（１ｚｅ）では、実施例１（１）の図３３〜３５と同様に、図５７〜５９は、図２の面（Ｍ４Ａ）（Ｎ４Ａ）（Ｏ４Ａ）（Ｐ４Ａ）の位置に相当し、（矢印Ｙ）から見た部分拡大断面図を描いてある。実施例２８（１ｚｅ）は、実施例１（１）にて、次のように変更してある。実施例１（１）の、雌部（５）（５Ａ）である第１嵌合部材（９）（９Ａ）を配し、雄部（３）（３Ａ）である第２嵌合部材（１０）（１０Ａ）を配し、に代えて、次のようにしてある。実施例２８（１ｚｅ）は、雄部（３ｚｅ）（３Ａｚｅ）である第１嵌合部材（９ｚｅ）（９Ａｚｅ）を配してある。雌部（５ｚｅ）（５Ａｚｅ）である第２嵌合部材（１０ｚｅ）（１０Ａｚｅ）を配してある。また、次のようにしてある。鍔部を有する雄部（３ｚｅ）（３Ａｚｅ）を設けてある。爪部を有する雌部（５ｚｅ）（５Ａｚｅ）を設けてある。該雄部（３ｚｅ）（３Ａｚｅ）と嵌合する該雌部（５ｚｅ）（５Ａｚｅ）を設けてある。開口部の内側の対向する両面に第１嵌合部材（９ｚｅ）（９Ａｚｅ）を各々配置してある。該両面の第１嵌合部材（９ｚｅ）（９Ａｚｅ）に各々嵌合する第２嵌合部材（１０ｚｅ）（１０Ａｚｅ）を設けたスライダー（１１ｚｅ）を配置してある。効果については、他の実施例と同程度であるが、効果の追記として次に記す。例えば、実施例１（１）の図３５と実施例２８（１ｚｅ）の図５９とで比較すると、実施例２８（１ｚｅ）は、第２嵌合部材（１０ｚｅ）（１０Ａｚｅ）である雌部（５ｚｅ）（５Ａｚｅ）にて、雌部（５ｚｅ）と雌部（５Ａｚｅ）を上下に一体的に形成してあるので、雌部（５ｚｅ）の端部と雌部（５Ａｚｅ）の端部とを重ねることができ、重なり部分（４９）により断面積を一部削減できる。強度を維持しながらも、断面積の減少によってコストを低減できる。また、雌部（５ｚｅ）と雌部（５Ａｚｅ）を上下に形成してあるので、実施例１（１）と比較すると、袋の幅ＨＢを短くでき、袋全体の厚みを薄くすることが可能になり、平滑になる（効果３０）。
【００６４】
また、実施例２８（１ｚｅ）は、次のようにしてある。実施例２８（１ｚｅ）は、実施例１（１）にて、次のように変更してある。実施例１（１）の、第２ストッパー（３６）（３６Ａ）を設け、該第１嵌合部材（９）（９Ａ）に第３突出部（３７）（３７Ａ）を設け、該第２嵌合部材（１０）（１０Ａ）に第４突出部（３８）（３８Ａ）を設け、第２ストッパー（３６）（３６Ａ）は、該第３突出部（３７）（３７Ａ）と該第４突出部（３８）（３８Ａ）により形成される、に代えて、次のようにしてある。実施例２８（１ｚｅ）は、第２ストッパー（３６ｚｅ）（３６Ａｚｅ）を設けてある。該第１嵌合部材（９ｚｅ）（９Ａｚｅ）に第３突出部（３７ｚｅ）（３７Ａｚｅ）を設けてある。該第２嵌合部材（１０ｚｅ）（１０Ａｚｅ）に第４突出部（３８ｚｅ）（３８Ａｚｅ）を設けてある。第２ストッパー（３６ｚｅ）（３６Ａｚｅ）は、該第３突出部（３７ｚｅ）（３７Ａｚｅ）と該第４突出部（３８ｚｅ）（３８Ａｚｅ）により形成される。
【００６５】
次に、実施例２９（１ｚｆ）について、図６０〜６２に記す。なお、実施例２９（１ｚｆ）では、実施例１（１）の図６〜８と同様に、図６０〜６２は、図１の面（Ｍ３）（Ｎ３）（Ｏ３）（Ｐ３）の位置に相当し、（矢印Ｙ）から見た中間部の部分拡大断面図を描いてある。実施例２９（１ｚｆ）は、実施例１（１）にて、次のように変更してある。実施例１（１）の、雌部（５）（５Ａ）である第１嵌合部材（９）（９Ａ）を配し、雄部（３）（３Ａ）である第２嵌合部材（１０）（１０Ａ）を配し、に代えて、次のようにしてある。実施例２９（１ｚｆ）は、該両面（８）（８Ａ）の一方の片面（８）に雄部（３ｚｆ）を設けて該両面（８）（８Ａ）の残りの片面（８Ａ）に雌部（５Ａｚｆ）を設けた第１嵌合部材（９ｚｆ）（９Ａｚｆ）を配してある。該両面（８）（８Ａ）の一方の片面（８）の雄部（３ｚｆ）に嵌合する雌部（５ｚｆ）を設けて該両面（８）（８Ａ）の残りの片面（８Ａ）の雌部（５Ａｚｆ）に嵌合する雄部（３Ａｚｆ）を設けた第２嵌合部材（１０ｚｆ）（１０Ａｚｆ）を配してある。
【００６６】
次に、実施例３０（１ｚｈ）について、図６３〜６４に記す。実施例３０（１ｚｈ）は、実施例１（１）にて、次のように変更してある。実施例１（１）の、スライダー（１１）、に代えて、スライダー（１１ｚｈ）としてある。スライダー（１１ｚｈ）は、スライダー（１１）にて、所定の間隔で部分的に切断面を設けてある。等間隔に一部切断してある。切断面を設けることにより、ジグザグ状にすることができ、柔軟性を確保することができる。また、このほかに、柔軟性の高い素材を使用してもよい。効果としては、開口した後で、スライダー（１１ｚｈ）を折畳んだりすることができるので邪魔にならずに済む（効果３２）。次に、実施例３１（１ｚｊ）について、図６５〜６６に記す。実施例３１（１ｚｊ）は、実施例１（１）にて、次のように変更してある。実施例１（１）の、スライダー（１１）、に代えて、スライダー（１１ｚｊ）としてある。スライダー（１１ｚｊ）は、円形状にしてある。スライダー（１１ｚｊ）の第２嵌合部材（１０ｚｊ）（１０Ａｚｊ）に対応する第１嵌合部材（９ｚｊ）（９Ａｚｊ）も円形状にしてある。効果としては、円形状にすることによって、スライドがしやすくなる（効果３３）。
【００６７】
次に、実施例３２（１ｚｋ）について、図７３に記す。なお、図７３は、図５２と同様で、図１の面（Ｍ６）（Ｎ６）（Ｏ６）（Ｐ６）、図２の面（Ｍ６Ａ）（Ｎ６Ａ）（Ｏ６Ａ）（Ｐ６Ａ）を（矢印Ｙ）から見た部分拡大断面図を描いてある。実施例３２（１ｚｋ）は、実施例２３（１ｚ）にて、第２嵌合部材（１０）（１０Ａ）の端部の形状を断面フラットに変更してある。効果としては、取っ手として持ちやすくなる（効果３４）。
【００６８】
次に、実施例３３（１ｚｎ）について、図５４に記す。実施例３３（１ｚｎ）は、実施例２５（１ｚｂ）にて、袋（４２ｚｂ）の縁部（６２）の中央で、袋（４２ｚｂ）に折り線（５０）を設けて折ってある。効果としては、縁部がフラットになり、平滑性が向上し、袋の縁部の厚みを薄くすることができる（効果３５）。
【００６９】
次に、実施例３４（１ｚｒ）について、図７０に記す。実施例３４（１ｚｒ）は、実施例２０（１ｚｑ）の第４突出部（３８ｚｑ）（３８Ａｚｑ）の先端にて、雄部（３）（３Ａ）である第２嵌合部材（１０ｚｒ）（１０Ａｚｒ）を延長して設けてある。つまり、第４突出部（３８ｚｑ）（３８Ａｚｑ）は、第２嵌合部材（１０ｚｒ）（１０Ａｚｒ）と延長した第２嵌合部材（５２）との間に挟まって配置してある。なお、実施例３４（１ｚｒ）の他の構造、形態については、実施例２０（１ｚｑ）と同様にしてある。実施例３４（１ｚｒ）の効果については、実施例１（１）、実施例２０（１ｚｑ）と同程度であるが、効果の追記としては次のようになる。第３突出部（３７ｚｑ）（３７Ａｚｑ）と第４突出部（３８ｚｑ）（３８Ａｚｑ）とが当接する箇所まで摺動し続けて、第３突出部（３７ｚｑ）（３７Ａｚｑ）と第４突出部（３８ｚｑ）（３８Ａｚｑ）とが当接する場合に、第４突出部（３８ｚｑ）（３８Ａｚｑ）の先端（５２）にて、第２嵌合部材（１０ｚｒ）（１０Ａｚｒ）を延長して設けてあるため、第１嵌合部材（９ｚｑ）（９Ａｚｑ）に第２嵌合部材（１０ｚｑ）（１０Ａｚｑ）が嵌合している長さが長くなるので、第１嵌合部材（９ｚｑ）（９Ａｚｑ）に対して第２嵌合部材（１０ｚｑ）（１０Ａｚｑ）の位置が変動したりすることが少なく、不安定要因を低減し、より安定させる。
【００７０】
次に、実施例３５（１ｚｓ）について、図７１に記す。実施例３５（１ｚｓ）は、実施例３４（１ｚｒ）にて、第４突出部（３８ｚｑ）（３８Ａｚｑ）、に代えて、第４突出部（３８ｚｓ）（３８Ａｚｓ）、としてある。第１嵌合部材（９ｚｑ）（９Ａｚｑ）の長手方向（矢印Ｘ）の袋（４２ｚｑ）の縁部（６２ｚｑ）を補強してある。また、同時に、第４突出部（３８ｚｓ）（３８Ａｚｓ）の矢印状の形を小型に変更してある。袋（４２ｚｑ）の縁部（６２ｚｑ）を補強してあるので、第４突出部（３８ｚｓ）（３８Ａｚｓ）の矢印状の形を小型にしても係止する。
【００７１】
次に、実施例３６（１ｚｔ）について、図７４にて記す。実施例３６（１ｚｔ）は、実施例２（１ａ）にて、次のようにしてある。鍔部（２ａ）を有する雄部（３ｚｔ）を設けてある。爪部（４ａ）を有する雌部（５ｚｔ）を設けてある。つまり、実施例２（１ａ）の鍔部（２ａ）（２Ｃａ）を有する雄部（３ａ）にて、鍔部（２ａ）のみを設けてある。同様に、爪部（４ａ）（４Ｃａ）を有する雌部（５ａ）にて、爪部（４ａ）のみを設けてある。
【００７２】
また、次のようにしてもよい。実施例１（１）、実施例１−１（１ｚｍ）、実施例１−３（１ｚｐ）、実施例２０（１ｚｐ）、実施例２１（１ｘ）、実施例２２（１ｙ）、にて、該断面略Ｃ字状の内面の高さに比べて該頭部の高さが大きい該雄部と該雌部とを設けてもよい。また、該断面略Ｃ字状の内面の幅に比べて該頭部の幅が大きい該雄部と該雌部とを設けてもよい。
【００７３】
また、次のようにしてもよい。各実施例において、該第１嵌合部材に第１突出部を設ける位置については、第１嵌合部材の上であれば、どこでも可能である。特に限定することはない。該第１嵌合部材に第３突出部を設ける位置、該第２嵌合部材に第２突出部を設ける位置、該第２嵌合部材に第４突出部を設ける位置についても同様である。
【００７４】
また、実施例１（１）は、次のようにしてある。第１嵌合部材（９）（９Ａ）に第１突出部（３４）（３４Ａ）を一体的に設けてある。第２嵌合部材（１０）（１０Ａ）に第２突出部（３５）（３５Ａ）を一体的に設けてある。第１嵌合部材（９）（９Ａ）に第３突出部（３７）（３７Ａ）を一体的に設けてある。第２嵌合部材（１０）（１０Ａ）に第４突出部（３８）（３８Ａ）を一体的に設けてある。
【００７５】
また、実施例１（１）は、次のようにしてもよい。第１嵌合部材（９）（９Ａ）の長手方向（矢印Ｘ）と直交する方向、つまり、第１嵌合部材（９）（９Ａ）の短手方向（矢印Ｗ）にて、咬合あるいは嵌合するように設けてもよい。雄部（３）（３Ａ）と雌部（５）（５Ａ）において、咬合する合成樹脂製の咬合部材として雄部（３）（３Ａ）と雌部（５）（５Ａ）を設け、としてもよい。あるいは、咬合する軟質の合成樹脂製の咬合部材として雄部（３）（３Ａ）と雌部（５）（５Ａ）を設け、としてもよい。次にその作用について記す。第１嵌合部材（９）（９Ａ）の長手方向（矢印Ｘ）と直交する方向、つまり、第１嵌合部材（９）（９Ａ）の短手方向（矢印Ｗ）にて、雄部（３）（３Ａ）と雌部（５）（５Ａ）とを対向して押圧することにより、爪部（４）（４Ｃ）、（４Ａ）（４Ｂ）間に挿入する鍔部（２）（２Ｃ）、（２Ａ）（２Ｂ）によって弾性変形する該爪部（４）（４Ｃ）、（４Ａ）（４Ｂ）間を該鍔部（２）（２Ｃ）、（２Ａ）（２Ｂ）が通過する。通過して、雌部（５）（５Ａ）への雄部（３）（３Ａ）の挿入を許容する。許容し、爪部（４）（４Ｃ）、（４Ａ）（４Ｂ）間を鍔部（２）（２Ｃ）、（２Ａ）（２Ｂ）が通過した後で復元した該爪部（４）（４Ｃ）、（４Ａ）（４Ｂ）により該鍔部（２）（２Ｃ）、（２Ａ）（２Ｂ）を係止して戻り方向への雄部（３）（３Ａ）の移動を規制する。規制し、雄部（３）（３Ａ）と雌部（５）（５Ａ）とが嵌合する。また、嵌合状態から解除する場合は次のようになる。第１嵌合部材（９）（９Ａ）の長手方向（矢印Ｘ）と直交する方向、つまり、第１嵌合部材（９）（９Ａ）の短手方向（矢印Ｗ）にて、袋の両面を引っ張って、嵌合した雄部（３）（３Ａ）と雌部（５）（５Ａ）とを引き離そうとする。引き離そうとすることにより、鍔部（２）（２Ｃ）、（２Ａ）（２Ｂ）によって押圧され弾性変形する該爪部（４）（４Ｃ）、（４Ａ）（４Ｂ）から該鍔部（２）（２Ｃ）、（２Ａ）（２Ｂ）が引っ張った方向へ移動する。移動して、嵌合状態から解除する。
【００７６】
また、実施例１（１）は、次のようにしてもよい。前記鍔部（２）（２Ｃ）（２Ａ）（２Ｂ）を有する雄部（３）（３Ａ）、にて、柱状部の先端に設けた前記鍔部（２）（２Ｃ）（２Ａ）（２Ｂ）と該柱状部とを有する雄部（３）（３Ａ）、としてもよい。前記爪部（４）（４Ｃ）（４Ａ）（４Ｂ）を有する雌部（５）（５Ａ）、に代えて、両先端（１５）（１５Ｃ）（１５Ａ）（１５Ｂ）に爪部（４）（４Ｃ）（４Ａ）（４Ｂ）を有する断面略円弧状の雌部（５）（５Ａ）、としてもよい。
【００７７】
また、実施例１（１）は、特に図示しないが次のようにしてもよい。開口部（６）の内側（７）の対向する両面（８）（８Ａ）に第１嵌合部材（９）（９Ａ）を各々配置する場合に、断続的に配置してもよい。効果としては、第１嵌合部材（９）（９Ａ）を断続的に各々配置することにより、袋自体に柔軟性を持たせることができる。また、実施例１（１）は、次のようにしてもよい。開口部（６）の全長に対して、第１嵌合部材（９）（９Ａ）を設ける長さを短くして設けてもよい。第１嵌合部材（９）（９Ａ）を設けていない箇所は封じてもよい。つまり、開口部を袋の一部のみとして、一部のみが開口するようにスライダーを設けてもよい。
【００７８】
また、各実施例について、少し補足する。実施例１（１）について、次のようにしてある。開口部（６）の内側（７）の対向する両面（８）（８Ａ）と各々の第１嵌合部材（９）（９Ａ）との間に第１基部（５１）（５１Ａ）を一体的に各々設けてあるが、各々融着して設けてある。ヒートシーラ等によって融着してある。溶着してある。あるいは、各々接着して設けてある。熱接着してある。また、接着剤で接着してもよい。あるいは、射出成型してもよい。製造が容易となり、また、コストを低減できる。
【図面の簡単な説明】
【００７９】
【図１】各実施例の斜視図。
【図２】各実施例の斜視図。
【図３】実施例１の部分拡大斜視図。
【図４】実施例１の部分拡大斜視図。
【図５】各実施例の配置図
【図６】実施例１等の部分拡大断面図。
【図７】実施例１等の部分拡大断面図。
【図８】実施例１等の部分拡大断面図。
【図９】実施例２の部分拡大断面図。
【図１０】実施例２の部分拡大断面図。
【図１１】実施例３の部分拡大断面図。
【図１２】実施例４の部分拡大断面図。
【図１３】実施例５の部分拡大断面図。
【図１４】実施例６の部分拡大断面図。
【図１５】実施例７の部分拡大断面図。
【図１６】実施例９の部分拡大断面図。
【図１７】実施例１１の部分拡大断面図。
【図１８】実施例８の部分拡大断面図。
【図１９】実施例１０の部分拡大断面図。
【図２０】実施例１２の部分拡大断面図。
【図２１】実施例１３の部分拡大断面図。
【図２２】実施例１４の部分拡大断面図。
【図２３】実施例１４の部分拡大断面図。
【図２４】実施例１５の部分拡大断面図。
【図２５】実施例１６の部分拡大断面図。
【図２６】実施例１７の部分拡大断面図。
【図２７】実施例１８の部分拡大断面図。
【図２８】実施例１８の部分拡大断面図。
【図２９】実施例１９の部分拡大断面図。
【図３０】実施例１、１−１、２１の部分拡大断面図。
【図３１】実施例１、１−１、２１の部分拡大断面図。
【図３２】実施例１、１−１、２１の部分拡大断面図。
【図３３】実施例１、１−１、１−２、１−３、２１〜２２の部分拡大断面図。
【図３４】実施例１、１−１、１−２、１−３、２１〜２２の部分拡大断面図。
【図３５】実施例１、１−１、１−２、１−３、２１〜２２の部分拡大断面図。
【図３６】実施例１、１−１、１−３、２２の部分拡大断面図。
【図３７】実施例１、１−１、１−３、２２の部分拡大断面図。
【図３８】実施例１、１−１、１−２、１−３の部分拡大断面図。
【図３９】実施例１、１−１、１−２、１−３の部分拡大断面図。
【図４０】各実施例の部分拡大断面図。
【図４１】各実施例の斜視図。
【図４２】実施例１−２、１−３、２２の部分拡大断面図。
【図４３】実施例１−２、１−３、２２の部分拡大断面図。
【図４４】実施例１−２、１−３、２２の部分拡大断面図。
【図４５】実施例２３〜２６の説明図。
【図４６】実施例２２〜２６の説明図。
【図４７】実施例２５の部分拡大斜視図。
【図４８】実施例２３の部分拡大斜視図。
【図４９】実施例２３の部分拡大斜視図。
【図５０】実施例２４の部分拡大斜視図。
【図５１】実施例２３〜２５の部分拡大断面図。
【図５２】実施例２３〜２５の部分拡大断面図。
【図５３】実施例２７の部分拡大斜視図。
【図５４】実施例３３の部分拡大斜視図。
【図５５】実施例２７の部分拡大断面図。
【図５６】実施例２７の部分拡大断面図。
【図５７】実施例２８の部分拡大断面図。
【図５８】実施例２８の部分拡大断面図。
【図５９】実施例２８の部分拡大断面図。
【図６０】実施例２９の部分拡大断面図。
【図６１】実施例２９の部分拡大断面図。
【図６２】実施例２９の部分拡大断面図。
【図６３】実施例３０の斜視図。
【図６４】実施例３０の斜視図。
【図６５】実施例３１の斜視図。
【図６６】実施例３１の斜視図。
【図６７】実施例２０を横から見た図。
【図６８】実施例２０を横から見た図。
【図６９】実施例２０を横から見た図。
【図７０】実施例３４を横から見た図。
【図７１】実施例３５を横から見た図。
【図７２】実施例２６の部分拡大斜視図。
【図７３】実施例３２の部分拡大断面図。
【図７４】実施例３６の部分拡大断面図。
【００８０】
（１）        実施例１
（１ａ）      実施例２
（１ｂ）      実施例３
（１ｃ）      実施例４
（１ｄ）      実施例５
（１ｅ）      実施例６
（１ｆ）      実施例７
（１ｈ）      実施例８
（１ｊ）      実施例９
（１ｋ）      実施例１０
（１ｎ）      実施例１１
（１ｍ）      実施例１２
（１ｐ）      実施例１３
（１ｑ）      実施例１４
（１ｒ）      実施例１５
（１ｓ）      実施例１６
（１ｔ）      実施例１７
（１ｕ）      実施例１８
（１ｖ）      実施例１９
（１ｗ）      実施例１−２
（１ｘ）      実施例２１
（１ｙ）      実施例２２
（１ｚ）      実施例２３
（１ｚａ）    実施例２４
（１ｚｂ）    実施例２５
（１ｚｃ）    実施例２６
（１ｚｄ）    実施例２７
（１ｚｅ）    実施例２８
（１ｚｆ）    実施例２９
（１ｚｈ）    実施例３０
（１ｚｊ）    実施例３１
（１ｚｋ）    実施例３２
（１ｚｎ）    実施例３３
（１ｚｍ）    実施例１−１
（１ｚｐ）    実施例１−３
（１ｚｑ）    実施例２０
（１ｚｒ）    実施例３４
（１ｚｓ）    実施例３５
（１ｚｔ）    実施例３６
（２）        鍔部
（３）        雄部
（４）        爪部
（５）        雌部
（６）        開口部
（７）        内側
（８）        両面
（９）        第１嵌合部材
（１０）      第２嵌合部材
（１１）      スライダー
（１２）      接触面
（１３）      非接触面
（１４）      頭部
（１５）      先端
（１６）      断面略Ｃ字状
（１７）      断面略コ字状
（２０）      中央部
（２１）      隙間
（２２）      空洞部
（２３）      断面略方形状
（２４）      突接部
（２５）      断面キノコ状
（２６）      断面矢じり状
（２７）      内面の高さ
（２８）      頭部の高さ
（２９）      内面の幅
（３０）      頭部の幅
（３２）      内面
（３３）      第１ストッパー
（３４）      第１突出部
（３５）      第２突出部
（３６）      第２ストッパー
（３７）      第３突出部
（３８）      第４突出部
（３９）      端部
（４０）      端部
（４１）      端部
（４２）      袋
（４３）      端部
（４４）      縁部
（４５）      奥側
（４６）      手前側
（４７）      案内部
（４８）      取っ手
（４９）      重なり部分
（５０）      折り線
（５１）      第１基部
（５２）      先端
延長した第２嵌合部材
（５３）      手前側の面
（５４）      奥側の面
（５５）      奥側の面
（５６）      手前側の面
（５７）      奥側の面
（５８）      手前側の面
（５９）      手前側
（６０）      奥側
（６２）      縁部
（Ｄ）        面
（Ｅ）        面
（Ｆ）        面
（Ｇ）        面
（Ｈ）        円弧
（Ｊ）        円弧
（Ｋ）        円弧
（Ｌ）        円弧
（Ｍ）        面
（Ｎ）        面
（Ｏ）        面
（Ｐ）        面
（Ｑ）        線
（Ｒ）        線
（Ｓ）        線
（Ｔ）        線
（Ｕ）        線
（Ｖ）        線
（矢印Ｉ）    上方向
（矢印Ｗ）    短手方向
（矢印Ｘ）    長手方向
（矢印Ｙ）    閉口する方向
（矢印Ｚ）    開口する方向